(57)【特許請求の範囲】
【請求項１】
最小の薄膜化および縞化で硬い表面をクリーニングするための予め湿らせたクリーニングパットであって、前記クリーニングパットが、１００ｇ／ｍ2〜５００ｇ／ｍ2の基礎重量を有しかつクリーニング溶液で浸されている吸収層を含む湿ったクリーニングパットを備え、ここで前記クリーニング溶液が、
ａ．硬い表面と水の間の接触角を減少させるのに十分な量の、処理された表面を親水性にする親水性ポリマー、
ｂ．０．００５〜０．０５％のアルキルポリグルコシド界面活性剤
を含む、予め湿らせたクリーニングパット。
【請求項２】
前記クリーニング溶液が、クリーニングを高めるのに有効な量の１種以上の有機クリーニング溶剤をさらに含む請求項１記載の予め湿らせたクリーニングパット。
【請求項３】
前記クリーニング溶液が、クリーニング及び／又は抗菌作用を改良させるのに有効な量の水溶性モノ又はポリカルボン酸をさらに含む請求項１または２に記載の予め湿らせたクリーニングパット。
【請求項４】
前記クリーニング溶液が、漂白、クリーニング及び／又は抗菌作用を与えるのに有効な量で、５％までの過酸化水素をさらに含む請求項１〜３のいずれかに記載の予め湿らせたクリーニングパット。
【請求項５】
前記クリーニング溶液が、０．００５％〜１％の、ポリアクリレート、ガム、及びそれらの混合物からなる群から選ばれる増粘化ポリマーをさらに含む請求項１〜４のいずれかに記載の予め湿らせたクリーニングパット。
【請求項６】
前記クリーニング溶液が、臭い効果を与えるために有効な量の香料、及び／又は付加的な補助剤をさらに含む請求項１〜５のいずれかに記載の予め湿らせたクリーニングパット。
【請求項７】
前記クリーニング溶液が、０．０００１％〜０．１％の泡抑制剤をさらに含み、残部が水であり、かつｐＨが２〜１２である、請求項１乃至６のいずれかに記載の予め湿らせたクリーニングパット。
【請求項８】
乾燥基材ｇ当たり１．５〜１５ｇのレベルで前記組成物により湿らされている請求項１乃至７のいずれかに記載の予め湿らせたクリーニングパット。
【請求項９】
さらに、香料が直接または間接にクリーニングパットに塗布され、かつ泡抑制剤が乾燥基材ｇ当たり０．００１〜０．０１ｇのレベルで直接塗布される請求項８記載の予め湿らせたクリーニングパット。
【請求項１０】
予め湿らせたクリーニングパットは、合計流体容量が１００未満である請求項８記載の予め湿らせたクリーニングパット。
【請求項１１】
前記吸収層が、セルロース繊維から作られる請求項８記載の予め湿らせたクリーニングパット。
【請求項１２】
予め湿らせたクリーニングパットが、床シートおよび液体貯槽として機能する内部吸収層を含む積層構造を備える、請求項１１記載の予め湿らせたクリーニングパット。
【請求項１３】
予め湿らせたクリーニングパットが保護背面層を含む、請求項１１記載の予め湿らせたクリーニングパット。
【請求項１４】
予め湿らせたクリーニングパットが、ハンドルおよびモップヘッドを含むクリーニング装具に取り付けられる、請求項１〜７のいずれかに記載の予め湿らせたクリーニングパット。
【請求項１５】
前記アルキルポリグルコシドが、１．０〜１．５のサッカリド部分を含有し、前記サッカリド部分は少なくとも混合物の５０％が１０〜１６の炭素原子を有する鎖長の混合物を含有する請求項１３記載の予め湿らせたクリーニングパット。
【請求項１６】
前記親水性ポリマーが、ポリスチレンスルホネート、ポリビニルピロリドン、ポリビニルピロリドンアクリル酸コポリマー、ポリビニルピロリドンアクリル酸コポリマーのナトリウム塩、ポリビニルピロリドンアクリル酸コポリマーのカリウム塩、ポリビニルピロリドン-ビニルイミダゾリン、ポリビニルピリジン、ポリビニルピリジンｎ-オキシド、及びそれらの混合物から選択される、請求項１〜７のいずれかに記載の予め湿らせたクリーニングパット。
【請求項１７】
前記親水性ポリマーが、5000〜200,000の分子量を有するポリビニルピリジンｎ−オキシドであり、その際単量体単位の５０％〜９０％がアミンオキシド基を有する、請求項１６記載の予め湿らせたクリーニングパット。
【請求項１８】
硬い表面をクリーニングする方法であって、前記硬い表面を請求項１３記載の予め湿らせたクリーニングパットと接触させることを含む方法。
【発明の詳細な説明】
【０００１】
発明の分野
本発明は濃厚な組成物を含む液体クリーニング組成物、最適な基材を含む予め湿らせた拭取り具（wipe）、及び硬い表面のクリーニングに使用するための装具及び／又はそれらの外観及び衛生の維持、及びそれらの優れた性能を与えるためにそれらをどのように使用するかについての説明書を携帯している前記組成物、濃厚物、拭取り具などを含有する物品に関する。これらの組成物、拭取り具、及び装具のデザインは、特別の使用説明書と共に、浴室の表面、ガラス表面、カウンターの頂面、壁及び床を含む硬い表面への使用が有利である。このような組成物は、典型的には親水性ポリマー、洗剤用界面活性剤、有機クリーニング溶剤、及び場合により揮発性緩衝剤、香料、抗菌剤、ビルダーなどを含有する。
【０００２】
発明の背景
例えば浴室中の硬い表面をクリーニングするための、有機水溶性合成洗剤用界面活性剤、ポリマー、及びクリーニング溶剤を含有する組成物の使用はうまく確立されている。この目的のための公知の液体洗剤組成物は有機クリーニング溶剤、洗剤用界面活性剤、及び場合により洗剤用ビルダー及び／又は研磨剤を含有している。この組成物は硬水沈着物の除去の改良のために、酸性であることができる。
【０００３】
液体クリーニング組成物は、そのままで或いは濃厚な形態で硬い表面へ適用することができる利点を有するので、比較的高レベルの、例えば界面活性剤物質及び／又は有機溶剤が汚れに直接配給されることから、通常好ましい。しかしながら、固体の組成物も、水で希釈して、クリーニング溶液を形成し、使用することができる。濃厚な液体クリーニング組成物は、包装コストを節約することにより消費者への価値の同一性の改良を助けることができるが、濃厚製品はより希釈された形態での使用を意図すべきである。濃厚な、例えば１０倍の詰替品は、１倍のものより長くもち、重量が軽く且つ容積が小さいという消費者には付加的な便利さがある。「拭取り具」の形態の液体クリーニング組成物も、消費者が拭取り具を一度使用し、それを処分することができる便利さも与えることができる。
【０００４】
装具は、液体組成物の性能を有利に改良するために使用することができることで重要である。拭取り具、パッド、モップなどを含む装具は液体組成物の選択を補完するために重要な機械的なクリーニング性を与えうる。逆に、液体組成物は装具の選択を便利にするために選ばれる。従って、装具の適切な選択は、優れたクリーニング結果を達成するために必要な非揮発性界面活性剤及び他の補助剤のレベルを十分に減少させることができる。
【０００５】
発明の要約
本発明は、床、壁、カウンタートップ、ガラス、及び／又は浴室で通常遭遇する汚れの形成を除去及び／又は防止するのに適した、好ましくは液体の硬い表面クリーニング組成物に関するもので、該組成物はクリーニングされた表面を親水性にする親水性ポリマー、スポット化／薄膜化(spotting/filming)を最少にするために選ばれる特別の界面活性剤、好ましくはアルキルポリグルコシド、場合によりクリーニング溶剤及び場合により有機酸を含有することが好ましい。本発明は、また好ましくは、低い残渣の最終結果を達成するための親水性ポリマーを含有する溶液と共に、装具及び組成物の使用説明書を包含するクリーニングシステムに関するものである。本発明は、さらに硬い表面、特に浴室、台所、洗濯場などにあるものをクリーニングし且つそれらの綺麗さを維持し、その際表面を処理し、擦り洗い(scrubbing)及び／又はすすぎ(rinsing)することなしで、例えば処理はすすぎのない処理が好ましい、処理液を乾燥させることができる方法に関するものである。ここで使用される「すすぎのない処理」、例えばすすぎなしで硬い表面をクリーニングするとは、表面処理液の少なくとも実質的な部分を、処理された表面上で乾燥させることを意味する。このような処理液は非常に希釈されていることが好ましい。典型的には、表面が再び使用され、水、又は他のクリーニング溶液に曝された後に、表面は残される。好ましくは、表面は、規則的基準で、例えば、シャワー、浴槽、流しなどで水に通常曝されるものである。
【０００６】
本発明は、処理液を適用し、ついで吸収及び／又は擦り洗いで実質的に除去することにより、その際適度のレベルの処理液を残し、ついで乾燥する、床、カウンター、壁などをクリーニングする組成物及びその使用方法に関する。このような方法の例としては、（基材及び基材に混入させた水性組成物を含有する）予め湿らせた拭取り具及び／又はクリーニング液と共に使用される吸収物品を用いるような適用がある。これらの装具の使用は、使用の容易性を助長し望ましい最終の結果及び優れた衛生を達成させるのに有利である。予め湿らせた拭取り具又は吸収パッドは典型的には各使用後に処分されるから、それらの使用及び処分は、従来の再使用可能なスポンジ、布、及びモップではしばしば起こることであるが、クリーニングされる表面上に細菌が停留及び再付着する装具のリスクを減少させる。予め湿らせた拭取り具及び処分可能なクリーニングパッドは下記に見出される。
【０００７】
本発明の硬い表面クリーニング組成物の酸性変更物は石鹸の浮きかす及び硬水の汚点を除去することができる。組成物は、殺菌性を達成することができるが、くえん酸を含む抗菌剤の選択及び付加的な黴防止利益のために過酸化水素のよう添加剤を用い又は用いずに、使用することができる。上述したように、組成物は、表面が湿化(wetting)及び／又は薄膜化/縞化する性質、及び場合により粘度調節を改良するために、例えば接触角による測定で表面を親水性にする１種以上の親水性ポリマーと混入させることが好ましい。
【０００８】
親水性ポリマーを含有する本発明の硬い表面クリーニング組成物は、特にすすぎをしない適用において、優れた表面外観を与える。従って、「毎日のシャワー」スプレー用いついては、本発明の組成物は、タイルに、より好ましくは湿ったタイルに直接スプレーされ、ついで乾燥される。つぎに水と接する際に、例えばシャワー中に、表面を素早く湿らせても、乾いているが見えない残渣を与える。従って、使用後にすすがず又は拭わないときも、製品はつぎのクリーニング手順において良好に働く。また、製品が適用された後にすすぎ又は拭いをしないか又は制限することに関係する事実は、連続使用による性能を改良する。本発明の好ましいポリマーの利益の一つのは、それがスプレーされる硬い表面において安定状態の濃度に達するということである。好ましいポリマーは水溶性であるから蓄積は起こらず、安定状態の濃度に達したときは、表面に沈着した「新しい」ポリマーは溶液に溶解されたポリマーによって相殺される。水の接触角の減少は、本質的に界面活性剤を含有しない組成物でさえも数サイクルにわたり改良されうる。
【０００９】
床、カウンター、壁クリーナーなどに関しては、溶液組成物を適用し、吸収により実質的な量を除去及び拭い、そして乾燥のために適当な処理レベルに低下させた後に達成される安定状態の濃度も重要である。この場合、低レベルの残渣(残渣は非揮発性物として定義される)は、つぎの適用の際に良好な湿りを与えることによって、次回のクリーニングを容易にさせ、かくして非常に疎水性の表面においては特に重要な溶液の脱湿を最小にすることにより縞化/薄膜化の可能性を減少させる。低レベルでのポリマーにより与えられるこの効果的な湿化の利益は、配合者に、典型的には湿化において最低限影響する界面活性剤のような組成物中の他の成分の保持を可能にする。これは、活性過ぎる表面及び他の物質の存在のために、汚れ及び／又は表面の粘着化を引き起こしうる薄膜が得られる可能性を減少させる。これは、長期の製品の使用により粘着性を低下することができるので、重要である。
【００１０】
従って、クリーニング方法は、好ましくは下記のものを含有する処理液(好ましくは直ぐに使える溶液)を使用することを包含する方法であり、その際、該処理液は使用条件下において、約２〜約１２、好ましくは約３〜約１１．５のｐＨを有し、酸性の組成物は約２〜約６、好ましくは約３〜約５のｐＨを有し、該方法はは処理液を適用し、該処理液で湿らされた表面を場合により擦り、ついで場合により、処理液の一部を表面に残しながら該処理液の一部を除くことに関するものである。
【００１１】
a.  接触角を減少させる及び／又は親水性を増加させるのに有効な量で、組成物の約０．５重量％まで、好ましくは約０．００５重量％〜約０．４重量％、より好ましくは約０．０１重量％〜約０．３重量％の、好ましくは持続性のある、表面を親水性する親水性ポリマーであって、ポリスチレンスルホネート；ポリビニルピロリドン；ポリビニルピロリドンアクリル酸コポリマー；ポリビニルピロリドンアクリル酸コポリマーのナトリウム塩；ポリビニルピロリドンアクリル酸コポリマーのカリウム塩；ポリビニルピロリドン-ビニルイミダゾリン；ポリビニルピリジンｎ-オキシド；及びそれらの混合物からなる郡から選ばれ、ポリビニルピリジンｎ-オキシドが最も好ましい；
【００１２】
b.  任意であるが好ましくは、有効な量の、好ましくは組成物の約０．００５重量％〜約０．５重量％、より好ましくは約０．０１重量％〜約０．４重量％、最も好ましくは約０．０２５重量％〜約０．３重量％の主たる洗剤用界面活性剤であって、該界面活性剤は、好ましくは約８〜約１８、より好ましくは約８〜約１６の炭素原子を含有するアルキル基及び分子当たり約１〜約４、好ましくは約１〜約１．５のサッカリド部分を有するアルキルポリサッカリドを含有し、及び／又は約８〜約１８、より好ましくは約８〜約１６の炭素原子を含有するアルキル基及び分子当たり約１〜約４、好ましくは約１〜約１．５のサッカリド部分を有するアルキルポリサッカリドと約８〜約１６の炭素原子及び約４〜約２４のオキシエチレン単位を有するアルキルエトキシレートとの組み合せを含有する；
【００１３】
c.  場合により、クリーニング性を高めるのに有効な量の、好ましくは組成物の約０．２５重量％〜約５重量％、好ましくは約０．５重量％〜約４重量％、より好ましくは約０，５重量％〜約３重量％の１種以上の有機クリーニング溶剤、であって、好ましくはモノプロピレングリコールモノプロピルエーテル、モノプロピレングリコールモノブチルエーテル；ジプロピレングリコールモノプロピルエーテル；ジプロピレングリコールモノブチルエーテル；トリプロピレングリコールモノブチルエーテル；エチレングリコールモノブチルエーテル；ジエチレングリコールモノブチルエーテル、エチレングリコールモノヘキシルエーテル、ジエチレングリコールモノヘキシルエーテル；及びそれらの混合物からなる群から選ばれる；
【００１４】
d.  場合により、主たる洗剤用界面活性剤ｂの量以下の少ない量、好ましくは組成物の約０．００５重量％〜約０．５重量％、より好ましくは約０．０１重量％〜約０．４重量％、さらにより好ましくは約０．０２５重量％〜約０．３重量％の共界面活性剤、好ましくはアニオン性及び／又はノニオン性洗剤用界面活性剤、より好ましくはＣ8−Ｃ12の線状スルホネート；Ｃ8−Ｃ18のアルキルベンゼンスルホネート；Ｃ8−Ｃ18のアルキススルフェート；Ｃ8−Ｃ18のアルキルポリエトキシスルフェート；及びそれらの混合物からなる群から選ばれる；
【００１５】
e.  場合により、クリーニング及び／又は抗菌作用を改良するのに有効な量の、好ましくは組成物の約０．０１重量％〜約１重量％、より好ましくは約０．０１重量％〜約０．５重量％、さらにより好ましくは約０．０１重量％〜０．２５約重量％の水溶性モノ又はポリカルボン酸；
【００１６】
f.  場合により、有効な量で組成物の約１重量％までの、好ましくは約０．０１重量％〜約０．５重量％、より好ましくは約０．０２５重量％〜約０．２５重量％のシクロデキストリン、好ましくは場合により、短鎖(１〜４の炭素原子)アルキル又はヒドロキシルアルキル基で置換された、α、β又はγシクロデキストリンであって、該シクロデキストリンはβ-シクロデキストリン、ヒドロキシプロピルシクロデキストリン又はそれらの混合物が好ましい；
【００１７】
g.  場合により、漂白、クリーニング及び／又は抗菌作用を与えるのに有効な量で組成物の５重量％まで、好ましくは約０．１重量％〜約４重量％、より好ましくは約１重量％〜約３重量％の過酸化水素；
【００１８】
h.  場合により、組成物の約０．００５重量％〜約１重量％、好ましくは約０．００５重量％〜約０．５重量％、より好ましくは約０．０１重量％〜約０．１重量％の、ポリアクリレート、ガム、及びそれらの混合物からなる群から選ばれる増粘化ポリマー；
【００１９】
i.  場合により、有効な量の臭い効果を与える香料、及び／又は付加的な補助剤；及び
【００２０】
j.  場合により、有効な量、好ましくは組成物の約０．０００１重量％〜約０．１重量％、好ましくは約０．０００２５重量％〜約０．０５重量％、より好ましくは約０．００１重量％〜約０．０１重量％の泡抑制剤、好ましくはシリコーン泡抑制剤；及び
【００２１】
k.  任意であるが好ましくは、水及び任意の水溶性溶剤を含有する水性溶剤系。
【００２２】
改良された表面の外観は、親水性ポリマー及び／又は特定の界面活性剤、特にアルキルポリサッカリドの使用、特にその他の全成分の低レベルの使用の結果である。すすぎなし及び／又はすすぎが制限された「磨き(buffing)」法については、たとえポリマーが存在しなくとも、特定のアルキルポリサッカリドは外観にとって重要である。上記の製品の濃厚物は水の量を減らすことにより造ることができる。本発明の溶液の濃厚物(希釈して使用する意図の製品)は、濃縮率により拡大される活性レベルを有する。好ましい態様においては,濃厚物は消費者が実際に希釈することを助けるための計量器(通常はキャップ又は目盛り付きの瓶)が備えられている。本発明の濃厚物の例としては、上記に定義した特定のレベルにより、３倍、５倍及び１０倍の製品があるが、これらに限定されない。特記しないかぎり、全ての濃度は下記する「直ぐに使える」製品について適用される。当業者は濃厚物を造り、ついで使用のために希釈されるものと理解される。
【００２３】
本発明の好ましい組成物はポリマー及び香料のみを含有することができる。なぜならば、該ポリマー、特に好ましいアミンオキシドポリマーは実質量の水不溶性香料を溶解/懸濁することができるからである。しかしながら、通常は界面活性剤が存在するであろう。使い捨てパッドに使用される組成物について下記する。
【００２４】
発明の詳細な記述
本発明の硬い表面クリーニング組成物は、床及び／又は浴室において通常出くわす除去困難な汚れの蓄積及び硬い表面の外観を維持することに特に有用である。これらとしては、硬水の汚れ、脂肪酸、トリグリセリド、脂質、不溶性脂肪酸石鹸、強固な粒状物、皮で覆われた食物などがある。洗剤組成物は多くの異なるタイプの表面、例えばセラミック、ガラス繊維、ガラス、ポリウレタン、金属表面、プラスチック表面、及び上記全てのものの積層物に使用することができる。
【００２５】
ａ．親水性ポリマー
本発明の態様の殆どにおいて、処理される表面の親水性を改良する高分子物質は必須である。この親水性の増大は、表面からの水のシート化（sheeting）及び／又は表面への水の広がりを与えることにより、最終の外観を改良し、そしてこの効果は、表面が再び湿らされたとき及び湿らせた後に乾燥したときでさえも、認められる。
【００２６】
毎日のシャワー製品として使う意図のある製品に関しては、処理される表面の殆どが垂直な表面であるので、「シート化」効果は特に顕著である。従って、利益は、磁器エナメルのような表面を湿らすことがより困難であっても、ガラス、セラミックにおいて注目される。水が表面を平らにシート化し及び／又は表面に広がったときに、例えば乾燥した際に生じる「硬水のスポット」の形成が最少となる。床のクリーニングへの使用を意図する製品については、ポリマーは表面の湿化を改良し且つクリーニング性能を援助する。
【００２７】
ポリマーの持続性は、そのシート化及びクリーニング利益を長引かせるので有利である。好ましいポリマーの他の重要な特徴は、乾燥した際に残渣がないことである。好ましいポリマーを含有する組成物は霞(haze)のない又は殆どない最終結果を促進しながら、床をより等しく乾燥する。
【００２８】
多くの物質がシート化及び抗スポット化の利益を与えることができるが、好ましい物質はアミンオキシド親水性基を含有するポリマーである。他の親水性基、例えばスルホネート、ピロリドン、及び／又はカルボキシレート基を含有するポリマーも使用することができる。望ましいポリスルホネートポリマーの例としては、ポリビニルスルホネート、より好ましくはポリスチレンスルホネート、例えばMonomer-Polymer  Dajacより販売されているものがある。典型的な式は
-[CH(C6H4SO3Na)-CH2]n-CH(CH6H5)-CH2-
(式中ｎは下記するような適当な分子量を与える数である)である。
【００２９】
典型的な分子量は約10,000〜約1,000,000、好ましくは約200,000〜約700,000である。ピロリドン官能基を有する好ましいポリマーとしては、ポリビニルピロリドン、４級化ピロリドン誘導体(例えばInternational  Specialty  ProductsからのGafquat  755N)、及びピロリドン含有コポリマー、例えばポリビニルピロリドン/ジメチルアミノエチルメタクリレート(ISPから入手可能)及びポリビニルピロリドン/アクリレート(BASFから入手可能)がある。親水性基を含有するカチオン性物質及び複数のエーテル結合を有するポリマーを含む他の物質も持続性及び親水性を与える。カチオン性物質としては，カチオン性の糖及び／又は澱粉誘導体があるが、プロピレンオキシドとエチレンオキシドの混合物をベースとする典型的なブロックコポリマー洗剤用界面活性剤はポリエーテル物質の代表的なものである。
【００３０】
好ましいポリマーは水溶性のアミンオキシド部分を含有する。アミンオキシドの部分的な正電荷が表面基材の表面に接着し、従って水をより容易にシート化する働をするものと思われる。アミンオキシド部分は、硬い表面基材、例えばセラミックタイル、ガラス、繊維ガラス、磁器エナメル、リノリウム、ノンワックスタイル、及び消費者の家庭で通常出くわす他の硬い表面と水素結合されうる。ポリマーがより良いシート化を促進することに関しては、より高い分子量の物質が好ましい。分子量の増加はアミンオキシドベースのポリマーの効率及び効果を改良する。本発明の好ましいポリマーは少なくとも１つのN-オキシド基を含有する１つ以上のモノマー単位を有する。前記ポリマーを形成する少なくとも約１０％、好ましくは約５０％以上、より好ましくは約９０％以上のモノマーはアミンオキシド基を含有する。これらのポリマーは下記一般式により表される：
P(B)
式中、各Pはポリマーの骨格を形成するために結合している重合又は共重合可能な部分、例えばビニル部分、例えばＣ(Ｒ)2--Ｃ(Ｒ)2｛式中、各ＲはＨ、Ｃ1−Ｃ12(好ましくはＣ1−Ｃ4)のアルキル(レン)、Ｃ6−Ｃ12アリール(レン)及び／又はＢである｝から選ばれ；Ｂは置換又は未置換の、線状及び環状Ｃ1−Ｃ12のアルキル、Ｃ1−Ｃ12のアルケニル、Ｃ1−Ｃ12の複素環、Ｃ6−Ｃ12の芳香族基から選ばれる部分であり、その際Ｂ部分の少なくとも１つは少なくとも１つのアミンオキシド(-Ｎ→Ｏ)基を有し；その際該ポリマーは典型的にはアミンオキシド基を含有する少なくとも約１０％〜約９０％のモノマーを含有し；そして該ポリマーの平均分子量は約2,000〜約500,000、好ましくは約5,000〜約250,000、より好ましくは約7,500〜約200,000である。
【００３１】
本発明の好ましいポリマーは、表面基材が消費者に魅力をなくさせるような目に見える残渣を残すことのない、予期せぬ持続的な性質を有する。好ましいポリマーとしては、ポリ(4-ビニルピリジンN-オキシド)ポリマー(PVNO)、例えば下記の部分を有するモノマーの重合により形成されるものがある：
【００３２】
【化１】
0003908535.tif 000002
【００３３】
その際、ポリマーの平均分子量は約2,000〜約500,000、好ましくは約5,000〜約400,000、より好ましくは約7,500〜約300,000である。一般に、高分子量のポリマーが好ましい。しばしば、高分子量のポリマーは、床のクリーニング適用において利益を与えることができる低レベルの湿化ポリマーの使用を可能にする。本発明において有用なポリマーの望ましい分子量の範囲は、400,000〜1,500,000の範囲の分子量が好ましいポリカーボネート、ポリスチレンスルホネート、及びポリエーテルベースの添加剤に関して従来分かっていたことに反している。本発明の好ましいポリ-アミンオキシドポリマーについての低分子量は、高分子量のポリマーの製造において多くの困難性があるためである。
【００３４】
アミンオキシドポリマーのレベルは、通常は最終使用組成物/溶液の約０．５重量％以下、好ましくは約０．００５重量％〜約０．４重量％、より好ましくは約０．０１重量％〜約０．３重量％であろう。
【００３５】
本発明の水溶性ポリマーとして使用することができるホモポリマー及びコポリマーの幾つかの非限定的な例は、アジピン酸/ジメチルアミノヒドロキシプロピルジエチレントリアミンコポリマー；アジピン酸/エポキシプロピルジエチレントリアミンコポリマー；ポリビニルアルコール；メタクロイルエチルベタイン/メタクリレートコポリマー；エチルアクリレート/メチルメタクリレート/メタクリル酸コポリマー；ポリアミン樹脂；ポリ４級アミン樹脂；ポリ(エテニルホルムアミド)；ポリ(ビニルアミン)ヒドロクロリド；ポリ(ビニルアルコール-コ−6％ビニルアミン)；ポリ(ビニルアルコール-コ−12％ビニルアミン)；ポリ(ビニルアルコール-コ−6％ビニルアミンヒドロクロリド)；ポリ(ビニルアルコール-コ−12％ビニルアミンヒドロクロリド)；及びそれらの混合物である。好ましくは、前記コポリマー及び／又はホモポリマーは、アジピン酸/ジメチルアミノヒドロキシプロピルジエチレントリアミンコポリマー；ポリ(ビニルピロリドン／ジメチルアミノエチルメタクリレート)コポリマー；ポリビニルアルコール；エチルアクリレート/メチルメタクリレート/メタクリル酸コポリマー；メタクロイルエチルベタイン/メタクリレートコポリマー；ポリ４級アミン樹脂；ポリ(エテニルホルムアミド)；ポリ(ビニルアミン)ヒドロクロリド；ポリ(ビニルアルコール-コ−6％ビニルアミン)；ポリ(ビニルアルコール-コ−12％ビニルアミン)；ポリ(ビニルアルコール-コ−6％ビニルアミンヒドロクロリド)；ポリ(ビニルアルコール-コ−12％ビニルアミンヒドロクロリド)；及びそれらの混合物；からなる群から選ばれる。
【００３６】
本発明において有用なポリマーは、親水性モノマーの共重合体からなる群から選ぶことができる。該ポリマーは線状ランダム又はブロックコポリマー、及びそれらの混合物であることができる。ここで使用される用語「親水性」とは、水に対する親和性を有する標準的な意味と調和するものである。ここで使用されるように、コポリマーを含むポリマー物質とモノマー単位の関係においては、「親水性」とは実質的に水溶性であることを意味する。これに関して、「実質的に水溶性」とは蒸留(又はこれと等価の)水中、２５℃で、約０．２重量％の濃度で可溶な物質を云い、好ましくは約１重量％で可溶である。用語「可溶な」、「溶解度」などは、当業者にはよく理解されているように、水に又は他の溶剤に溶解して均一な溶液を形成することができる、適用しうるようなモノマー又はポリマーの最高濃度に相当する。
【００３７】
有用な親水性モノマーの非限定的な例は、不飽和有機モノ-及びポリカルボン酸、例えばアクリル酸、メタクリル酸、クロトン酸，マレイン酸及びその半エステル、及びイタコン酸；不飽和アルコール、例えばビニルアルコール及びアリルアルコール；極性ビニル複素環、例えばビニルカプロラクタム、ビニルピリジン、及びビニルイミダゾール；ビニルアミン；ビニルスルホネート；不飽和アミド、例えばアクリルアミド、例えばN,N-ジメチルアクリルアミド及びN-t-ブチルアクリルアミド；ヒドロキシエチルメタクリレート；ジメチルアミノエチルメタクリレート；上記の酸及びアミンの塩など；及びそれらの混合物である。いくつかの好ましい親水性モノマーは、アクリル酸、メタクリル酸、N,N-ジメチルアクリルアミド、N,N-ジメチルメタクリルアミド、N-t-ブチルアクリルアミド、ジメチルアミノエチルメタクリレート、及びそれらの混合物である。
【００３８】
ポリカルボキシレートポリマーは、少なくとも幾つかのカルボキシル官能基を有するモノマーの重合により形成されるものである。通常のモノマーとしては、アクリル酸、マレイン酸、エチレン、ビニルピロリドン、メタクリル酸、メタクロイルエチルベタインなどがある。持続性について好ましいポリマーはより高い分子量を有するものである。例えば、約10,000以下の分子量を有するポリアクリル酸は特に持続性ではなく、従って、全ての組成物による３回の再湿化については通常は親水性を与えないが、高レベルで及び／又は両性及び／又は双性界面活性剤のようなある種の界面活性剤により分子量を約1,000以下に下げたものはある程度の結果を与えることができる。一般に、ポリマーは約10,000以上、好ましくは約20,000以上、より好ましくは約300,000以上、さらにより好ましくは約400,000以上の分子量を有すべきであることがわかった。より高い分子量、例えば3,000,000以上の分子量を有するものは配合することが非常に困難であり、低分子量のポリマーよりも抗スポット化利益を与える効果が少ない。従って、分子量は通常、特にポリアクリレートについては、約20,000〜約3,000,000、好ましくは約20,000〜約2,500,000、より好ましくは約300,000〜約2,000,000、さらにより好ましくは約400,000〜約1,500,000であるべきである。
【００３９】
幾つかのポリアクリレートポリマーの利点はこのようなポリマーの洗剤用ビルダー効果である。このようなポリマーは、他の洗剤用ビルダーのように、薄膜化/縞化が増大するが、該ポリマーは粒状物を含む除去困難な典型的な汚れについて高められたクリーニング効果を与える。
【００４０】
幾つかのポリマー、特にポリカルボキシレートポリマーは水性液体である組成物を増粘する。これは望ましいことである。しかしながら、組成物を引き金式スプレー装置で容器に入れた場合、組成物は望ましく濃厚にはならないので過剰の引き金圧を必要とする。典型的には、せん断下の粘度は２００ｃｐ以下、好ましくは１００ｃｐ以下、より好ましくは５０ｃｐ以下であるべきである。しかしながら、組成物が表面、特に垂直表面から流れ落ちることを防止するために、組成物を濃厚にすることが望ましい。
【００４１】
本発明で使用されるポリマーの非限定的な例としては、ISPよりAcryldoneの商品名で販売されているポリ(ビニルピロリドン/アクリル酸)及びRohm  ＆  HaasよりAccumerの商品名で販売されているポリ(アクリル酸)がある。他の適当な物質としては、Versaflexの商品名でNational  Starch  and  Chemical  Companyから販売されているスルホン化ポリスチレンポリマー、特にVersaflex  700がある。
【００４２】
ポリマー物質のレベルは通常約０．５％以下、好ましくは約０．０１％〜約０．４％、より好ましくは約０．０１％〜約０．３％である。一般に、低分子量ポリ(アクリル酸)のような低分子量の物質、例えば低分子量ポリ(アクリル酸)、例えば10,000以下、特に2,000以下の分子量のものは、特に低レベル、例えば約０．０２％で再湿化した際に良好な抗スポット化利益を与えない。より効果的な物質のみを低レベルで使用すべきである。低分子量の物質を使用するためには、例えば表面への接着性を改良する基、例えばカチオン性基を加えることにより持続性を増大すべきであり、或いは該物質を高いレベルで、例えば約０．０５％以上使用すべきである。
【００４３】
ｂ．界面活性剤
本発明の組成物にポリマーが存在しない場合は、組成物は通常好ましい界面活性剤、例えばアルキルポリサッカリド、又はアルキルエトキシレートを含むノニオン性界面活性剤の１つを含有するであろう。ここでの使用に好ましい界面活性剤は、Giret,  Michel  Joseph；Langlois,  Anne;及びDuke,  Roland  Philipの米国特許第5,776,872号(1998年7月7日発行)；Fuman,  Christopher  Alen; Giret,  Michel  Joseph；及びDunber,James  Chaariesの米国特許第5,883,059号(1999年3月16日発行)；Addisn,  Michael  Crombie;Foley,Peter  Robert；及びAndrew  Michelの米国特許第5,883,062号(1999年3月16日発行)；Ouzounis,  Dimitrios及びNiehaus,  Wolfgangの米国特許第5,906,973号(1999年5月23日発行)に記載のアルキルポリサッカリドである。これらの特許はここに参考として合体される。
【００４４】
ここでの使用に適するアルキルポリサッカリドは、ここに参考として合体されるLlenadoの米国特許第4,5565,647号(1986年1月21日発行)に開示されており、約６〜約３０、好ましくは約１０〜約１６の炭素原子を有する親水性基及びポリサッカリド、例えばポリグリコシド親水性基を有している。すすぎ無しの使用に適する酸性又はアルカリ性のクリーニング組成物/溶液については、好ましいアルキルポリサッカリドは、これらが湿化性、クリーニング性、及び乾燥の際の低残渣のベストな組み合せを与えるように、好ましくは広い分布の鎖長さを含有する。この「広い分布」とは、約１０〜約１６の炭素原子を有する少なくとも約５０％の鎖長混合物により定義される。好ましくは、アルキルポリサッカリドのアルキル基は、好ましくは約６〜約１８、より好ましくは約８〜約１６の炭素原子の鎖長の混合物及び分子当たり約１〜約１．５のサッカリド、好ましくはグルコシド基を含有する親水性基からなる。広範な鎖長混合物、特にＣ8−Ｃ16は、狭い範囲の鎖長混合物、特に低(Ｃ8−Ｃ10又はＣ8−Ｃ12)鎖長のアルキルポリグルコシドに対して、非常に好ましい。好ましいＣ8−Ｃ16のアルキルポリグルコシドは低く且つ狭い鎖長のアルキルポリグルコシド、並びにＣ8−Ｃ14のアルキルエトキシレートを含む他の好ましい界面活性剤に対して，より改良された香料の溶解性を与えることがわかった。５又は６の炭素原子を含有する還元性サッカリド、例えばグルコース、ガラクトースを使用することができ、ガラクトシル部分はグルコシル部分で置き換えることができる。（場合により、親水性基は2-、3-、4-などの位置に結合して、グルコシド又はガラクトシドに対するようにグルコース又はガラクトースを与える）。内部のサッカリド結合は、例えば付加的なサッカリド単位とサッカリド単位の2-、3、-4-及び／又は6-の位置の間にあることができる。グルコシルは好ましくはグルコースから導かれる。
【００４５】
場合により、あまり望ましくはないが、疎水性部分とポリサカリド部分を結合するポリアルキレンオキシド鎖を有することができる。好ましいアルキレンオキシドはエチレンオキシドである。典型的な疎水性基としては、飽和又は不飽和の，分岐又は非分岐の、約８〜約１８、好ましくは約１０〜約１６の炭素原子を有するアルキル基である。好ましくは、アルキル基は直鎖飽和アルキル基である。アルキル基は約３つのヒドロキシル基を含有し及び／又はポリアルキレンオキシド鎖は約１０まで、好ましくは５未満のアルキレンオキシド部分を含有することができる。適当なアルキルポリサッカリドは、オクチル、ノニルデシル、ウンデシル、ドデシル、トリデシル、テトラデシル、ペンタデシル、ヘキサデシル、ヘプタデシル、及びオクタデシル、ジ-、トリ-、テトラ-、ペンタ−及びヘキサグルコシド及び／又はガラトースである。適当な混合物としては、ココナッツアルキル、ジ-、トリ-、テトラ-及びペンタグルコシド及びタロウアルキルテトラ-、ペンタ-及びヘキサグルコシドがある。
【００４６】
これらの化合物を製造するには、アルコール又はアルキルポリエトキシアルコールが先ず形成され、ついでグルコース、又はグルコース源と反応させて(1-位で接する)グルコシドを形成させる。ついで、付加的なグルコシル単位はその1-位とグリコシル単位2-、3-、4-及び／又は6-位、好ましくは主に2-位の間に結合されていることができる。
【００４７】
アルキルポリグルコシドにおいては、アルキル部分は脂肪、オイル又は化学的に製造されるアルコールのような通常の源から導かれるが、糖部分は加水分解されたポリサッカリドから造られる。アルキルポリサッカリドは脂肪アルコール及び相対的な親水性を定義する多数のグルコース単位を有するグルコースのような糖の縮合生成物である。上記したように、糖単位は反応の前又は後に、脂肪アルコールで付加的にアルコキシル化することができる。このようなアルキルポリサッカリドは例えばWO  86/05199に詳しく記載されている。工業的なアルキルポリサッカリドは、一般に分子的に均一な製品ではなく、アルキル基の混合物及びモノサッカリドと異なるオリゴサッカリドの混合物である。アルキルポリグルコシド(以下、しばしば、APGという)は、他の界面活性剤に比して表面外観について付加的な改良を与えるから、本発明の目的には好ましい。グルコシド部分はグルコース部分が好ましい。アルキル置換基は約８〜約１８、好ましくは約８〜約１０の炭素原子を有する飽和又は不飽和アルキル部分、又はこのようなアルキル部分の混合物が好ましい。Ｃ8−Ｃ16のアルキルポリグルコシドは商業的に入手可能である（例えば、Seppic  Corp.からのSimusol(商品名)界面活性剤、Henkelから入手可能なGlucopon(商品名)）。しかしながら、アルキルポリグルコシドの純度は性能、特に毎日のシャワー製品技術を含む、ある適用における最終結果に影響を与えることわかった。本発明においては、好ましいアルキルポリグルコシドは個人のクリーニングへの使用について十分に純粋であるものである。化粧品グレードのアルキルポリグルコシド、特にＣ8−Ｃ16のアルキルポリグルコシド、例えばHenkel  Corp.から入手可能なPlantaren  2000(商品名)、Plantaren N(商品名)、及びPlantaren N  UP(商品名)が最も好ましい。
【００４８】
床、カウンター、壁などへの適用に関しては、好ましいノニオン性界面活性剤の他のクラスはアルキルエトキシレートである。本発明のアルキルエトキシレートは線状又は分岐状であり、約８〜約１４の炭素原子及び約４〜約２５のエチレンオキシド単位を含有する。アルキルエトキシレートの例としては、Shell  Corp.より供給されるNeodol(商品名)91-6、Neodol  91-8及びVista  Corp.から供給されるAlfonic(商品名)810-60がある。より好ましい界面活性剤は約９〜約１２の炭素原子及び約４〜約８のエチレンオキシド単位を含有するアルキルエトキシレートである。これらの界面活性剤はしばしば優れたクリーニング利益を与え且つ必要な親水性ポリマーと相乗的に働く。最も好ましいアルキルエトキシレートはＣ11ＥＯ5であり、Neodol  1-5の商品名でShell  Chemical  Co.から入手可能である。界面活性剤は、望ましい湿化性及びクリーニング性を与えることがわかり、本発明の湿化ポリマーを含むマトリックス中で、好ましいＣ8−Ｃ16のアルキルポリグルコシドと有利に組み合せることができる。理論に限定されないが、Ｃ8−Ｃ16のアルキルポリグルコシドは、特に、優れたクリーニングのために好ましいアルキルエトキシレートを必要とする場合に、好ましいアルキルエトキシレートを付加的に含有する組成物において、優れた最終結果(即ち、霞みの減少)を与えることができるものと思われる。好ましいＣ8−Ｃ16のアルキルポリグルコシドは、アルキルエトキシレートを含有する組成物の香料溶解性を改良することがわかった。高レベルの香料は消費者の許容のためには有利である。
【００４９】
本発明の液体組成物の使用は比較的低レベルの活性物質により準備される。典型的には、後記するように、組成物は、硬い表面クリーナーが経済的に残るように効果的に十分な界面活性剤と任意の溶剤を含有し、従って、組成物はその約０．００５重量％〜約０．５重量％、より好ましくは約０．００１重量％〜約０．４重量％、最も好ましくは約０．０１重量％〜約０．３重量％の界面活性剤、好ましくはアルキルポリグルコシド及び／又はＣ8-14のアルキルエトキシレート界面活性剤を含有する。低いよりむしろ高いレベルの界面活性剤の使用が全体の最終結果の性能に有利であることわかった。主たる界面活性剤系が好ましいアルキルエトキシレートを含む場合は、最終結果の霞み度が特定の共界面活性剤により軽減されることもわかった。これらの好ましい共界面活性剤はＣ8のスルホネート及び／又はPoly-Tergent  CS-1であり、下記ｄ．でさらに述べる。
【００５０】
ｃ．任意の有機クリーニング溶剤
組成物は、場合により１種以上の有機クリーニング溶剤を有効なレベルで、典型的には組成物の約０．２５重量％以下で、少なくとも約０．５重量％、好ましくは少なくとも約０．３重量％で約７重量％以下、好ましくは約５重量％以下で含有することができる。
【００５１】
界面活性剤は有機クリーニング溶剤の存在なしでも、クリーニング性及び／又は湿化性を与える。しかしながら、クリーニング性は通常適切な有機クリーニング溶剤の使用によりさらに改良される。有機クリーニング溶剤とは、浴室で通常遭遇するような汚れを除去するのに界面活性剤を援助する薬剤を意味する。有機クリーニング溶剤は、必要ならば、粘度の増強に関与することができ、組成物の安定性を高める。Ｃ8-16アルキルポリサッカリド及び／又はＣ8-14アルキルエトキシレートを含有する組成物は、該溶剤が存在する場合は、泡立ちが低い。従って、泡立ち性は配合での疎水性溶剤のレベルの調節により大部分はコントロールできる。
【００５２】
このような溶剤は、典型的には、適当な度合いの疎水性、及び好ましくは表面活性を与えるために、１〜３のエチレングリコール又はプロピレングリコール部分に結合したＣ3-Ｃ6の末端炭化水素を有する。エチレングリコール化学に基づく、商業的に入手可能な疎水性クリーニング溶剤の例としては、モノ-エチレングリコールｎ-ヘキシルエーテル(Union  Carbideから入手可能なCellosolve(商品名))がある。プロピレングリコール化学に基づく、商業的に入手可能な疎水性クリーニング溶剤の例としては、プロピル又はブチルアルコールのジ-及びトリ-プロピレングリコール誘導体があり、Arco  Chemical及びDow  ChemicalからArcosolv及びDowanolの商品名で入手可能である。
【００５３】
本発明に関して，好ましい溶剤はモノ-プロピレングリコールモノ-プロピルエーテル；ジ-プロピレングリコールモノ-プロピルエーテル；モノエチレングリコールモノブチルエーテル；トリプロピレングリコールモノブチルエーテル；エチレングリコールモノブチルエーテル；ジ-エチレングリコールモノブチルエーテル；エチレングリコールモノヘキシルエーテル；ジ-エチレングリコールモノヘキシルエーテル；及びそれらの混合物からなる群から選ばれる。「ブチル」はｎ-ブチル、イソブチル及びｔ-ブチ基を包含する。モノ-プロピレングリコール及びモノ-プロピレングリコールモノ-ブチルエーテルは最も好ましいクリーニング溶剤であり、Dow  ChemicalからDowanol  DPｎP(商品名)及びDowanol  DPｎB(商品名)として入手可能である。ジ-プロピレングリコールモノ-ｔ-ブチルエーテルはArco  ChemicalからArcosolv  PTBの商品名で商業的に入手可能である。
【００５４】
有機クリーニング溶剤の量は組成物中に存在する他の成分の量により変えることができる。疎水性クリーニング溶剤は通常、床のクリーニングの適用において、良好なクリーニング性を与えるのを助ける。
【００５５】
閉鎖された空間のクリーニングでは、溶剤は望ましくない小さな呼吸しうる液滴が形成されるので、このような空間の処理に使用される組成物/溶液は実質的にこのような溶剤がない、好ましくは完全にないことが望ましい。
【００５６】
ｄ．任意の付加的な共界面活性剤
本発明の液体組成物は場合により、少量の付加的な共界面活性剤、例えばアニオン性及び／又はノニオン性洗剤用界面活性剤を含有することができる。このようなアニオン性界面活性剤は典型的には、約８〜約１８、好ましくは約８〜約１６の炭素原子を有する疎水性鎖を含有し、典型的にはスルホネート又はカルボキシレート親水性の頭部基を包含する。一般に、本発明の組成物中の、任意の、例えばアニオン性共界面活性剤のレベルは、組成物の約０．０１重量％〜約０．２５重量％、より好ましくは約０．０１重量％〜約０．２重量％、最も好ましくは約０．０１重量％〜約０．１重量％である。
【００５７】
床、カウンター及び他の表面用に関しては、共界面活性剤の選択はタイプ及びレベルの選択と共に重要である。Ｃ8-14のアルキルエトキシレートを含有する組成物においては、低レベルのＣ8スルホネートは「色合い(Toning)」効果を与えることにより最終結果が改良されることがわかった。色合いとは、霞が殆どないために最終結果の目に見える外観における改良を意味する。Ｃ8スルホネートは、存在させる場合は、主たる界面活性剤に対して約１：１０重量比〜約１：１重量比で使用することが好ましい。Ｃ8スルホネートは、StepanからBio-Terge  PAS-8の商品名で、並びにWitco  Corp.からWitconate  NAS-8の商品名で商業的に入手可能である。本発明に有利な他の「色合い」界面活性剤はBASFから購入可能なPoly-Tergent  CS-1である。Poly-Tergent  CS-1は、存在させる場合は、主たる界面活性剤に対して約１：２０重量比〜約１：１重量比で使用することが好ましい。
【００５８】
典型的には低レベルで使用可能であるがあまり好ましくない他の界面活性剤としては、Ｃ8-18のアルキルスルホネート(HoechstからのHostapur  SAS(商品名))、Ｃ10-14の線状又は分岐アルキルベンゼンスルホネート、Ｃ9-15のアルキルエトキシカルボキシレート洗剤用界面活性剤(Shell  Chemical  Corp.から入手可能なNeodox(商品名))、Ｃ10-14のアルキルスルフェート及びエトキシスルフェート(例えばStepanからのStepanol  AM(商品名))がある。アルキルエトキシカルボキシレートは香料を溶解するために、非常に低いレベル(約０．０１％以下)で使用するのが有利である。これは、最も効果的である本発明とって必要な低いレベルの活性を与える重要な利益である。
【００５９】
ここで使用される代わりのノニオン性洗剤用界面活性剤は、アルコキシル化されたアルコールであり、一般に該アルコールの疎水性アルキル鎖中に約６〜約１６の炭素原子を含有するものである。典型的なアルキル化基は、プロポキシ基及びプロポキシ基とエトキシ基の組み合せである。このような化合物はRhodiaからAntraoxの商品名で商業的に入手可能であり、広範で種々の鎖長とアルキル化度を有している。エチレンオキシドとプロピレンオキシドのブロックコポリマーも使用することができ、BASFからPluronicの商品名で入手可能である。本発明で使用される好ましいノニオン性洗剤用界面活性剤は式：Ｒ(Ｘ)ｎＨで示され、式中Ｒは約６〜約１６、好ましくは約８〜約１２の炭素原子を有するアルキル鎖であり、Ｘはプロポキシ基又はエトキシ基とプロポキシ基の混合であり、ｎは約４〜約３０、好ましくは約５〜約８の整数である。使用することができる他のノニオン性界面活性剤としては、糖のような天然源から導かれるもの、及びＣ8-16のN-アルキルグルコースアミド界面活性剤がある。ノニオン性界面活性剤が存在する場合の濃度は組成物の約０．０１重量％〜約０．２重量％、より好ましくは約０．０１重量％〜約０．１重量％である。
【００６０】
ｅ．モノ−及びポリカルボン酸
石鹸の浮きかす及び硬水の汚れの除去の目的には、組成物は約２〜約５、より好ましくは約３のｐＨの酸性にすることができる。酸性度は、少なくとも一部は、約５以下、好ましくは約４以下のｐＫを有する１種以上の有機酸の使用により、成し遂げられる。このような有機酸は、必要ならば，濃厚化のための相形成を援助することができ、そして硬水汚れ除去性を与える。有機酸は、本発明の組成物の枠内での良好な硬水汚れ除去性の促進において非常に効率的であることがわかった。低いｐＨ及び１種以上の有機酸の使用は殺菌利益に有利であることもわかった。
【００６１】
適当なモノ−カルボン酸の例としては、酢酸、グルコン酸、又はβ-ヒドロキシプロピオン酸などがある。適当なポリカルボン酸の例としては、くえん酸、酒石酸、琥珀酸、グルタル酸、アジピン酸、及びそれらの混合物がある。このような酸は商取引で容易に入手可能である。より好ましいポリカルボン酸、特に高分子でないポリカルボン酸の例としては、くえん酸(Aldich  Corp.から入手可能)、「精製されたAGS二塩基酸」として販売され、Dupontから入手可能な琥珀酸、グルタル酸及びアジピン酸の混合物、マレイン酸(Aldrichから入手可能)、及びそれらの混合物がある。くえん酸は、特に石鹸の浮きかすのクリーニングに必要な適用に、最も好ましい。グリコール酸、及び琥珀酸、グルタル酸及びアジピン酸の混合物は硬水除去への大き利益を与える。本発明の組成物中の有機酸の量は、組成物の約０．０１重量％〜約１重量％、より好ましくは約０．０１重量％〜約０．５重量％、最も好ましくは約０．０２５重量％〜約０．２５重量％であることができる。
【００６２】
ｆ．臭い制御剤
ここで使用される用語「シクロデキストリン」とは、公知のいずれのシクロデキストリンをも包含し、例えば６から１２のグルコース単位を含有する不飽和のシクロデキストリンであり、特にα-シクロデキストリン、β-シクロデキストリン、γ-シクロデキストリン及び／又はそれらの誘導体及び／又はそれらの混合物がある。α-シクロデキストリンは６つのグルコース単位からなり、β-シクロデキストリンは７つのグルコース単位からなり、γ-シクロデキストリンはドーナツ型の環に配置された８つのグルコース単位からなる。このグルコースの特別の連結及び構造はシクロデキストリンに、特定容積の中空の内部を有する精密な円錐状の分子構造を与える。各内部の腔(cavity)の「ライニング(lining)」は水素原子及びグルコキシドを橋渡しする酸素原子により形成されているので、この表面は全く親水性である。腔のユニークな型及び物理的-化学的性質は、腔にぴったり入り込むことができる有機分子又はその一部(とのコンプレックスを含む形態)を吸収することを可能にする。多くの悪臭分子及び香料分子を含む多くの臭い分子は腔にぴったり入り込むことができる。従って、シクロデキストリン、及び特に異なるサイズ腔を有するシクロデキストリンは、反応性官能基を有することがある幅広いスペクトルの有機臭い分子により生ずる臭いを制御するために使用することができる。シクロデキストリンと臭い分子との錯化は水の存在下に素早く起こる。しかしながら、錯体形成の程度は吸収された分子の極性に依存する。水性溶液では、強い親水性分子(非常に水溶性であるもの)は部分的に吸収されるだけである。従って、シクロデキストリンは、湿った表面に低レベルで存在する場合には、幾つかの非常に低分子量の有機アミン及び酸と効果的には錯化されない。水が除去されているとき、例えば表面が乾いているときは、幾つかの低分子量の有機アミン及び酸は、より親和性であり、シクロデキストリンとより容易に錯化されるであろう。
【００６３】
本発明の溶液中のシクロデキストリン内の腔は、溶液が表面に適用されたときに、シクロデキストリンが種々の臭い分子を吸収するために、溶液中にある限り、本質的に満たされない(シクロデキストリンは錯化されずにいる)。非誘導型(通常の)β-シクロデキストリンは、室温で約１．８５％(水１００ｇ中１．８５ｇ)の溶解度限界までのレベルで存在させることができる。β-シクロデキストリンは、その水溶解度限界より高いレベルのシクロデキストリンを要求する組成物には好ましくない。非誘導型β-シクロデキストリンは、それと適合しうる殆どの好ましい界面活性剤の表面活性に影響するから、組成物が界面活性剤を含有する場合は一般に好ましくない。
【００６４】
本発明の水性クリーニング溶液は澄んでいる(clear)ことが好ましい。ここでいう「澄んでいる」とは、約１０ｃｍ以下の厚さの層を通して観察したときに「水の澄んだ」ような、透明(transparent)又は半透明(translucent)であることを意味し、透明であることが好ましい。
【００６５】
好ましくは、本発明に用いられるシクロデキストリンは、非常に水溶性のもの、例えばα-シクロデキストリン及び／又はその誘導体、γ-シクロデキストリン及び／又はその誘導体、誘導型β-シクロデキストリン、及び／又はそれらの混合物である。シクロデキストリンの誘導体は主に、ＯＨの幾つかがＯＲ基に変換された分子からなる。シクロデキストリンの誘導体としては、例えばメチル化されたシクロデキストリン及びエチル化されたシクロデキストリンのような短鎖アルキル基を有するもの、その際Ｒはメチル基又はエチル基である；ヒドロキシアルキルで置換されたもの、例えばヒドロキシプロピルシクロデキストリン及び／又はヒドロキシエチルシクロデキストリンであり、その際Ｒは-ＣＨ2-ＣＨ(ＯＨ)-ＣＨ3又は-ＣＨ2-ＣＨ2-ＯＨ基である；分岐シクロデキストリン、例えばマルトース結合；カチオン性シクロデキストリン、例えば2-ヒドロキシ-3-(ジメチルアミノ)プロピルエーテルであり、その際ＲはＣＨ2-ＣＨ(ＯＨ)-ＣＨ2-Ｎ(ＣＨ3)2であり、低ｐＨでカチオン性である；４級アンモニウム、例えば2-ヒドロキシ-3-(トリメチルアンモノ)プロピルエーテルクロリド基であり、その際ＲはＣＨ2-ＣＨ(ＯＨ)-ＣＨ2-Ｎ+(ＣＨ3)3Ｃｌ-である；アニオン性シクロデキストリン、例えばカルボキシメチルシクロデキストリン、シクロデキストリンスルフェート、及びシクロデキストリンスクシニレート；両性シクロデキストリン、例えばカルボキシメチル/４級アンモニウムシクロデキストリン；少なくとも１つのグルコピラノース単位が3-6-アンヒドロ-シクロマルト構造を有するシクロデキストリン、例えばモノ-3-6-アンヒドロシクロデキストリン（ここに参考として合体されるF.Diedaini-Pilard及びB.Perlyの“Optimal  Performances  with  Minimal  Chemical  Modification  of  Cyclodextrins”,第7回シクロデキストリンシンポジウム(1994年4月)の要約書４９頁に開示されている）；及びそれらの混合物がある。他のシクロデキストリン誘導体はParmertetらの米国特許第3,426,011号(1969年2月4日発行)；Parmertetらの米国特許第3,453,257号、第3,453,258号、第3,453,259号、第3,453,260号(1969年7月1日発行)；Grameraらの米国特許第3,553,191号(1969年8月5日発行)；Parmertetらの米国特許第3,565,887号(1971年2月23日発行)；Szejtliらの米国特許第4,535,152号(1985年月8日13発行)；Hiraiらの米国特許第4,616008号(1986年10月7日発行)；Oginoらの米国特許第4,678,598号(1987年7月7日発行)；Brandtらの米国特許第4,638,058号(1987年1月20日発行)；及びTsuchiyamaらの米国特許第4,746,734号(1988年5月24日発行)に開示されており、これら特許はここに参考として合体される。
【００６６】
非常に水溶性のシクロデキストリンは、室温で１００ｍｌの水に少なくとも約１０ｇ、好ましくは少なくとも約２０ｇ、より好ましくは少なくとも約２５ｇの水溶解度を有するものである。溶解された未錯化シクロデキストリンは本質的に有効であり効率的な臭い制御性能を有する。溶解された水溶性シクロデキストリンは、表面に沈着したときに、非水溶性のシクロデキストリンよりもより効率的な臭い制御性能を示す。
【００６７】
ここで使用される好ましい水溶性シクロデキストリン誘導体の例は、ヒドロキシプロピルα-シクロデキストリン、メチル化α-シクロデキストリン、メチル化β-シクロデキストリン、ヒドロキシエチルβ-シクロデキストリン、及びヒドロキシプロピルβ-シクロデキストリンである。ヒドロキシアルキルシクロデキストリン誘導体は好ましくは約１〜約１４、好ましくは約１．５〜約７の置換度を有し、その際シクロデキストリン当たりのＯＲの総数は置換度により定義される。メチル化α-シクロデキストリン誘導体は典型的には、約１〜約１８、好ましくは約３〜約１６の置換度を有する。公知のメチル化β-シクロデキストリンはヘプタキス-2,6-ジ-O-メチル-β-シクロデキストリンであり、通常DIMEBとして知られており、その際各グルコース単位は約１４の置換度を有する約２つのメチル基を有する。好ましい、より商業的に入手可能なメチル化β-シクロデキストリンはランダムにメチル化されたβ-シクロデキストリンで、通常RAMEBとして知られ通常は約１２．６の異なる置換度を有する。DIMEBはRAMEBよりも好ましい界面活性剤の表面活性に影響を与えるから、RAMEBはDIMEBより好ましい。好ましいシクロデキストリンは、例えばCerestar  USA及びWacker  Chemicals  Inc.から入手可能である。
【００６８】
シクロデキストリンの混合物の使用も好ましい。このような混合物は幅広い範囲の分子サイズを有する幅広い範囲の臭い分子と錯化することによりより広範に臭いを吸収する。シクロデキストリンの少なくとも一部分は、α-シクロデキストリン及び／又はその誘導体、γ-シクロデキストリン及び／又はその誘導体、及び／又は誘導型β-シクロデキストリンであり、より好ましくは誘導型α-シクロデキストリンと誘導型β-シクロデキストリンの混合物、最も好ましくはヒドロキシプロピル誘導型α-シクロデキストリンとヒドロキシプロピル誘導型β-シクロデキストリンの混合物、及び／又はメチル化α-シクロデキストリンとメチル化β-シクロデキストリンの混合物である。
【００６９】
本発明の使用組成物は低レベルのシクロデキストリンを含有することが好ましく、通常の使用レベルでは目に見える残渣は現れない。好ましくは、使用条件下で表面の処理に使用される溶液は乾燥したときには実質上認められない。使用条件での使用組成物中のシクロデキストリンの典型的なレベルは、組成物の約０．０１重量％〜約１重量％、好ましくは約０．０５重量％〜約０．７５重量％、より好ましくは約０．１重量％〜約０．５重量％である。高濃度の組成物は許容できない可視残渣を残す。
【００７０】
ｇ．任意の過酸化物源
本発明の組成物は、さらなる殺菌、静菌，及び殺真菌利益のために、ある種の過酸化物、例えば過酸化水素、又は過酸化水素源を含有することができる。本発明の組成物は実質的に過酸化物の使用に適合性がある。好ましい過酸化物としてはベンゾイルパーオキシド及び過酸化水素がある。これらは場合により、約０．０５％〜約５％、より好ましくは約０．１％〜約３％、最も好ましくは約０．２％〜約１．５％のレベルで本発明の組成物中に存在させることができる。
【００７１】
過酸化物が存在する場合は、安定な系を与えることが望ましい。適当な安定な系は公知である。好ましい安定な系は、組成物の約０．０１重量％〜約０．５重量％、好ましくは約０．０１重量％〜約０．２５重量％、より好ましくは約０．０１重量％〜約０．１重量％のレベルで存在するラジカルスカベンジャー及び／又は金属キレート化剤からなる。ラジカルスカベンジャーの例としては、高酸化剤、例えばプロピルガレート、ブチル化ヒドロキシトルエン(BHT)、ブチル化ヒドロキシアニソール(BHA)などがある。適当な金属キレート化剤としては、ジエチレントリアミンペンタ-アセテート、ジエチレントリアミンペンタ-メチレンホスホネート、ヒドロキシエチルジホスホネートなどがある。
【００７２】
ｈ．任意の増粘化ポリマー
低レベルのポリマーは、本発明の好ましい水性組成物を増粘するために使用することもできる。与えられるポリマーは親水性ポリマー又は増粘化ポリマーが考慮されるが、このようなポリマーとしては本発明の目的のためには親水性ポリマーが考慮される。一般に、増粘化ポリマーのレベルは、製品の最終結果の性質が妨げられないようにできるだけ低く保たれる。キサンタンガムは、特に低濃度で使用される場合に最終結果の性質を高めるので、特に好ましい増粘化ポリマーである。増粘化ポリマー剤は組成物の約０．００１重量％〜約０．１重量％、より好ましくは約０．００２５重量％〜約０．０５重量％、最も好ましくは約０．００５重量％〜約０．０２５重量％で存在する。
【００７３】
ｉ．水性溶剤系
水性である組成物は組成物の少なくとも約８０重量％、より好ましくは約８０重量％〜約９９重量％の水性溶剤を含有する。水性組成物は典型的にはミセル形態であり、十分なミセルの膨潤を誘導する実質的なレベルの水不溶性の成分を混入していない。
【００７４】
水性溶剤系は，水と共に、洗剤用組成物中に典型的に見出される低分子量の高水溶性の溶剤、例えばエタノール、イソプロパノールなどを含有することもできる。これらの溶剤は活性が低い組成物に殺菌性を与えるために使用することができる。従って、該溶剤は全香料レベルが非常に低い組成物に特に有用である。実際に、高揮発性溶剤は「リフト(lift)」を与え、香料の性質を高めることができる。高揮発性溶剤は、存在する場合は、典型的には組成物の約０．２５重量％〜約５重量％、より好ましくは約０．５重量％〜約３重量％、最も好ましくは約０．５重量％〜約２重量％存在する。このような溶剤の例としては、メタノール、エタノール、イソプロパノール、ｎ-ブタノール、イソ-ブタノール、2-ブタノール、ペンタノール、2-メチル-1-ブタノール、メトキシメタノール、メトキシエタノール、メトキシプロパノール、及びそれらの混合物がある。
本発明の組成物は他の溶剤、特にパラフィン及びイソパラフィンを含有することもでき、これらは組成物により生じる泡を実質的に減少させることができる。
【００７５】
ｊ．任意に泡抑制剤
ここで使用される適当なシリコーン泡抑制剤としてはシリコーン及びシリカ-シリコーン混合物がある。シリコーンは一般にアルキル化されたポリシロキサン物質で表されるが、シリカは種々のタイプの疎水性シリカ、シリカエアロゲル及びキセロゲルにより例示される微細に分割されたものが通常使用される。工業的実施においては、用語「シリコーン」は、種々のタイプのヒドロカルビル単位及びシロキサン単位を含有する比較的高分子量のポリマーの種々のものを包含する包括的な用語である。実際に、シリコーン化合物は技術文献に記載されており、例えばUS4,076,648；US 4,021,365；US 4,749,740；US 4,983,316及びEP150,872；EP217,501；及びEP499,364参照。ポリジオルガノシロキサン、例えばトリメチルシリル末端ブロック単位を有し且つ２５℃で５×１０-5m2/s〜０．１m2/sの粘度を有する、即ちｎの値が４０〜１５００の範囲のポリジメチルシロキサンが好ましい。これらは容易に入手可能で且つ比較的安価のために好ましい。
【００７６】
本発明の組成物において有用な好ましいタイプのシリコーン化合物は上記したタイプのアルキル化シロキサン及び固体のシリカを含有する。固体のシリカはヒュームドシリカ，沈降シリカ又はゲル形成技術で造られるシリカであることができる。シリカ粒子は、それをシリカに直接結合しているジアルキルシリル基及び／又はトリアルキルシリル基で処理することにより、又は珪素樹脂により疎水性にすることができる。好ましいシリコーン化合物は、１０ｍｍ〜２０ｍｍの範囲の粒度及び５０m2/g以上の比表面積を有する疎水性のシラン化された、最も好ましくはトリメチルシラン化されたシリカを含有する。本発明の組成物に使用されるシリコーン化合物は、シリコーン化合物全量当たり１〜３０重量％(より好ましくは２.０〜１５％)のシリカの量を有することが適しており、その場合２×１０-4m2/s〜１m2/sの範囲の平均粘度を有するシリコーン化合物となる。２×１０-2m2/s又は４．５×１０-2m2/sの粘度を有するシリコーン化合物が特に適している。
ここでの使用に適するシリコーン化合物は、Rhone  Puolenc、Fueller及びDow  Corningを含む種々の会社から入手可能である。ここで使用されるシリコーン化合物の例はDow  Corningから商業的に入手可能なSilicone  DB(商品名)  100及びSilicone  Emulsion  2-3597(商品名)である。
【００７７】
ｋ．任意の香料及び／又は付加的な補助剤
任意成分、例えば香料及び／又は付加的な補助剤も本発明組成物に混入することができる。
【００７８】
香料
任意であるが非常に好ましい成分は香料、通常は香料混合物である。ここで使用される香料は主にその嗅覚性の寄与のために加えられ、しばしばエタノールのような揮発性有機溶剤の使用により成し遂げられる香料の成分を包含する。
【００７９】
殆どの硬い表面クリーナーは嗅覚的に美的な利益を与え且つ製品が有することのある「化学的な」臭いを覆うためにある種の香料を含有する。香料中の高揮発性低沸点の香料成分の少量の留分の主な機能は、クリーニングされた表面の臭いに影響を与えるよりはむしろ、製品自身の芳香臭を改良することである。しかしながら、揮発性が殆どない高沸点香料成分は表面に新しく且つ清潔な印象を与えることができ、これらの成分は乾燥表面上に沈着及び存在することがしばしば望ましい。
【００８０】
香料はスポット化及び薄膜化を最少にするために、より水溶性の及び／又は揮発性のものが好ましい。ここで有用な香料はMichaelの米国特許第5,108,660号(1992年4月28日発行)の８欄４８〜６８行及び９欄１〜６８行及び１０欄１〜２４行に記載されており、該特許、特に前記部分はここに参考として合体される。
【００８１】
香料成分は天然製品、例えば精油、アブソルート、レシノイド、樹脂、コンクリートなど、及び／又は合成香料成分、例えば炭化水素、アルコール、アルデヒド、ケトン、エーテル、酸、アセタール、ケタール、ニトリルなどであり、これらは飽和又は不飽和化合物、脂肪族、炭素環状及び複素環状の化合物を含む。このような香料成分の例は、ゲラニオール、ゲラニルアセテート、リナロール、リナリルアセテート、テトラヒドロリナロール、シトロネロール、シトロネリルアセテート、ジヒドロミルセノール、ジヒドロミルセニルアセテート、テルピネオール、テルピニルアセテート、アセテート、2-ペニルエタノール、2-フェニルエチルアセテート、ベンジルアルコール、ベンジルサリチレート、ベンジルベンゾエート、ステアリルアセテート、アミルサリチレート、ジメチルベンジルカルビノール、トリクロロメチルフェニルカルビニルアセテート、ｐ-ｔ-ブチル-シクロヘキシルアセテート、イソノニルアセテート、α-ｎ-アミルシンナミックアルデヒド、α-ｎ-ヘキシルシンナミックアルデヒド、2-メチル-3-(ｐ-ｔ-ブチルフェニル)−プロパナール、2-メチル-3-(ｐ-イソプロピルフェニル)−プロパナール、トリシクロデセニルアセテート、トリシクロデセニルプロピオネート、4-(4-ヒドロキシ-4-メチルフェニル)-3-シクロヘキセンカルボアルデヒド、4-(4-ヒドロキシ-4-ペンテニル)-3-シクロヘキセンカルボアルデヒド、4-アセトキシ-3-ペンチル−テトラヒドロピラン、メチルジヒドロジャスモネート、2-ｎ-ヘプチル-シクロペンタノン、3-メチル-2-ペンチル-シクロペンタノン、ｎ-デカナール、ｎ-ドデカナール、9-デセノール-1、フェノキシエチルイソブチレート、フェニルアセトアルデヒドジメチルアセタール、フェニルアセトアルデヒドジセチルアセタール、ゲラノニトリル、シトロネロニトリル、セジリルアセテート、3-イソカンフィル-シクロヘキサノール、セリジルエーテル、イソロンギフォラノン、アウベピンニトリル、アウベピン、ヘリオトロピン、クマリン、オイゲノール、バニリン、ジフェニルオキシド、ヒドロキシシトノレラール、イオノン、メチルイオノン、イソメチルイオノン、アイロン、シス-3-ヘキセノール及びそのエーテル、インダンマスク、エチレンブラシレート、及び芳香族ニトロマスクである。本発明の組成物は典型的には全組成物の約０．１重量％〜約２重量％、好ましくは約０．１重量％〜約１重量％の香料成分又はそれらの混合物を含有する。過酸化物を含有する好ましい態様においては、香料は酸化剤と適合するように選ばれなければならない。
【００８２】
好ましい遂行においては、香料成分は疎水性且つ高揮発性であり、例えば約２６０℃以下、好ましくは約２５５℃以下、より好ましくは約２５０℃以下の沸点及び少なくとも約３、好ましくは約３．１以上、より好ましくは約３．２以上のClogPを有する成分である。
【００８３】
多くの成分のlogPが報告されている。例えばDatlight  Chemical  Information  Systems  Inc.(Daylight  CIS)から入手可能なPomona92データベースは、原典の引用と共に多くを含んでいる。しかしながら、logP値はDaylight  CISから入手可能な”CLOGP”プログラムにより計算するのが最も便利である。このプログラムはPomona92データベースにおいて利用可能である場合は実験的logP値をリストしている。”計算logP”(ClogP)は、Hamsch及びLeo(ここに参考として合体されるA.LeoのComprehensive  Medicinal  Chemistry,４巻，C.Hansch，P.G.Sammens，J.B.Taylor及びC.A.Ramsden編，295頁(Pergamon  Press)参照)のフラグメントアプローチにより決定される。フラグメントアプローチは各成分の化学構造をベースとし、原子の数及びタイプ、原子の接続性、及び化学結合を考慮している。最も現実的であり且つこの物理化学的性質についての推定が幅広く使用されるClogP値は、本発明で有用な主たる溶剤の選択において、実験的なlogP値に代えて好んで使用される。ClogPを計算するために使用することができる他の方法としては、例えばCrippenのフラグメント法(J.Chem.Inf.Comput.  Sci.,27,21(1987))；Viswanadhanのフラグメント法(J.Chem.Inf.Comput.Sci.,  29,163(1989))；及びBrotoの方法(Eur.J.Med.Chemm.-Chim.Theor.,  19,71(1984))がある。
【００８４】
他の補助剤
本発明の組成物は、さらなる活性剤及び洗剤用ビルダー、並びに主に美観用の成分を含む、種々の他の任意成分を含有することができる。
特に本発明の組成物のレオロジーは組成物中に懸濁している粒子、例えば研磨剤粒子に適するように造ることができる。
【００８５】
洗剤用ビルダー
硬い表面クリーナー用に効率的であり且つ臨界レベルで薄膜化/縞化特性を減ずる洗剤用ビルダーはもう一つの任意成分である。好ましい洗剤用ビルダーは、ポリカルボン酸の記述の一部として上記したカルボン酸洗剤用ビルダーであり、くえん酸、酒石酸が含まれる。酒石酸はクリーニング性を改良し、洗剤用ビルダーが硬い表面クリーナーに添加されている場合に薄膜化/縞化の問題を最少にすることができる。洗剤用ビルダーは洗剤構築を与えるレベルで存在し、そして上記の酸ｐＨ調節の一部ではないものは典型的には、組成物の約０．０１重量％〜約０．３重量％、好ましくは約０．００５重量％〜約０．２重量％、より好ましくは約０．０５重量％〜約０．１重量％のレベルで存在する。
【００８６】
緩衝剤
本発明の組成物は、他の種々の補助剤、例えば洗剤組成物の技術において公知の緩衝剤、防腐剤、及び抗菌剤を含有することができる。該補助剤は許されない薄膜化/縞化を生ずるレベルでは使用しないことが好ましい。緩衝剤は本発明の組成物における重要なクラスである。これは主に使用される低レベルの活性剤の結果として生ずるものである。理想的な緩衝剤系は、薄膜化/縞化の問題を導かないかぎり、所望の狭い範囲に亙るｐＨを維持するであろう。本発明に関して好ましい緩衝剤は高揮発性であり、使用時にクリーニング利益を与えるものである。このように、緩衝剤は、揮発性が殆どない対応する緩衝剤より高いレベルで使用することができる利点がある。このような緩衝剤は低分子量、即ち約１５０ｇ/モル以下を有する傾向があり、一般に１つ以下のヒドロキシ基を有する。好ましい緩衝剤の例としては、アンモニア、メタノールアミン、エタノールアミン、2-アミノ-2-メチル-1-プロパノール、2-ジメチルアミノ-2-メチル-1-プロパノール、酢酸、グリコール酸などがある。これらのうち最も好ましいものは、2-ジメチルアミノ-2-メチル-1-プロパノール及び酢酸である。これらの緩衝剤が使用される場合は、組成物の約０．００５重量％〜約０．５重量％のレベルで存在し、より揮発性の緩衝剤についてはより高いレベルがより好ましい。
【００８７】
非揮発性の緩衝剤も本発明では使用することができる。このような緩衝剤は一般に、薄膜化/縞化が増大するので、好ましいレベルより低いレベルで使用される。このような緩衝剤の例としては、ナトリウムカーボネート、カリウムカーボネート及びビカーボネート、1,3-ビス(アミノエチル)シクロヘキサン、ナトリウムシトレート、くえん酸、マレイン酸、酒石酸などがあるがこれらに限定されない。マレイン酸は、表面の損傷を誘発しない傾向のために、緩衝剤として特に好ましい。クエン酸も、登録されたEPA活性剤として抗菌利益を与えるから、望ましい。また、毎日のシャワー用に本発明の親水性ポリマーを含有する組成物においては、酸性度は湿化をより促進し且つより長い「シート化」効果を与えることがわかった。非揮発性の緩衝剤は、使用される場合は、組成物の約０．０１重量％〜約０．０５重量％で存在させる。
【００８８】
補助剤の非限定的な例は、プロテアーゼのような酵素；ヒドロトロープ、例えばナトリウムトルエンスルホネート、ナトリウムキュメンスルホネート、及びカリウムキシレンスルホネート；及び美観を高める成分、例えば着色剤であり、それらは薄膜化/縞化に悪影響を与えないことが条件である。
【００８９】
防腐剤及び抗菌剤
防腐剤も使用することができ、本発明の組成物が高レベルの水を含有するから、組成物の多くで必要とされることがある。防腐剤の例としてはAngus  Chemicalから販売されているブロノポール、ヘキシチジンがある。他の防腐剤としては、Katmon(商品名)、2-(ヒドロキシメチル)(アミノ)エタノール、プロピレングリコール、ナトリウムヒドロキシメチルアミノアセテート、ホルムアルデヒド及びグルタルアルデヒド、ジクロロ-ｓ-トリアジントリオン、トリクロロ-ｓ-トリアジントリオン、及びジオクチルジメチルアンモニウムクロリド、ジデシルジメチルアンモニウムクロリドを含む４級アンモニウム塩、Ｃ12、Ｃ14及びＣ16のジメチルベンジルがある。好ましい防腐剤としては、Aviciaから販売されている1,2-ベンツイソチアゾリン-3-オン、及びポリヘキサメチレンビグアニド、Aldrich-Sigmaから販売されているクロロヘキシジンジアセテート、Arch  Chmicalから販売されているナトリウムピリチオンがある。防腐剤は使用されるときは、約０．０００１％〜約０．０１％の濃度で存在させることが好ましい。これらの同じ防腐剤は表面の殺菌調節を与えるために機能するが、典型的には約０．００５％〜約０．１％の高いレベルで使用することが必要であろう。４級アンモニウム塩を含む他の抗菌剤を存在させることができるが、本発明においては高いレベル、即ち約０．０５％以上のレベルは好ましくない。このような化合物は、しばしば好ましいポリマーの利益を妨げることがわかった。特に、４級アンモニウム界面活性剤は硬い表面を親水性に変性する傾向がある。従って、好ましいポリマーは有意な濃度で４級アンモニウム界面活性剤を含有する組成物においては有効ではないことがわかった。ラウリルベタイン及びココアミドベタインを含む両性界面活性剤を用いた場合も類似の結果となることがわかった。カチオン性又は両性界面活性剤は、存在させる場合は、約０．１％以下、好ましくは約０．０５％以下のレベルであるべきである。オルソベンジル-ｐ-クロロフェノールのような多くの疎水性抗菌/抗かび剤は避けるべきである。このような物質は、存在させる場合は、約０．０５％以下のレベルに保つべきである。
【００９０】
浴室、床、カウンター、壁のクリーニングを含む組成物、及びガラス組成物
本発明は、すすぎを全く必要としないか、少し必要とする浴室、床、カウンター、壁及びその他の表面のクリーニング用組成物に関する。このような適用の例としては、直ぐに使える水性クリーナー及び希釈しうる水性の多目的クリーナーがある。これらの組成物は、後記するような、慣用のクリーニング方法、例えばスポンジ、モップ、紐モップ、帯モップ、布、紙タオル、ぼろぎれなどにより使用することができる。
【００９１】
Ａ．「毎日のシャワー」組成物
規則的な基準で浴室及び／又はシャワーに使用される組成物は、大量に付着した汚れの除去よりもむしろ清潔さ及び外観を維持する利益を与える。このような組成物は、各シャワー、入浴、洗浄などの後に、使用され、表面を保護するために残され、そして次の汚れの除去を容易させる。このような組成物は本質的に希釈された「使用」組成物である。
該組成物は典型的には、
【００９２】
a.  接触角を減少させ及び／又は表面親水性を増大させるために有効な量で且つ組成物の約０．５重量％まで、好ましくは約０．００５重量％〜約０．４重量％、より好ましくは約０．０１重量％〜約０．３重量％の、好ましくは持続性があり、処理された表面を親水性にする親水性ポリマーであって、好ましくはポリスチレンスルホネート；ポリビニルピロリドン；ポリビニルピロリドンアクリル酸コポリマー；ポリビニルピロリドンアクリル酸コポリマーのナトリウム塩；ポリビニルピロリドンアクリル酸コポリマーのカリウム塩；ポリビニルピロリドン-ビニルイミダゾリン；ポリビニルピリジン；ポリビニルピリジンｎ-オキシド；及びそれらの混合物からなる群から選ばれるポリマーで；より好ましくはポリビニルピリジンｎ-オキシド；
【００９３】
b.  任意であるが好ましくは、有効な量、好ましくは組成物の約０．００５重量％〜約０．５重量％、好ましくは約０．０１重量％〜約０．３重量％の主たる洗剤用界面活性剤であって、該主たる洗剤用界面活性剤は、約８〜約１８、より好ましくは約８〜約１６の炭素原子を含有するアルキル基及び分子当たり約１〜約４、好ましくは約１〜約１．５のサッカリド部分を有するアルキルポリサッカリド洗剤用界面活性剤、及び／又は約８〜約１８、より好ましくは約８〜約１６の炭素原子を含有するアルキル基及び分子当たり約１〜約４、好ましくは約１〜約１．５のサッカリド部分を有するアルキルポリサッカリド洗剤用界面活性剤と約８〜約１６の炭素原子及び約４〜約２５のエキシエチレン単位を含有するアルキルエトキシレートとからなる組み合せ；
【００９４】
c.  場合により、クリーニング性を高めるのに有効な量、好ましくは組成物の約０．２５重量％〜約５重量％、好ましくは約０．５重量％〜約４重量％、より好ましくは約０．５重量％〜約３重量％の有機クリーニング溶剤であって、好ましくはモノプロピレングリコールモノプロピルエーテル、モノプロピレングリコールモノブチルエーテル；ジプロピレングリコールモノプロピルエーテル；ジプロピレングリコールモノブチルエーテル；トリプロピレングリコールモノブチルエーテル；エチレングリコールモノブチルエーテル；ジエチレングリコールモノブチルエーテル、エチレングリコールモノヘキシルエーテル、ジエチレングリコールモノヘキシルエーテル；及びそれらの混合物からなる群から選ばれる；
【００９５】
d.  場合により、主たる洗剤用界面活性剤ｂの量以下の少ない量、好ましくは組成物の約０．００５重量％〜約０．５重量％、より好ましくは約０．０１重量％〜約０．４重量％、さらにより好ましくは約０．０２５重量％〜約０．３重量％の共界面活性剤、好ましくはアニオン性及び／又はノニオン性洗剤用界面活性剤、より好ましくはＣ8−Ｃ12の線状スルホネート；Ｃ8−Ｃ18のアルキルベンゼンスルホネート；Ｃ8−Ｃ18のアルキススルフェート；Ｃ8−Ｃ18のアルキルプロピルエトキシスルフェート；及びそれらの混合物からなる群から選ばれる；
【００９６】
e.  場合により、クリーニング及び／又は抗菌作用を改良するのに有効な量の、好ましくは組成物の約０．０１重量％〜約１重量％、より好ましくは約０．０１重量％〜約０．５重量％、さらにより好ましくは約０．０１重量％〜０．２５約重量％の水溶性モノ又はポリカルボン酸；
【００９７】
f.  場合により、有効な量で組成物の約１重量％までの、好ましくは約０．０１重量％〜約０．５重量％、より好ましくは約０．０２５重量％〜約０．２５重量％のシクロデキストリン、好ましくは場合により、短鎖(１〜４の炭素原子)アルキル又はヒドロキシルアルキルで置換された、α、β又はγシクロデキストリンであって、該シクロデキストリンはβ-シクロデキストリン、ヒドロキシプロピルシクロデキストリン又はそれらの混合物が好ましい；
【００９８】
g.  場合により、漂白、クリーニング及び／又は抗菌作用を与えるのに有効な量で組成物の５重量％まで、好ましくは約０．１重量％〜約４重量％、より好ましくは約１重量％〜約３重量％の過酸化水素；
【００９９】
h.  場合により、組成物の約０．００５重量％〜約１重量％、好ましくは約０．００５重量％〜約０．５重量％、より好ましくは約０．０１重量％〜約０．１重量％の、ポリアクリレート、ガム、及びそれらの混合物からなる群から選ばれる増粘化ポリマー；
【０１００】
i.  場合により、有効な量の臭い効果を与える香料、及び／又は付加的な補助剤；及び
【０１０１】
j.  場合により、有効な量、好ましくは組成物の約０．０００１重量％〜約０．１重量％、好ましくは約０．０００２５重量％〜約０．０５重量％、より好ましくは約０．００１重量％〜約０．０１重量％の泡抑制剤、好ましくはシリコーン泡抑制剤；
を含有し；そして
【０１０２】
任意であるが好ましくは、残部は水及び任意の水溶性溶剤を含有する水性溶剤系であって、その際、該組成物は該処理液は使用条件下において、約２〜約１２、好ましくは約３〜約１１．５のｐＨを有し、酸性の組成物は約２〜約６、好ましくは約３〜約５のｐＨを有するものである。
【０１０３】
これらの「毎日のシャワー」組成物中の成分は、表面がすすぎ又は拭いをせずに完全に乾燥状態にさせるときでさえも、処理された表面上の薄膜化/縞化の発生を避けるように選ばれる。強制的な条件では、ポリビニルピリジンアミンオキシド又はポリビニルピリジンポリマー、及び好ましくは主たる洗剤用界面活性剤、例えばアルキルポリサッカリド洗剤用界面活性剤の選択は最適な外観のためには必要である。
【０１０４】
Ｂ．ガラスクリーナー組成物
ガラスクリーナー組成物は、その残渣がより容易にわかるので、典型的には他の組成物よりも少ない物質を含有する。これらの組成物については、最適なポリマー及び界面活性剤、及び少なくともある種の擦り洗い行為を与える方法が必要である。
ガラスクリーナー組成物は、
【０１０５】
a.  接触角を減少させ及び／又は表面親水性を増大させるために有効な量で且つ組成物の約０．５重量％まで、好ましくは約０．００５重量％〜約０．４重量％、より好ましくは約０．０１重量％〜約０．３重量％の、好ましくは持続性があり、処理された表面を親水性にする親水性ポリマーであって、好ましくはポリスチレンスルホネート；ポリビニルピロリドン；ポリビニルピロリドンアクリル酸コポリマー；ポリビニルピロリドンアクリル酸コポリマーのナトリウム塩；ポリビニルピロリドンアクリル酸コポリマーのカリウム塩；ポリビニルピロリドン-ビニルイミダゾリン；ポリビニルピリジン；ポリビニルピリジンｎ-オキシド；及びそれらの混合物からなる群から選ばれるポリマーで；より好ましくはポリビニルピリジンｎ-オキシド；
【０１０６】
b.  任意であるが好ましくは、有効な量、好ましくは組成物の約０．００５重量％〜約０．５重量％、好ましくは約０．０１重量％〜約０．３重量％の主たる洗剤用界面活性剤であって、該主たる洗剤用界面活性剤は、主たる界面活性剤として、約８〜約１８、より好ましくは約８〜約１６の炭素原子を含有するアルキル基を有し、鎖長混合物の少なくとも５０％が約１０〜約１６の炭素原子を有するアルキルポリサッカリド洗剤用界面活性剤を含有し、任意であるが好ましくは、共界面活性剤として、主たる界面活性剤の量よりは少ない少量の、例えば約０．０００１重量％〜約０．３重量％、好ましくは約０．００１重量％〜約０．２重量％、より好ましくは約０．０５重量％〜約０．２重量％の共界面活性剤；
【０１０７】
c.  場合により、クリーニング性を高めるのに有効な量、例えば約０．５％〜約７％、好ましくは約０．５％〜約５％、より好ましくは約０．５％〜約３量％の１種以上の有機クリーニング溶剤であって、好ましくはモノプロピレングリコールモノプロピルエーテル、モノプロピレングリコールモノブチルエーテル；ジプロピレングリコールモノプロピルエーテル；ジプロピレングリコールモノブチルエーテル；トリプロピレングリコールモノブチルエーテル；エチレングリコールモノブチルエーテル；ジエチレングリコールモノブチルエーテル、エチレングリコールモノヘキシルエーテル、ジエチレングリコールモノヘキシルエーテル；及びそれらの混合物からなる群から選ばれる；
【０１０８】
d.  場合により、漂白、クリーニング、及び／又は抗菌作用を与えるのに有効な量で約５％までの、好ましくは約０．１％〜約４％、より好ましくは約１％〜約３％の過酸化水素；
【０１０９】
e.  場合により、臭い効果を与えるのに有効な量の香料及び／又は付加的な補助剤を含有し；
【０１１０】
残部は水及び場合により水溶性溶剤を含有する水性溶剤系であり、その際該処理液は使用条件下で約３〜約１１．５、好ましくは約４〜約１０のｐＨを有する。
【０１１１】
本発明のポリマーを含有するガラスクリーニング組成物はスプレーとして、及びぼろぎれ、布、又は紙タオルを用いて使用することができる。これに関して、幾つかの好ましいポリマー、例えばポリビニルアミンオキシドは防霧利益を与えることがわかった。好ましいポリマーの吸湿性は利益に対して責任があると思われる。
【０１１２】
Ｃ．汎用で慣用の床クリーニング組成物
本発明の汎用で慣用の床クリーニング組成物は液体又は固体であることができ、希釈して使用することができる。これらの組成物は、
【０１１３】
a.  接触角を減少させ及び／又は表面親水性を増大させるために有効な量で且つ組成物の約０．５重量％まで、好ましくは約０．００５重量％〜約０．２重量％、より好ましくは約０．０１２５重量％〜約０．１重量％の、好ましくは持続性があり、処理された表面を親水性にする親水性ポリマーであって、好ましくはポリスチレンスルホネート；ポリビニルピロリドン；ポリビニルピロリドンアクリル酸コポリマー；ポリビニルピロリドンアクリル酸コポリマーのナトリウム塩；ポリビニルピロリドンアクリル酸コポリマーのカリウム塩；ポリビニルピロリドン-ビニルイミダゾリン；ポリビニルピリジン；ポリビニルピリジンｎ-オキシド；及びそれらの混合物からなる群から選ばれるポリマーで；より好ましくはポリビニルピリジンｎ-オキシド；
【０１１４】
b.   有効な量、好ましくは組成物の約０．００５重量％〜約１０重量％、より好ましくは約０．０１重量％〜約８重量％、最も好ましくは約０．０２５重量％〜約４重量％の主たる洗剤用界面活性剤であって、該主たる洗剤用界面活性剤は、好ましくは、約８〜約１８、より好ましくは約８〜約１６の炭素原子を含有するアルキル基及び分子当たり約１〜約４、好ましくは約１〜約１．５のサッカリド部分を有するアルキルポリサッカリド洗剤用界面活性剤を含有し、好ましくは広いアルキル分布を有し、そして場合により、共界面活性剤、好ましくはアニオン性及び／又はノニオン性洗剤用界面活性剤、例えば好ましくはＣ8−Ｃ12の線状スルホネート、Ｃ8−Ｃ18のアルキルベンゼンスルホネート、Ｃ8−Ｃ18のアルキルスルフェート、Ｃ8−Ｃ18のアルキルプロポキシスルフェート、及びそれらの混合物からなる群から選ばれる；
【０１１５】
c.  場合により、クリーニングを高めるのに有効な量、好ましくは組成物の約０．５重量％〜約１０重量％、好ましくは約０．５重量％〜約６重量％、より好ましくは約０．５重量％〜約５重量％の有機クリーニング溶剤であって、好ましくはモノプロピレングリコールモノプロピルエーテル、モノプロピレングリコールモノブチルエーテル；ジプロピレングリコールモノプロピルエーテル；ジプロピレングリコールモノブチルエーテル；トリプロピレングリコールモノブチルエーテル；エチレングリコールモノブチルエーテル；ジエチレングリコールモノブチルエーテル、エチレングリコールモノヘキシルエーテル、ジエチレングリコールモノヘキシルエーテル；及びそれらの混合物からなる群から選ばれる；
【０１１６】
d.  場合により、クリーニング及び／又は抗菌作用を改良するのに有効な量の、好ましくは組成物の約０．０１重量％〜約１重量％、より好ましくは約０．０１重量％〜約０．５重量％、さらにより好ましくは約０．０１重量％〜０．２５約重量％の水溶性モノ又はポリカルボン酸；
【０１１７】
e.  場合により、有効な量で組成物の約１重量％までの、好ましくは約０．０１重量％〜約０．５重量％、より好ましくは約０．０２５重量％〜約０．２５重量％のシクロデキストリン、好ましくは場合により、短鎖(１〜４の炭素原子)アルキル又はヒドロキシルアルキルで置換された、α、β又はγシクロデキストリンであって、該シクロデキストリンはβ-シクロデキストリン、ヒドロキシプロピルシクロデキストリン又はそれらの混合物が好ましい；
【０１１８】
ｆ.  場合により、漂白、クリーニング及び／又は抗菌作用を与えるのに有効な量で組成物の５重量％まで、好ましくは約０．１重量％〜約４重量％、より好ましくは約１重量％〜約３重量％の過酸化水素；
【０１１９】
g.  場合により、組成物の約０．００５重量％〜約１重量％、好ましくは約０．００５重量％〜約０．５重量％、より好ましくは約０．０１重量％〜約０．１重量％の、ポリアクリレート、ガム、及びそれらの混合物からなる群から選ばれる増粘化ポリマー；
【０１２０】
h.  場合により、有効な量の臭い効果を与える香料、及び／又は付加的な補助剤；及び
【０１２１】
i.  場合により、有効な量、好ましくは組成物の約０．０００１重量％〜約０．１重量％、好ましくは約０．０００２５重量％〜約０．０５重量％、より好ましくは約０．００１重量％〜約０．０１重量％の泡抑制剤、好ましくはシリコーン泡抑制剤；
を含有し、
【０１２２】
残部は水及び任意の水溶性溶剤を含有する水性溶剤系であり、あまり好ましくないが、残部は水、及び洗剤用ビルダー及び／又は不活性塩及び／又は研磨剤を含む無機の塩を含有し、その際該組成物は該処理液は使用条件下において、は約２〜約１２、好ましくは約３〜約１１．５のｐＨを有し、酸性の組成物は約２〜約６、好ましくは約３〜約５のｐＨを有する。
【０１２３】
Ｄ．ガラス及び輝く表面、床、カウンター、壁及び他の表面用の湿った拭取り具
上記のＢ項で述べたガラスクリーニング組成物、及び上記Ｃ項で述べた汎用及び床組成物は予め湿らせた拭取り具に使用することができる。拭取り具の基材は、綿、Espartoガラス、バガセ(bagasse)、麻、亜麻、絹、毛、木材パルプ、化学的に変性された木材パルプ、ジュート、エチルセルロース、及び／又はセルロースアセテート含む適当な未変性及び／又は変性天然繊維からなることができる。適当な合成繊維は１種以上のポリビニルクロリド、ポリビニルフロリド、ポリテトラフルオロエチレン、ポリビニリデンクロリド、ポリアクリル、例えばORLON(商品名)、ポリビニルアセテート、Rayon(商品名)、ポリエチルビニルアセテート、不溶性又は可溶性ポリビニルアルコール、ポリオレフィン、例えばポリエチレン(例えばPULPEX(商品名))及びポリプロピレン、ポリアミド、例えばナイロン、ポリエステル、例えばDACRON(商品名)又はKODEL(商品名)、ポリウレタン、ポリスチレンなどの繊維からなり、１つより多いモノマーを含有するポリマー繊維を包含する。吸収層は天然繊維のみ、合成繊維のみ、又は天然繊維と合成繊維の適合しうる組み合せからなることができる。
【０１２４】
ここで有用な繊維は親水性、疎水性の繊維であるか、その両者を組み合せた繊維であることができる。上記したように、親水性繊維又は疎水性繊維の特別の選択は、後記する吸収体(及びある程度)擦り洗い層中に含まれる他の物質に依存する。本発明において使用に適する親水性繊維としては、セルロース繊維、変性セルロース繊維、レーヨン、綿、ポリエステル繊維、例えば親水性ナイロン(HYDROFIL(商品名))がある。適当な親水性繊維は疎水性繊維、例えばポリエチレン、ポリプロピレンのようなポリオレフィン、ポリアクリル、ポリアミド、ポリスチレン、ポリウレタンなどから導かれる、界面活性剤処理又はシリカ処理された熱可塑性繊維を親水性化することにより得ることができる。
【０１２５】
適当な木材パルプはクラフト及びスルフィット処理のような周知の化学処理から得ることができる。南部の柔らかな木材は高級な吸収特性を有するので、それから木材パルプを導くことが特に好ましい。これらの木材パルプ繊維は機械的な方法、例えば木材の破砕、機械的、熱機械的、化学機械的、及び化学−熱機械的なパルプ法から得ることができる。リサイクルされた又は２次的な木材パルプ繊維並びに漂白された又は未漂白の木材パルプを使用することができる。
【０１２６】
本発明で使用される他のタイプの親水性繊維は化学的に剛化(stiff)されたセルロース繊維である。こくで使用される用語「化学的に剛化されたセルロース繊維」とは、乾燥及び水性の両状態で繊維の剛性を高めるために、化学的手段により剛くされているセルロース繊維を意味する。このような手段としては、繊維を被覆又は含浸するような化学的剛化剤の添加がある。このような手段としては、化学構造を変えること、例えばポリマー鎖を架橋することによる繊維の剛化もある。
【０１２７】
繊維が吸収層(又はその構成成分)として使用される場合は、繊維は場合により熱可塑性物質と組み合せることができる。溶融した際には、熱可塑性物質の少なくとも一部は、典型的には内繊維毛管傾斜により、繊維の内部に移動する。これらの交点は熱可塑性物質ための結合サイトとなる。冷却された場合は、熱可塑性物質は３つの交点で固化し、各々の層において一緒にマトリックス又は基材を保持する結合サイトを形成する。これはクリーニング拭取り具に付加的な全体の完全性を与えるのに有利である。
【０１２８】
種々の効果のうち、繊維の交点での結合は、得られた熱的に結合された繊維の圧縮弾性率及び強度を増大させる。化学的剛化繊維の場合、熱可塑性物質の溶融及び移動は、最初に形成された基材の密度及び基礎重量を維持しながら、得られた基材の平均的気孔サイズを増大させる効果を有する。これは、初期に液体に曝された際には改良された流体透過性により、つぎに曝された際には湿化の際に剛性を保持するための剛化繊維の能力と湿化又は湿化圧縮の際の繊維交点での結合を存続させるための熱可塑性物質の能力との結合により、熱的結合基材の流体獲得性を改良する。結局、剛化繊維の熱的結合基材は元の全体の容積を保持するが、熱可塑性物質により予め占められている容積領域は開かれ、従って平均の内繊維毛管気孔ザイズが増大する。
【０１２９】
本発明において有用な熱可塑性物質は、粒状物、繊維又はそれらの混合を含む種々の形態であることができる。熱可塑性繊維は、多くの内繊維結合サイトを形成する能力のために、特に好ましい形態である。適当な熱可塑性物質は、各層の主な基材又はマトリックスを含有する繊維を著しく損傷させない温度で溶融しうる熱可塑性ポリマーから造ることができる。好ましくは、この熱可塑性物質の融点は約１９０℃以下、好ましくは約７５℃と約１７５℃の間である。重要なことは、クリーニングパッドに使用される場合は、熱可塑性物質の融点は熱的結合吸収構造が蓄えられるような温度より低くならないことである。熱可塑性物質の融点は、典型的には約５０℃以上である。
【０１３０】
熱可塑性物質、特に熱可塑性繊維は種々の熱可塑性ポリマーから造ることができ、例えばポリエチレン(例えばPULPEX(商品名))及びポリプロピレン、ポリエステル、コポリエステル、ポリビニルアセテート、ポリエチルビニルアセテート、ポリビニルクロリド、ポリアクリル、ポリアミド、コポリアミド、ポリスチレン、ポリウレタン、及びビニルクロリド/ビニルアセテートのような上記いずれかのコポリマーなどが含まれる。適当な熱可塑性繊維は、得られた熱的結合吸収体の所望の性質に依存して、ポリエチレン、ポリプロピレンのようなポリオレフィン、ポリアミド、ポリアクリル、ポリスチレン、ポリウレタンなどから導かれる界面活性剤処理又はシリカ処理された熱可塑性繊維のような、親水性にされている疎水性繊維を包含する。疎水性熱可塑性繊維の表面は、ノニオン性又はアニオン性界面活性剤のような界面活性剤で処理すること、繊維を界面活性剤へ浸漬すること、又は熱可塑性繊維の製造時に溶融したポリマーの一部として表面を含ませることにより疎水性にすることができる。溶融及び再固化の際に、界面活性剤は熱可塑性繊維の表面に保持される傾向がある。適当な界面活性剤としては、ノニオン性界面活性剤、例えばICI  Americas,Inc.により製造されているBrij(商品名)及びGlyco  Chemical,Inc.よりPegosperseの商品名で販売されている種々の界面活性剤がある。ノニオン性界面活性剤と共に、アニオン性界面活性剤も使用することができる。これらの界面活性剤は、例えば熱可塑性繊維ｃｍ2当たり約０．２〜約１ｇのレベルで熱可塑性繊維に適用することができる。
【０１３１】
適当な熱可塑性繊維は単一ポリマー(一成分繊維)から造ることができ、或は１つより多いポリマー(二成分繊維)から造ることができる。ここで使用される用語「二成分繊維」とは、ポリマーから造られた熱可塑性のさやの内部に包まれた異なるポリマーから造られたコア繊維を有する熱可塑性繊維をいう。さやを構成するポリマーはしばしば、異なる、典型的にはコアを構成するポリマーよりも低い温度で溶融する。結果として、これらの二成分繊維は、コアポリマーの望ましい強度特性を維持しながら、さやポリマーの溶融により熱的結合を与える。
【０１３２】
本発明で使用される適当な二成分繊維は下記のポリマーの組み合せを有するさや/コア繊維を包含することができる：ポリエチレン/ポリプロピレン、ポリビニルアセテート/ポリプロピレン、ポリエチレン/ポリエスエル、ポリプロピレン/ポリエスエル、コポリエステル/ポリエスエルなど。ここで使用される特に適当な２成分熱可塑性繊維はポリエスエル又はポリプロピレンのコア及び低融点コポリエステル、ポリエチルビニルアセテート又はポリプロピレンのさやを有するもの(例えば、Chisso  Corp.からDanaklon  の商品名で及びHerculesからCELBONDの商品名で入手可能なもの)である。二成分繊維は同心又は偏心であることができる。ここで使用される用語「同心」及び「偏心」とは、二成分繊維の断面積を通して，等しい又は等しくない厚さをさやが有しているかどうかをいう。偏心の二成分繊維は薄い繊維厚さでより大きな圧縮強度を与える点で望ましい。
【０１３３】
熱的結合繊維状物質の製造法は、Richardsらの米国特許出願第08/479,096号（1995年7月3日出願）(特に16-20頁参照)及びHomeyらの米国特許第5,549,589号(1996年8月27日発行)(特に6-10欄参照)に記載されている。これらの特許はここに参考として合体される。
【０１３４】
吸収層はHIPE-誘導親水性高分子発泡体からなることができる。このような発泡体及びそれの製造法はDesmaraisの米国特許第5,550,167号(1996年8月27日発行)；及びStoneらの米国特許出願第08/370,695号(1995年1月10日出願)に記載されている。(これらの特許はここに参考として合体される。）
【０１３５】
拭取り具は、最高のクリーニング効率のために任意の擦り洗い層を含む１つ以上の層からなる。単一の基材を用いた予め湿らせた拭取り具については、基材は、好ましくはある種の疎水性及び親水性繊維を組み合せからなる繊維、より好ましくは水を絡ませた(hydroentangled)基材中に少なくとも約３０％、より好ましくは少なくとも５０％の疎水性繊維を含有する。用語「疎水性繊維」には、ポリエステル繊維並びにポリエチレン、ポリプロピレンのようなポリオレフィン繊維などが包含される。疎水性繊維と吸収性親水性繊維の組み合せは，吸収性親水性繊維、典型的にはセルロースが表面上に存在する埃や他の汚れの隠退及び除去を助けるので、単一基材の予め湿らされた拭取り具については好ましい態様を示す。疎水性繊維は、予め湿らされた拭取り具の改良及び基材と硬い表面の間の摩擦(すべり)の低下において、脂汚れのクリーニングに特に有用である。すべりを改良するための繊維組成物のランク順序については、ポリエステル繊維、特にこれとポリプロピレン繊維との組み合せが優れたすべりを与えるのに最も効果的であり、次にポリエチレンであることわかった。セルロース(又はナイロン)ベースの予め湿らされた拭取り具は、高い吸収性により、基材と処理される表面との間の有意な摩擦を導く。繊維のブレンドは優れたすべりについての順序をランク付けするのは困難であるが、低レベルのポリエステル又はポリプロピレン繊維含量でさえも、全ての場合に実際上、すべり性能を十分に改良することができることがわかった。典型的には、ガラスとの摩擦係数を有する繊維組成物は、必要なときに、摩擦を減少させることが知られている低レベルのシリコーン又は他の化学品で拭取り具を含浸させるか又は化学的に結合させることにより改良することができる。シリコーンは組成物の泡立ちを減少させ、改良された結果を導くので好ましい。
【０１３６】
本発明の予め湿らされた拭取り具用の基材の形成のために、種々の成形法を使用することができる。例えば、基材はエアレイ(air-lay)のような不織乾燥形成法により又は例えば紙成形機上でのウエットレイにより造ることができる。メルトブロウ、スパンボンド、ニードルパンチ(これらに限定されない)のような技術を含む他の不織製造技術及び水絡ませ法も使用することができる。
【０１３７】
１つの態様においては、乾いた繊維基材は、天然繊維と合成短繊維及びラテックスバインダーの組み合せを含有するエアレイされた不織基材であることができる。乾いた繊維基材は、約２０重量％〜約８０重量％の木材パルプ繊維、約１０重量％〜約６０重量％のポリエステル短繊維、及び約１０重量％〜約２５重量％のバインダーであることができる。
【０１３８】
乾いた繊維基材は、平方メートル当たり約３０ｇ〜約１００ｇの基礎重量を有することができる。乾いた繊維基材の密度は、予め湿らされた拭取り具からの液体の蒸発後に測定することができ、密度は約０．１５ｇ/cm3以下であることができる。密度は、精度のある装置で測定される、乾いた繊維基材の基礎重量を乾いた繊維基材の厚みで割った値であり、乾いた繊維基材の厚みは約２平方インチの面積を有し且つ約９５g/in2の限界圧力を与える円形の荷重フット(foot)を用いて測定される。１つの態様においては、乾いた繊維基材は約６４ｇ/ｍ2の基礎重量、約０．０６cmの厚み、及び約０．１１ｇ/cm3の密度を有することができる。
【０１３９】
一つの態様においては、乾いた繊維基材は少なくとも約５０重量％、より好ましくは少なくとも約７０重量％の木材パルプ繊維を含有することができる。本発明への使用に適する１つの特別なエアレイされた不織基材は、約７３．５重量％のセルロース繊維(約2.6mmの平均繊維長さを有するSouthern  softwood  Kraft)；約１０．５重量％の繊維長さの約1.35g/9000mデニール及び約0.85インチのステープル長さを有するポリエステル繊維；及び約１６重量％のスチレンブタジエンコポリマーを含有するバインダー組成物；を含有することができる。該バインダー組成物は、Mallard  Creek  Polymers  of  Charlotte  N.C.からRovene5550(49％固体スチレンブタジエン)の商品名で商業的に入手可能なラテックス接着剤を使用して造ることができる。
【０１４０】
本発明への使用に適するエアレイされた不織基材は、The  Procter  ＆  Gamble  Co.より上市されているPAMPERS(商品名)BABY  FRESH  ブランドのベビー用拭取り具に使用されているエアレイされた不織基材である。
【０１４１】
下記の特許は、基材に関する開示がここに参考として合体されるものである；米国特許第3,862,472号(1975年1月28日発行)；米国特許第3,982,302号(1976年9月28日発行)；米国特許第4,004,323号(1977年1月25日発行)；米国特許第4,057,669号(1977年11月8日発行)；米国特許第4,097,965号(1978年7月4日発行)；米国特許第4,176,427号(1979年12月4日発行)；米国特許第4,130,915号(1978年12月26日発行)；米国特許第4,135,024号(1979年1月16日発行)；米国特許第4,189,896号(1980年2月26日発行)；米国特許第4,207,367号(1980年6月10日発行)；米国特許第4,296,161号(1981年10月20日発行)；米国特許第4,309,469号(1982年1月25日発行)；米国特許第4,682,942号(1987年7月28日発行)；及びUS  4,637,859；US  5,223,096；US  5,240,562；US  5,556,509及びUS  5,580,423。
【０１４２】
シートの埃とりに使用される技術は、粒状のごみを取上げ且つ保持するのに有効であるとして、ここに参考として合体される、例えばUS  3,629,047；US  3,494,421；US  4,144,370；US  4,808,467；US  5,144,729；及びUS  5,580,423中に認められる。これらのシートは、有効であるためには、遊離の繊維を補強する構造を必要とする。埃取りのために使用される類似の構造は、基材ｇ当たり少なくとも約０．５ｇ、又はそれ以上の化学液のレベルで液体で予め湿らせたときは、有利に使用することができることがわかった。このレベルは、性能を高めるために慣用の埃取りシートにしばしば適用される、鉱油、ワックスなどのような化学添加剤に用いられるよりも十分に高いレベルである。特に、本発明の拭取り具は水性組成物で予め湿らせて使用されることを特に意図している。
【０１４３】
一つの好ましい態様においては、クリーニングシートは基礎重量により区別される少なくとも２つの領域を有している。基礎重量の測定は、米国予備出願第60/056,330号及び第60/047,619号に記載されている。手短にいえば、測定は暗い(低基礎重量)及び明るい(高基礎重量)ネットワーク領域を写真で区別することにより達成される。特に、クリーニングシートは高基礎重量領域の高基礎重量の約８０％以下のである基礎重量を有する１つ以上の低基礎重量領域を含有する。一つの好ましい観点においては、第１領域は比較的高い基礎重量であり且つ本質的に連続的なネットワークを含有する。第２の領域は比較的低い基礎重量の複数の相互に別々の且つ高基礎重量第１領域により周囲を囲まれた領域を含有する。特に、好ましいクリーニングシートは、約３０〜約１２０ｇ/m2の基礎重量を有する連続領域及び複数の高基礎重量領域により周囲を囲まれた複数の不連続領域を有し、その際該不連続領域はランダムの繰り返し模様に配列され且つ連続領域の基礎重量の約８０％以下の基礎重量を有する。
【０１４４】
一つの態様においては、クリーニングシートは、基礎重量に関して異なる領域に加えて、実質的に顕微鏡的な３次元を有するであろう。用語「顕微鏡的な３次元」とは、３次元クリーニングシートを記述するために使用される場合、見る人の目とシート面の距離が約１２インチであるときに３次元模様が裸眼で容易に見られることを意味する。換言すれば、本発明の予め湿らせたシートの３次元構造は非平面(non-planar)である、即ちシートの１面又は両面は複数の平面中にあるクリーニングシートである。これに対して、用語「平面」(planar)とは、シートの１面又は両面上に細かいスケールの表面異常を有するシートを云い、該表面異常は見る人の目とシート面の距離が約１２インチであるときに３次元模様が裸眼で容易に見られないものである。換言すれば、マクロなスケールでは、観察者はシートの１面又は両面上が、３次元であるように、平面上に存在するであろうことを観察しないであろう。
【０１４５】
３次元の測定は米国予備出願第60/056,330号及び第60/047,619号に記載されている。簡単にいえば、顕微鏡的な３次元は、シートの与えられた表面の隣接した山と谷との平均的な距離として、並びに与えられた表面の隣接した山と山との平均的な距離である山と山の平均的な距離として定義される、平均の高さの差により説明される。顕微鏡的な３次元は、またクリーニングする表面の外側の表面地形指数により説明され、該表面地形指数とは、表面の平均の高さの差を表面の山と山の平均的な距離で割って得られる比である。好ましい態様においては、顕微鏡的な３次元クリーニングシートは第１外表面及び第２外表面を有し、その際少なくとも１つの外表面は少なくとも約１mmの山と山の距離及び約０．０１mm〜約１０mmの表面地形指数を有する。本発明の予め湿らせた拭取り具の顕微鏡的な３次元構造は場合によりスクリム(scrim)を有し、該スクリムは、加熱及び冷却されたときに、さらに顕微鏡的な３次元構造を与える。
【０１４６】
他の代わりの態様においては、基材は、加熱の際に外層に表面組織を与えることを請け負うネットのようなスクリム物質の形態であることができる、内部強制層に接続した、外側が水を絡ませた２つの基材の積層体、例えば約１０g/m2〜約６０g/m2の基礎重量を有する、ポリエステル、レーヨン繊維又はそのブレンドの非ネットワーク基材を含有することができる。
【０１４７】
予め湿らせた拭取り具は、乾いた基材を、該基材ｇ当たり少なくとも約１．０ｇの液体組成物で湿らせることにより造ることができる。乾いた基材は、好ましくは該基材ｇ当たり少なくとも約１．５ｇ、より好ましくは少なくとも約２．０ｇの液体組成物で湿らせることである。拭取り具に含浸される溶液の正確な量は使用しようとする製品に依存する。カウンタートップ、ストーブトップ、ガラスなどのクリーニングに使用する意図のある予め湿らせた拭取り具については、最適な湿り度は基材ｇ当たり溶液約１ｇ〜約５ｇである。床クリーニング拭取り具に関しては、予め湿らせた拭取り具は流体を吸収及び保持する大きな能力を有する吸収性コア貯槽を含むことが好ましい。吸収性貯槽は吸収性物質ｇ当たり約５ｇ〜約１５ｇの流体毛細管を有することが好ましい。壁、エクステリアの表面などのクリーニングへの使用を意図する予め湿らせた拭取り具は、乾いた基材当たり約２ｇ〜約１０ｇの毛細管を有するであろう。
【０１４８】
Ｄ１.ガラス拭取り具
ガラスに使用される予め湿らせた拭取り具は１層又は複数の積層基材を含有することができる。１層基材に関しては、表面が予め湿らせた拭取り具に関しては乾燥させるために拭われないから、水性組成物中の非揮発性物質の含量は最小に保つことが必須である。従って、上記の活性剤は最良の最終結果のためにいっそう低レベルで使用されることが好ましい。また、有機疎水性溶剤のみからなる組成物は予め湿らせた拭取り具で良好なクリーニングと共に、優れた最終結果を与えることがわかった。これらの溶剤は、エタノール、プロパノールなどのような水性の親水性溶剤とは反対に、良好で且つより一様の表面の湿りを与えることがわかった。これは、縞が形成されないという消費者への再保証を与えるより均一な乾燥に導くので重要である。また、理論に拘束されたくないが、汚れた環境において、疎水性有機クリーニング溶剤は殆ど縞がなく乾燥されるであろうと思われる。例えば、ガラス拭取り具に関しては、現在の１層拭取り具、例えばReckitt  &  Colmanで製造され、親水性溶剤のみが使用されている(即ち疎水性有機溶剤のない)Glassmates(商品名)は乾燥してスポットを生ずる。予め湿らせた拭取り具に関しては、クリーニング溶剤は約０．５％〜約１０％、より好ましくは約１％〜約５％のレベルで使用される。好ましい疎水性有機溶剤としては、モノ-プロピレングリコールプロピルエーテル、モノ-プロピレングリコールブチルエーテル、モノ-エチレングリコールブチルエーテル、及びそれらの混合物がある。他の水性親水性溶剤、例えばエタノール、プロパノール、イソブタノール、2-ブタノール、メトキシプロパノールなどは香料を引き出すために使用することができる。上記したように約１５０g/モル以下の分子量を有する緩衝剤は、最終結果の性能を害することなくクリーニング性を改良するために有利に使用することができる。好ましい緩衝剤の例としては、アンモニア、メタノールアミン、エタノールアミン、2-アミノ-2-メチル-1-プロパノール、2-ジメチルアミノ-2-メチル-1-プロパノール、酢酸、グロコール酸などがある。これらのうち最も好ましいものは、アンモニア、2-ジメチルアミノ-2-メチル-1-プロパノール及び酢酸である。これらの緩衝剤は、使用するときは、組成物の約０．００５重量％〜約０．５重量％存在させるが、より揮発性の化学品についてはより高いレベルがより好ましい。ガラス拭取り具に関しては、好ましくは高レベルの好ましい有機クリーニング溶剤と共に低レベルの非揮発性界面活性剤を用いた簡単な組成物は、親水性ポリマーの不存在下でさえも優れたクリーニング及び湿化特性を十分に与える。しかしながら、ポリマーの添加はスポット化防止、霞防止及びつぎのクリーニングを容易にする他の利益を与えるために有利に使用することができる。
【０１４９】
技術は予め湿らせた拭取り具の使用を認めている。例えば、US  4,276,336は吸い上げを改良するために、一緒に接着した第１層及び第２層からなる複数の積層吸収体を開示している。US  4,178,407は液体を透過しうる内層を付加的に含有する両側面に吸収性表面を持った簡単なタオルを開示している。該タオルは小さな湿潤強度及びルーズな繊維からなる吸収性物質の層を有するようにデザインされている。また、技術はガラスクリーナー用に使用するための予め湿らせた拭取り具を開示している。US  4,448,704はガラスのような硬い表面をクリーニングするのに適した物品を開示している。該物品は湿らせ又は破ることのできる小袋内に入れられた組成物を含有することができる。US  4,448,704の物品は、それを含浸させるために使用される脱イオン水又は溶液で予め洗濯され；液体組成物は３５ダイン/cm以下の表面張力を有し、そして好ましくは表面活性剤及び部分的にエステル化された樹脂、例えば部分的にエステル化されたスチレン/無水マレイン酸コポリマーを含有する。上記全ての米国特許はここに参考として合体される。
【０１５０】
本発明の予め湿らせた拭取り具は予め洗濯されていないことが有利であり、該拭取り具は単一層シートでさえも優れた最終結果を与えることがわかった。予め湿らせたガラス拭取り具の付加的な利益は糸くずが出るのを最少に保つことである。予備的な洗濯は典型的には繊維をルーズにし、表面をより糸くずが出やすくする。特に、水で絡ませた構造に関しては、繊維の集積の緻密さが、予め湿らせた拭取り具の製造中ではなく、繊維物質の加工時に、最適に達成される。結果として、本発明の好ましい組成物は糸くずが出るのを改良する。また、ガラス用の予め湿らせた拭取り具に使用される組成物は表面活性剤を実質的に含有しないことが好ましい。従って、液体の表面張力は、表面張力を３５ダイン/cm以下に下げる必要はない。本発明の予め湿らせた拭取り具の多層の基材に関しては、該拭取り具は機能の異なる２つの側面を有することができる。１つの側面は予め湿っており、液体を配給するために働くが、他の側面は湿っておらず、緩衝及び仕上げのためにデザインされている。
【０１５１】
低レベルの液体は表面に液体が残る量を減少させるのに必要であり且つ脂のクリーニング効能が要求されるガラス及び他のクリーニングの立場おいては、好ましい態様としては、乾いた繊維基材の少なくとも約６５％が疎水性繊維、例えばポリエスエル、ポリプロピレン、ポリエチレンなどの繊維から及び低レベルの親水性繊維、例えば木材パルプ、綿繊維などが約３５％以下から構成される、乾いた繊維基材がある。低レベルの親水性繊維は拭取り具が保持しうる液体の量の減少を助け、高レベルの疎水性繊維は脂のよりよい吸収を助ける。改良された脂クリーニングに関連する利益と並んで、疎水性繊維はガラス及び他の硬い表面上での拭取り具の感触を改良し、消費者及び処理される表面に容易なクリーニングの感触を与えることがわかった。この改良されたクリーニング、滑らかさ又は「すべり」(glide)の容易さは、関係する表面の摩擦の測定により実験的に定量することができる。改良された基材からのすべりは液体組成物の配合に付加的な自由度を与える。
【０１５２】
予め湿らせた拭取り具の基材中の疎水性繊維は、該拭取り具が完全に予め湿っているかどうか且つ該拭取り具が完全に乾いているときに、すべり利益を与える。これは、拭取り具が使用されたときに乾きが増すので、意義深いことである。従って、滑らかさを与えることが知られているＣ14又はそれ以上の鎖長の界面活性剤のレベルは、実質的に減少することができるか、又は、好ましくは、優れたすべり(低摩擦)特性を維持しながら、本発明の予め湿らせた拭取り具に使用される液体組成物から完全に除くことができる。あるレベルの疎水性繊維、特にポリエステルを含有する拭取り具の使用は、酸性ｐＨでのガラス用の予め湿らせた拭取り具の開発において柔軟性を増大させる。酸性のクリーニング組成物は、普通の紙タオル又はセルロース系の予め湿らせた拭取り具のようなセルロース系基材のすべり性を十分に妨げることがわかった。
【０１５３】
基材組成物と共に、拭取り具の寸法は含有量の制御に使用され並びに生物工学的アピールを与えることができる。好ましい拭取り具の寸法は、手に気持ちよく適合するには、約５インチ半から約９インチの長さで、約５インチ半から約９インチの幅である。拭取り具は長さと幅の差が約２インチ以下であるような寸法を有することが好ましい。かくして、厳しい汚れのクリーニングにおいては、拭取り具は、使用し、ついで折りたたむことができ、１度又は２度、折りたたんだ内側にごみが包まれ、ついで再使用できるように大きいことが好ましい。この用途のためには、拭取り具は約５インチ半から約１３インチの長さで、約１０インチから約１３インチの幅を有する。かくして、拭取り具は１度又は２度折りたたむことができ、また手に気持ちよく適合する。
【０１５４】
単一層の基材を用いて造られた拭取り具を持つと共に、多層の基材を用いて造られた予め湿らせた拭取り具を持つことは、ある場合には有利である。好ましい態様においては、拭取り具は、予め湿らせた外層、不透過性フィルム又は膜内層及び実質的に乾いている第２外層を有する多層積層基材からなる。拭取り具の湿潤容量を改良するため及び裏面層が早く湿ることを保護するために、任意の吸収性貯槽を予め湿らせた第１外層と不透過性フィルム又は膜内層の間に置くことができる。該貯槽の寸法は、裏面層にその前の層から液体が吸い上げられることを防ぐために、２つの外層の寸法より小さいことが好ましい。
【０１５５】
ここに記載された多層積層基材の使用は、ガラスに残った液体の大部分を実質的に除去し、ついでガラスに予め湿らせた拭取り具の湿った側を適用することを目指す乾燥磨き工程ためには非常に望ましい。磨き工程でさえも、予め湿らせた拭取り具中のポリマーは、存在するならば、ガラスに防霧性を与えるようにガラス上に残ることがわかった。磨き工程は、液体組成物中に使用された固体の大部分が磨き工程中に水性組成物の残りと共に拭われるので、該固体のレベルでの全体の柔軟性を改良する。実際に、ガラス表面から結晶性の固体を除去するために、基材を乾燥するための性質が改良されるので、当業者は、非常に低レベルで、好ましくは約０．０２％の水溶性であるが、結晶性の界面活性剤を使用することが有利であることを認識しうる。
【０１５６】
多層積層基材は、非常に汚れた状態、例えば外部の窓又は車のガラスに使用することがさらに有利である。多層積層基材は、磨くために新しい綺麗な面を使用することにより、予め湿らせた拭取り具により周りに押し出される汚れた液体の量を減少させる。
【０１５７】
多層積層基材が使用される場合は、予め湿らせた外側の層は、油の除去及びすべりのために、少なくとも約３０％の疎水性繊維を含有することが好ましい。不透過性内層はポリエチレン、ポリプロピレン、又はそれらの混合物が最も好ましい。不透過性の層の組成物混合物及び厚さは、予め湿らせた第１外層から乾いた第２外層への液体の浸透が最少となる、より好ましくは除かれるように、選ばれる。貯槽コア層又は高流体容量の予め湿らせた外層の使用は、１つより多い不透過層が拭取り具の第２外層について十分な乾燥が保証されることが要求されうるように、不透過性層をテストするであろう。貯槽層は、もし存在するならば、処理又は未処理のセルロースを単独又は疎水性繊維との複合体からなることが好ましいであろう。貯槽層の疎水性繊維の含量は、好ましくは層の全繊維含量の約３０重量％以下、より好ましくは約２０重量％以下である。好ましい態様においては、貯槽層はエアレイされたセルロースからなる。触れたとき実質的に乾いている第２外層は吸収性セルロース、又はセルロースと合成繊維とのブレンドからなることが好ましい。
【０１５８】
本発明者らは、予め湿った側及び乾いた側を有する拭取り具の包装は手ごたえのあるものと認識した。この包装の問題を解決するために、好ましい折りたたむ仕組みを開発した。拭取り具は、２等分に、３等分に、又は他の予め湿らせた拭取り具の各々の予め湿った層の全てが内側に及び互いに折りたたまれるような他の適当な方法で、折りたたまれる。結果として、小袋、容器又はボックス中に積み重ねられた連続する拭取り具の乾いた外層の全ては、予め湿らせた拭取り具の面と直接接する。「直接接する」とは、液体不透過層によって拭取り具の予め湿らせた面の全てが乾いた面から離されることを意味する。このような好ましい手法における拭取り具の包装により拭取り具の乾いた面が拭取り具の容器に貯蔵中且つ使用前に、液体で汚すことがなくなることが保証される。包装材料は、プラスチック又はセロファンを含む適当な材料で造ることができる。場合により、磨き層への可能な液体の吸上げをさらに上げるための他の手段は、磨き層に又は不透過層と磨き層の間に超吸収性ポリマーを単に加えることである。
【０１５９】
好ましい態様においては、スターターキットは少なくとも１回折りたたまれている約８〜約２４個の拭取り具を保持しうる見本の箱又は他の容器を有し、そして約５〜約１２個の拭取り具ほ保持しうる低コストの包装は再充填包装として使用される。
【０１６０】
重要なことは、予め湿らせた拭取り具は単独で、又は拭取り具用のハンドル及び取り付け装置を有する装具と共に、使用することができることである。ここで使用されるように、装具とは、基材の取り付け用の物理的手段、例えばパッド、乾いた拭取り具、予め湿らせた拭取り具などを意味する。任意であるが好ましくは、予め湿らせた拭取り具は、刹黴利益が保証されるように防腐剤を含有する。本発明の予め湿らせた拭取り具について使用される防腐剤の例としては、メチルパラベン、ブロノポール、ヘキセチジン、ジクロロ-ｓ-トリアジントリオン、トリクロロ-ｓ-トリアジントリオン、及びジオクチルジメチルアンモニウムクロリド、ジデシルジメチルアンモニウムクロリドを含む４級アンモニウム塩、Ｃ12、Ｃ14及びＣ16のジメチルベンジル(Lonzaより販売されているBardac(商品名)2280及びBarqat(商品名)MB-80)などがあり、約０．０２％の濃度である。好ましい防腐剤としては、くえん酸、テトラキス(ヒドロキシメチルホスホニウムスルフェート)（THPS）、ナトリウムピリチオン、Kathon(商品名)及びAvicia  Chemicalsから販売されている1,2-ベンツイソチアゾリン-3-オンがある。防腐剤は、使用されるときは、組成物の約０．００１重量％〜約０．０５重量％、より好ましくは約０．００５重量％〜約０．０２重量％の濃度である。また、防腐は、予め湿らせた拭取り具から搾り出される水性組成物のｐＨを約１０．５より大きく又は約３．０より小さくすることにより、製品のｐＨを用いて達成することができる。好ましいｐＨベースの防腐剤としてはアンモニア(高ｐＨ用)及び酢酸(低ｐＨ用)のような高揮発性のものがある。ｐＨベースの防腐剤が使用される場合、特に揮発性の防腐剤が使用される場合は、防腐剤の濃度は実質的に０．０２％より高くすることができる。疎水性繊維を含有する拭取り具の使用は、酸性の防腐剤の使用を可能にするように、表面上の十分なすべりを与える。また、防腐剤の組み合せは、所望の防腐効果を達成するために、使用することができる。いかなる場合においても、防腐剤は溶解前に直接拭取り具に適用されるか、或は拭取り具を湿らせる前に溶液に分散される。
【０１６１】
また、抗菌剤を基材に直接混入させることが有利である。これに関しては、水不溶性の高い抗菌剤、例えば重金属から導かれるものを使用することが好ましい。不溶性抗菌剤の例としては、亜鉛ピリチオン、ビスマスピリチオン、銅ナフテネート、銅ヒドロキシキノリンなどがある。重金属を使用しない活性剤の他の例としては、ジクロロ-ｓ-トリアジントリオン及びトリクロロ-ｓ-トリアジントリオンがある。
【０１６２】
Ｄ２.  床、カウンター及び／又は壁用の予め湿らせた拭取り具
上記Ｂ項及びＣ項に記載の水性クリーニング組成物は、汎用の、カウンター、壁及び床用の予め湿らせた拭取り具に使用することができる。上記Ｄ及びＤ１項に記載の物質の説明及び方法は、床、カウンター及び壁のクリーニング法にも適用することができる。床用拭取り具に関しては３次元構造を有することが特に有利である。上記の基材の３次元構造は、平らなシートに対して髪を拾い上げることが改良されることがわかったが、これは湿った表面環境においては驚くべきことである。好ましい態様においては、使用者は髪の拾い上げを最大にするために、上下への拭いパターン中に僅かにジグザグな動きをさせることが有利である。
【０１６３】
予め湿らせた拭取り具の最適な湿り度は、拭取り具ｇ当たり溶液約１〜約５ｇである。床クリーニング用拭取り具に関しては、基材は、流体を吸収及び保持するために大きな容量を有する吸収性コア貯槽層を場合により含むことができる。吸収性コア貯槽層は吸収性物質ｇ当たり約５〜約１５ｇの流体容量を有することが好ましい。壁、エクステリアの表面などのクリーニングを意図する予め湿らせた拭取り具は、乾いた繊維基材ｇ当たり約２〜約１０ｇの吸収容量を有するであろう。
【０１６４】
汎用の、予め湿らせた拭取り具については、すすぎ工程がないから、非揮発物含量は、製品からの薄膜/縞の残渣を避けるために、最少に保つことが必須である。従って、上記Ｃ項「汎用及び慣用の床クリーナー」に記載の活性物質は、最良の最終結果のためにより低いレベルで使用されることが好ましい。また、主として有機疎水性溶剤からなる組成物は、予め湿らせたガラス拭取り具について記載のものと同様の理由で、汎用の予め湿らせた拭取り具について良好なクリーニング性と共に、優れた最終結果を与えることができることがわかった。約１５０ｇ/モル以下の分子量を有する緩衝剤は最終結果の性能を害することなく、クリーニング性を改良するために、有利に使用することができる。好ましい緩衝剤の例としては、アンモニア、メタノールアミン、エタノールアミン、2-アミノ-2-メチル-1-プロパノール、2-ジメチルアミノ-2-メチル-1-プロパノール、酢酸、グリコール酸などがある。これらのうち最も好ましいものは、2-ジメチルアミノ-2-メチル-1-プロパノール及び酢酸である。これらの緩衝剤が使用される場合は、組成物の約０．００５重量％〜約０．５重量％のレベルで存在し、より揮発性の緩衝剤についてはより高いレベルがより好ましい。ガラス拭取り具の場合(Ｄ1項参照)のように、好ましくは高レベルの好ましい有機クリーニング溶剤と共に低レベルの非揮発性界面活性剤が用いられた簡単な組成物は、親水性ポリマーが存在しなくても、優れたクリーニング及び湿化性能を十分に与えることがわかった。しかしながら、スポット化、霧化を防止し、そしてつぎのクリーニングを容易にするような他の利益を与えるために、ポリマーの添加を有利に採用することができる。
付加的な便利さを汎用の予め湿らせた拭取り具に与えるために、モップヘッドにハンドルを付けることができる。これを遂行すると、予め湿らせた拭取り具は容易なクリーニング及び殺菌のためには理想的である。拭取り具から放出される溶液の量は慣用のクリーニングにより与えられる溶液量よりもより多く制限されるから、非常に効果的な抗菌剤系が使用されることが必要である。このような１つの組成物においては、汎用且つ床用の予め湿らせた拭取り具は、有効なレベルの洗剤用界面活性剤及びくえん酸を含有する溶液を約０．５％〜約５％のレベルで含有することができる。このような溶液の効能を高めるために、過酸化水素又はその源は約０．５％〜約３％加えることができる。代替の組成物は４級アンモニウム塩、例えばジオクチルジメチルアンモニウムクロリド、ジデシルジメチルアンモニウムクロリド、Ｃ12、Ｃ14及びＣ16のジメチルベンジルアンモニウムクロリドを約０．０５％より多いレベルで使用することができるであろう。このような成分は好ましいポリマーの利益をしばしば妨害することがわかった。これらの溶液(例えば、過酸化水素源、４級アンモニウム化合物及びくえん酸を含有する溶液)は、固体であり且つ高レベルで使用する必要があるので、高度の殺菌効能を与えながら、薄膜化した表面を残しうる。
【０１６５】
良好な最終結果の性能は、上記の非揮発性緩衝剤と組み合せて、クリーニング及び湿り性を与えるために、主に約０．２５％〜約１０％、より好ましくは約０．５％〜約５％で、上記の有機クリーニング溶剤含有する組成物により与えられる。親水性ポリマーを含有する低レベルの非揮発性緩衝剤は、香料及び抗菌剤を除外した非揮発物の合計レベルが約０％〜約０．０８％、より好ましくは約０％〜約０．０５５％、最も好ましくは約０％〜約０．０２５％であるように、有利に合体することができる。好ましい態様においては、界面活性剤、湿ったポリマー、緩衝剤及び疎水性有機クリーニング溶剤の組み合せは、約２５ダイン/cmより大きな、より好ましくは約３０ダイン/cmより大きな、最も好ましくは約３５ダイン/cmより大きな、水(７２ダイン/cm)からの表面張力の減少を与えるように選ばれる。場合により、低レベルのより有効な抗菌剤成分、例えばブロノポール、ヘキシジン(Angus  Chemicalにより販売)、Kathon(商品名)、2-(ヒドロキシメチル)(アミノ)エタノール、プロピレングリコール、ナトリウムヒドロキシメチルアミノアセテート、ホルムアルデヒド、及びグルタルアルデヒド、４級アンモニウム塩、例えばジオクチルジメチルアンモニウムクロリド、ジデシルジメチルアンモニウムクロリド、Ｃ12、Ｃ14及びＣ16のジメチルベンジル(Lonzaにより販売されているBardac(商品名)2280及びBarquat(商品名))、ジクロロ-ｓ-トリアジントリオン、トリクロロ-ｓ-トリアジントリオン、好ましくはAvicia  Chemicals販売の1,2-ベンツイソチアゾリン-3-オン、Aldrich-Sigma販売のクロロヘキシジン、ナトリウムピリチオン及びポリヘキサメチレングアニジンは、約０．００１％〜約０．１％、より好ましくは約０．００５％〜約０．０５％で、防腐利益及び／又は殺菌利益のために加えられる。
【０１６６】
本発明の湿った拭取り具の重要な利益は、本発明の好ましいすすぎ工程の欠如と組み合せた抗菌剤の賢明な選択、及び磨き工程の欠如(消費者は床及びカウンタートップをクリーニングして湿った最終結果を得る習慣がある)は、残りの抗菌利益ために許されるという事実である。残りの殺菌利益とは、約８時間〜約７２時間、より好ましくは約１２時間〜約４８時間、最も好ましくは少なくとも約２４時間は、バクテリア及び他の微生物に対して少なくとも約９９．９％の殺傷率で、湿った拭取り具により残りの抗菌剤が硬い表面に与えられることを意味する。残りの殺菌は、慣用のアプローチ(即ち、紙タオル、スポンジ、ぼろきれなどを有するスプレー製品)を使用して達成されうるが、予め湿らせた拭取り具は１つの包装中にクリーニング及び殺菌利益を与える付加された便利さを有する。残りの性質は、本発明の組成物に関連する抗菌剤の低い蒸気圧と高い殺傷効能の組み合せから生ずる。残りの殺菌利益は、非常に低いレベルの界面活性剤を含有する組成物に関して存在するならば、界面活性剤のレベルが高められた組成物中でより容易に達成されることを当業者は認めるであろう。残りの殺菌は、優れた最終結果と共に、湿った拭取り具の有効性に関して再保証を消費者に与えることができる。このような再保証は、菌が宿ることに特に敏感な表面、特にカウンタートップ、ストーブトップ、電気器具、ながし、家具、シャワー、ガラス、及び台所又は浴室内又はその近くにある他の据付品をクリーニングするような仕事にとっては最も重要である。
【０１６７】
湿った拭取り具、又はクリーニング中に湿った組成物と接触した結果として湿るようになる乾いた拭取り具から導かれる、残りの利益のための好ましい抗菌剤としては、Kathon(商品名)、2-(ヒドロキシメチル)(アミノ)エタノール、プロピレングリコール、ナトリウムヒドロキシメチルアミノアセテート、ホルムアルデヒド、及びグルタルアルデヒド、４級アンモニウム塩、例えばジオクチルジメチルアンモニウムクロリド、ジデシルジメチルアンモニウムクロリド、Ｃ12、Ｃ14及びＣ16のジメチルベンジル(Lonzaにより販売されているBardac(商品名)2280及びBarquat(商品名))、ジクロロ-ｓ-トリアジントリオン、トリクロロ-ｓ-トリアジントリオン、より好ましくはテトラキス(ヒドロキシメチル)ホスホニウムスルフェート(THPS)、Avicia  Chemicalsより販売されている1,2-ベンツイソチアゾリン-3-オン、Aldrich-Sigmaより販売されているクロロヘキシジン、ナトリウムピリチオン及びポリヘキサメチレングアニジンがあり、約０．００１％〜約０．１％、より好ましくは約０．００５％〜約０．０５％で加えられる。特定の抗菌剤及びそれらの組み合せは、配合者が望むように、特定のバクテリアに対して有効であるように選択される。好ましくは、抗菌剤はグラム陽性及びグラム陰性バクテリア、外膜及び未外膜ウイルス、消費者の家、ホテル、レストラン、商業的な設立物及び病院に通常居る黴に対して有効であるものが選ばれる。より好ましくは、抗菌剤は、Salmonella  choleraesuis、Pseudomonus  aeruginosa、Staphylococcus  aureus及びEscherichia  coli及びそれらの組み合せに対して残りの殺菌性を与える。可能である場合はいつでも、抗菌剤は１つより多いバクテリア微生物に対して、より好ましくは少なくとも１つのグラム陽性微生物及び少なくとも１つのグラム陰性微生物に対して残りの殺菌性を有するように選ばれる。
【０１６８】
本発明者らは、残りの殺菌性がｐＨを使って達成又は高めることができることを見出した。また、表面張力を約２５ダイン/cmまで、より好ましくは３０ダイン/cmまで減少させるために、低レベルの界面活性剤の使用は、予め湿らせた拭取り具に関しては、ｐＨ効果と組み合せて行うことが有利である。従って、組成物は１０．５以上のｐＨで又は３以下のｐＨで、望ましい残りの効能が与えられることがわかった。好ましい親水性の持続性ポリマーは、残りの活性剤、特に酢酸のような揮発性活性剤を改良するために使用することができる。ｐＨの使用は残余を達成するのに必要な上記の活性剤のレベルの低下を助けることもできる。ｐＨの結果として有効な好ましい活性剤としては乳酸、グリコール酸、Ｃ8、Ｃ9、Ｃ10の脂肪酸、水酸化ナトリウム、水酸化カリウムがある。
【０１６９】
このアプローチは、即ち、素晴らしい最終結果を与えるために、疎水性有機溶剤と揮発性緩衝剤、及び場合により低レベルの非揮発性原料物質の組み合せを、有効且つ縞化の少ない抗菌剤と組み合せて使用することは、汎用のクリーナー、ガラスクリーナー拭取り具、(モップ装具のある又はない)使い捨てパッドに使用される溶液を含む、ここに開示の種々の実際の適用において、行うことができる。
【０１７０】
本発明の組成物における低レベルの非揮発物の使用は、香料の合体についての挑戦が存在する。香料の溶解性を改良するための幾つかの方法を下記する。しかしながら、ある場合では、特に疎水性香料が望ましい場合は、香料の合体は問題がある。この問題を回避するためには、拭取り具(又はパッド)に濃厚な香料を直接塗布することにより香料の供給を達成させることが有利であることがわかった。この手法においては、実際にいずれの香料も使用することができる。濃厚な香料によって引き起こされうる残渣の欠点を最少にするために、香料は拭取り具又はパッドの周辺に、或は処理される表面と直接接しない領域に塗布することが好ましい。他の態様においては、香料は拭取り具を含有する包装の中に加えることもできる。同様に、低レベルの非揮発性活性剤の使用は、泡抑制剤を水性組成物に合体することをより困難にする。泡抑制剤は、泡を制御するためにより容易に且つより効果的に拭取り具に直接塗布することができることがわかった。これは、泡立ち過ぎるという消費者の知覚を招くのみならず、驚くべきことに表面乾燥の際に改良された最終結果を示すことがわかった。さらに、拭取り具への泡抑制剤の直接の適用は、製造及び包装中に泡立ちをうまく制御することにより、プロセスを非常に容易にすることがわかった。好ましい泡抑制剤は、基材当たり約０．１ｇ以下、より好ましくは約０．０１ｇ未満、最も好ましくは約０．００５ｇ未満の泡抑制剤レベルで有効であるものである。これについて最も好ましい泡抑制剤は、Dow  Corning  Co.により製造されているDCAFである。表面の外観を改良するための泡抑制剤の使用は、これらの物質が非常に低レベルで有効であるから、特に意義がある。
【０１７１】
Ｅ.  使い捨てクリーニングパッドと共に使用するための床クリーニング組成物
ガラス又は床拭取り具について前に記述の組成物は、特にすすぎなしのクリーニング適用に関係するから、溶液を表面に適用し、ついで使い捨てクリーニングパッドで表面をクリーニングするクリーニング系にも適する。使用される成分及びレベルの適切な選択は性能に有意な影響を与えることができる。
【０１７２】
すすぎなしの使い捨てクリーニングパッドは
a.  任意であるが好ましくは、接触角を減少させ及び／又は表面親水性を増大させるために有効な量で且つ組成物の約０．５重量％まで、好ましくは約０．００１重量％〜約０．４重量％、より好ましくは約０．００５重量％〜約０．３重量％の、好ましくは持続性があり、処理された表面を親水性にする親水性ポリマーであって、好ましくはポリスチレンスルホネート；ポリビニルピロリドン；ポリビニルピロリドンアクリル酸コポリマー；ポリビニルピロリドンアクリル酸コポリマーのナトリウム塩；ポリビニルピロリドンアクリル酸コポリマーのカリウム塩；ポリビニルピロリドン-ビニルイミダゾリン；ポリビニルピリジン；ポリビニルピリジンｎ-オキシド；及びそれらの混合物からなる群から選ばれるポリマーで；より好ましくはポリビニルピリジンｎ-オキシド；
【０１７３】
b.  任意であるが好ましくは有効な量、好ましくは組成物の約０．００１重量％〜約０．５重量％、より好ましくは約０．０５重量％〜約０．３重量％、最も好ましくは約０．０２重量％〜約０．３重量％の洗剤用界面活性剤であって、該洗剤用界面活性剤は、約８〜約１８、より好ましくは約８〜約１６の炭素原子を含有するアルキル基及び分子当たり約１〜約４、好ましくは約１〜約１．５のサッカリド部分を有するアルキルポリサッカリド洗剤用界面活性剤を含有し、好ましくは広いアルキル分布を有し、該アルキルポリサッカリド洗剤用界面活性剤は、前記親水性ポリマーが存在しないときに存在し、そして場合により、共界面活性剤として、約０．０１％〜約０．５％、好ましくは約０．０１％〜約０．４％、より好ましくは約０．０２５％〜約０．３％のアニオン性及び／又はノニオン性洗剤用界面活性剤、例えば好ましくはＣ8−Ｃ12の線状スルホネート、Ｃ8−Ｃ18のアルキルベンゼンスルホネート、Ｃ8−Ｃ18のアルキルスルフェート、Ｃ8−Ｃ18のアルキルプロポキシスルフェート、及びそれらの混合物からなる群から選ばれる；
【０１７４】
c.  場合により、クリーニングを高めるのに有効な量、例えば約０．５％〜約７％、好ましくは約０．５％〜約５％、より好ましくは約０．５％〜約４％の１種以上の有機クリーニング溶剤であって、好ましくはモノプロピレングリコールモノプロピルエーテル、モノプロピレングリコールモノブチルエーテル；ジプロピレングリコールモノプロピルエーテル；ジプロピレングリコールモノブチルエーテル；トリプロピレングリコールモノブチルエーテル；エチレングリコールモノブチルエーテル；ジエチレングリコールモノブチルエーテル、エチレングリコールモノヘキシルエーテル、ジエチレングリコールモノヘキシルエーテル；及びそれらの混合物からなる群から選ばれ、プロポキシプロパノールが最も好ましい；
【０１７５】
d.  場合により、クリーニング及び／又は抗菌作用を改良するのに有効な量の、例えば約０．０１％〜約１％、好ましくは約０．０１％〜約０．５％、より好ましくは約０．０１％〜約０．２５％の水溶性モノ又はポリカルボン酸；
【０１７６】
e.  場合により、有効な量で約１％までの、好ましくは約０．０１％〜約０．５％、より好ましくは約０．０２５％〜約０．２５％の置換又は未置換シクロデキストリン、好ましくは場合により、短鎖(１〜４の炭素原子)アルキル又はヒドロキシルアルキルで置換された、α、β又はγシクロデキストリンであって、該シクロデキストリンはβ-シクロデキストリン、ヒドロキシプロピルシクロデキストリン又はそれらの混合物が好ましい；
【０１７７】
ｆ.  場合により、漂白、クリーニング及び／又は抗菌作用を与えるのに有効な量で約５％まで、好ましくは約０．１％〜約４％、より好ましくは約１％〜約３％の過酸化水素；
【０１７８】
g.  場合により、約０．００５％〜約１％、好ましくは約０．００５％〜約０．５重量％、より好ましくは約０．０１％〜約０．１％の、ポリアクリレート、ガム、及びそれらの混合物からなる群から選ばれる増粘化ポリマー；
【０１７９】
h.  場合により、有効な量の臭い効果を与える香料、及び／又は付加的な補助剤；及び
【０１８０】
i.  場合により、有効な量、約０．０００１％〜約０．１％、より好ましくは約０．０００２５％〜約０．０５％、より好ましくは約０．００１％〜約０．０１％の泡抑制剤、好ましくはシリコーン泡抑制剤；及び
【０１８１】
j.  場合により、洗剤用ビルダー；
を含有し、そして任意であるが好ましくは、残部は水及び任意の水溶性溶剤を含有する水性溶剤系であり、その際該組成物は使用条件下において、は約２〜約１２、好ましくは約３〜約１１．５のｐＨを有し、前記疎水性クリーニング溶剤を含む疎水性物質のレベルは制限される。これらの洗剤組成物は、使い捨ての、好ましくは超吸収性の、好ましくはその使用を促進する装具に取り付けられたクリーニングパッドと組み合せて使用される。後記する超吸収性物質及び任意の装具を含有する好ましいパッドと共に使用することができる好ましい洗剤組成物は、超吸収性物質を溶液で過剰に負荷させることなく、溶液でクリーニングできるように十分な洗剤を要求するが、典型的には約０．５％以上の洗剤用界面活性剤があれば、性能は受けられる。従って、洗剤用界面活性剤のレベルは、好ましくは組成物の約０．００１重量％〜約０．５重量％、より好ましくは約０．００５重量％〜約０．４重量％、さらにより好ましくは約０．０２重量％〜約０．３重量％である。クリーニング溶剤を含む疎水性物質のレベルは、好ましくは約７％以下、より好ましくは約６％以下、さらにより好ましくは約５％以下であり、ｐＨは典型的には、縞化/薄膜化の問題を最少にするために、少なくとも一部は揮発性物質により与えられる。汚れが強い場合は脂用組成物ではアルカリ性ｐＨが好ましいが、汚れがカルシウム又はカルシウム石鹸沈着物を有する場合は低いｐＨが好ましい。
【０１８２】
好ましい緩衝剤としては、アンモニア、メタノールアミン、エタノールアミン、2-アミノ-2-メチル-1-プロパノール、2-ジメチルアミノ-2-メチル-1-プロパノール、酢酸、グリコール酸などがある。これらのうち最も好ましいものは、アンモニア、2-ジメチルアミノ-2-メチル-1-プロパノールである。
【０１８３】
適当な洗剤用ビルダーとしては、燐源から導かれるもの、例えばオルソホスフェート、ピロホスフェート、トリポリホスフェートなど、及び非燐源から導かれるもの、例えばニトリロトリアセテート；S,S-エチレンジアミンジスクシネートなどがある。適当なキレート化剤としては、エチレンジアミンテトラアセテート；シトレートなどがある。適当な泡抑制剤としては、シリコーンポリマー及び線状又は分岐状のＣ10-Ｃ18の脂肪酸又はアルコールがある。適当な洗剤用酵素としては、リパーゼ、プロテアーゼ、アミラーゼ、及び汚れの分解を触媒するために使用されることが知られている他の酵素がある。このような成分の合計レベルは、縞化/薄膜化の問題を避けるために、少ない、好ましくは約０．１％以下、より好ましくは約０．０５％以下である。好ましくは、組成物は縞化/薄膜化の問題を引き起こす物質を本質的に含有しないことである。従って、大部分の緩衝剤のために縞化/薄膜化を引き起こさないアルカリ性物質を使用することが望ましい。適当なアルカリ性緩衝剤は、カーボネート、ビカーボネート、シトレートなどである。好ましくはアルカリ性緩衝剤は下記式を有するアルカノールアミンである：            ＣＲ2(ＮＲ2)ＣＲ2ＯＨ
式中、各Ｒは水素、及び１〜４の炭素原子を有し、化合物中の合計の炭素原子が３〜６であるアルキル基からなる群から選ばれ、好ましくは2-ジメチルアミノ-2-メチル-1-プロパノールである。
【０１８４】
前記親水性ポリマーと共に、本発明の洗剤組成物及び／又はクリーニング溶液に使用される汚れ抑制剤、好ましくは水溶性ポリマーは場合により、エトキシル化及び／又はプロポキシル化ポリアルキルアミン、カルボキシレートポリマー、窒素ベースの双性ポリマー、ポリエチレンオキシド、ポリホスフェート、及びセルロースポリマーからなる群から選ぶことができる。好ましい汚れ抑制剤はエトキシル化ポリアルキルアミンである。このような試剤はVander  Meerの米国特許第4,891,160号(1990年1月2日発行)に記載されている。特別のエトキシル化アミンの製造法は、Ulrichらの米国特許第2,182,306号(1939年12月5日発行)；Mayleらの米国特許第3,033,746号(1962年5月8日発行)；Esseimannらの米国特許第2,208,095号(1940年7月16日発行)；Crowtherの米国特許第2,806,839号(1975年9月17日発行)；及びWilsonの米国特許第2,553,696号(1951年5月21日発行)に開示されている（これらの全ての特許はここに参考として合体される）。
【０１８５】
また、他の適当な化合物は、Watson,Randall  A；Gosselink,Eugene  P；及びZhang,Shulinの米国特許第5,565,145号(1996年10月15日発行)に開示されている（この特許もここに参考として合体される）。
【０１８６】
汚れ懸濁液における改良は、ビニルピロリドンポリマーとノニオン性セルロースエーテルの全ての混合割合で達成することができる。洗剤組成物中のビニルピロリドンポリマーとノニオン性セルロースエーテルの割合は、重量で、好ましくは約８：２〜約２：８、より好ましくは約６：４〜約４：６の範囲内である。このタイプの混合物はMichael  Hulfの米国特許第4,999,129号に開示されている。
【０１８７】
一つの好ましい態様においては、ガラス及び床拭取り具について学んだと同様に、低レベルの非揮発性成分を最少にしながら、高レベルの有機クリーニング溶剤を使用することは、セラミックのような表面をクリーニングすることが特に難しい場合に、霞又は縞を残さずに良好なクリーニング結果を得るのに有利である。これらの組成物は、上記の非揮発性緩衝剤と組み合せて、クリーニング性及び湿化を与えるために、約０．５％〜約１０％、より好ましくは約１％〜約５％の有機クリーニング溶剤を主に含有する。親水性ポリマーを含有する低レベルの揮発物は、香料及び抗菌剤を除いた非揮発物の合計レベルが約０％〜約０．２％、より好ましくは約０％〜約０．１％、より好ましくは約０％〜約０．０５５％、最も好ましくは約０％〜約０．０２５％で、有利に合体することができる。また、ガラス及び床拭取り具、カウンター及び壁拭取り具の場合のように、好ましくは高レベルの好ましい有機クリーニング溶剤と共に低レベルの非揮発性界面活性剤が使用された簡単な組成物は、親水性ポリマーが存在しないときでも、優れたクリーニング及び湿化特性を与えるのに十分であることがわかった。しかしながら、ポリマーの添加は、スポット化、霞化の防止及びつぎのクリーニングを容易にするというような他の利益を与えるために、有利に行うことができる。好ましい態様においては、界面活性剤、湿化ポリマー、緩衝剤及び疎水性有機溶剤の組み合せは、約２５ダイン/cmより大きな、より好ましくは約３０ダイン/cmより大きな、最も好ましくは約３５ダイン/cmより大きな、水(７２ダイン/cm)からの表面張力の減少を与えるように選ばれる。
【０１８８】
場合により、低レベルの抗菌剤成分、例えばブロノポール、ヘキシジン(Angus  Chemicalにより販売)、ジクロロ-ｓ-トリアジントリオン、トリクロロ-ｓ-トリアジントリオン、ジオクチルジメチルアンモニウムクロリド、ジデシルジメチルアンモニウムクロリドを含む４級アンモニウム塩、Ｃ12、Ｃ14及びＣ16のジメチルベンジル(Lonzaにより販売されているBardac(商品名)2280及びBarquat(商品名)MB-80)、Kathon(商品名)、2-(ヒドロキシメチル)(アミノ)エタノール、プロピレングリコール、ナトリウムヒドロキシメチルアミノアセテート、ホルムアルデヒド、及びグルタルアルデヒド、より好ましくはテトラキス(ヒドロキシメチルホスホニウムスルフェート(THPS)、1,2-ベンツイソチアゾリン-3-オン、クロロヘキシジンジアセテート、ナトリウムピリチオン及びポリヘキサメチレングアニジンは、約０．００１％〜約０．１％、より好ましくは約０．００５％〜約０．０５％で、良好な最終結果を維持しながら、防腐利益及び／又は抗菌利益のために加えられる。湿った拭取り具の場合(上記Ｄ、Ｄ1及びＤ２項)のように、残りの殺菌利益は、カウンタートップ、ストーブトップ、電気製品、ながし、家具、及びその他の台所又は浴室内又はその近くにある設置品をクリーニングする消費者には重要であるが、床、ガラス及び壁のクリーニングに関しては重要性は低い。このような利益は１種以上の抗菌剤により与えることができる。残りの殺菌についての全ての議論は上記Ｄ、Ｄ1及びＤ２項(床及び／又はカウンター及び壁用の湿らせた拭取り具)に与えられている。
【０１８９】
クリーニングパッドは、２０分(1,200秒)後に０．０９psiの限界圧力で測定されたときに(以下、「ｔ1200吸収容量」という)、クリーニングパッドｇ当たり少なくとも約１０ｇの脱イオン水の吸収容量を有することが好ましいであろう。パッドの吸収容量は、脱イオン水に曝された２０分後に測定されるが、これは消費者が床のような硬い表面をクリーニングするための典型的な時間を表す。限界圧力はクリーニング中にパッドに与えられる典型的な圧力を表す。このように、クリーニングパッドは、０.０９psiで、この1200秒以内で、十分な量のクリーニング溶液を吸収することができなければならない。クリーニングパッドは、好ましくは少なくとも約１５g/g、より好ましくは少なくとも約２０g/g、さらにより好ましくは少なくとも約２５g/g、最も好ましくは少なくとも約３０g/gのｔ1200吸収容量を有するであろう。クリーニングパッドは、好ましくは少なくとも約１０g/g、より好ましくは少なくとも約２０g/gのｔ900吸収容量を有するであろう。
【０１９０】
ｔ1200及びｔ900吸収容量の値は圧力下の性能(以下、「PUP」という)法により測定されるが、該方法はここにその全体が参考として合体されるHolt,Masters及びPingの米国特許出願第08/756,507号(1996年11月26日出願)の試験法の項に詳しく記載されている。この出願は本発明で使用されるパッド、装具などについての完全な開示を含んでいる。
【０１９１】
クリーニングパッドは、好ましいが必ずしも必要でないが,少なくとも約１００ｇ、より好ましくは少なくとも約２００ｇ、さらにより好ましくは少なくとも約３００ｇ、最も好ましくは少なくとも４００ｇの(脱イオン水の)合計流体容量を有するであろう。１００ｇ未満の合計流体容量を有するパッドは、本発明の範囲内であるが、典型的な家庭で見られるような大きな領域をクリーニングするには、高容量パッドのようには、適しない。
【０１９２】
１００ｇ未満を吸収するパッドは、特に浴室の床のような狭い領域をクリーニング又は殺菌するための上記の好ましい液体組成物と共に使用する場合は又は約１００ft2以下の小さな領域の消費者の家で洗われる床を典型的に有する消費者にとっては、有利である。これらの状況下で、消費者は、まだ利用し得る吸収容量を有している一部使用のパッドを強いて取っておくことは殆どないであろう。これらのパッドは、一部使用したパッドを取っておくことを望まない場合には、拾い上げを止めるのに適するかもしれない点で有利である。このパッドは超吸収性ポリマーを有する又は有しない吸収性構造からなる。
【０１９３】
パッドには、使用中にクリーニングパッドにより吸収された流体及び汚れを保持する働きをする吸収層及び擦り洗い層があることが好ましい。後記する好ましい擦り洗い層は流体を吸収するパッドの能力に関してある効果を有するが、好ましい吸収層は所望の全体的な吸収を達成する大部分の役割を演ずる。さらに、吸収層は、クリーニングパッドに複数の平らな表面を与えるようにデザインされた複数の層を含有することが好ましい。
【０１９４】
本質的な流体吸収の見地から、擦り洗い層が表面から汚れを連続的に除去する容量を有するように、吸収層は擦り洗い層から流体及び汚れを除去し得ることが好ましい。吸収層は、また吸収された汚れ、クリーニング液などの漏れ出しを避けるために、使用圧力下で吸収された物質を保持し得ることが好ましい。
【０１９５】
吸収層は、使用中に流体を吸収及び保持しうるいかなる物質から構成されることができる。所望の全体的な流体容量を達成するために、吸収層中に比較的高い流体容量(吸収性物質ｇ当たりの流体ｇ)を有する物質を包含することが好ましい。ここで使用される用語「超吸収性物質」とは、０．３psiの限界圧力で測定して、少なくとも約１５g/gの水についてのg/g容量を有する吸収性物質を意味する。本発明で有用な大部分のクリーニング流体は水性ベースであるので、超吸収性物質は水又は水ベースの流体について比較的高いg/g容積を有することが好ましい。
【０１９６】
代表的な超吸収性物質としては、文献で周知の、水不溶性の水膨潤性超吸収性ゲル化ポリマー(以下、「超吸収性ゲル化ポリマー」という)がある。これらの物質は水に対して非常に高い吸収容積を示す。本発明で有用な超吸収性ゲル化ポリマー幅広い範囲で変えられるザイス、型及び／又は形態であることができる。これらのポリマーは最大寸法と最少寸法の比が大きくない粒子の形態(例えば、顆粒、フレーク、粉末、粒子間物、凝集物、粒子間架橋凝集物など)、又は繊維、シート、フィルム、フォーム、ラミネートなどの形態であることができる。繊維形態の超吸収性ゲル化ポリマーの使用は、クリーニング中に、粒子に比較して超吸収性ゲル化ポリマーの高い保持性を与える利益を与える。このものの容積は水性ベースの混合物に対しては一般に小さいが、これらの物質はこのような混合物に対して十分な吸収容積を示す。特許文献は水膨潤性物質について十分に開示している。例えば、Harperらの米国特許第3,699,103号(1972年6月13日発行)；Harmonの米国特許第3,770,731号(1972年6月20日発行)；Brandtらの米国再発行特許第32,649号(1989年4月19日再発行)；Alemanyらの米国特許第4,843,735号(1989年5日30発行)参照。
【０１９７】
本発明で有用な超吸収性ゲル化ポリマーとしては、大量の流体を吸収しうる、水不溶性であるが水膨潤性の種々のポリマーがある。このような高分子物質は通常「ヒドロコロイド」と云われ、ポリサッカリド、例えばカルボキシメチル澱粉、カルボキシメチルセルロース、及びヒドロキシプロピルセルロース；ノニオンタイプのもの、例えばポリビニルアルコール、及びポリビニルエーテル；カチオンタイプのもの、例えばポリビニルピリジン、ポリビニルモルホリン、及びN,N-ジメチルアミノエチル、N-ジエチルアミノプロピルアクリレート及びメタクリレート、及びそれらの各々の４級アンモニウム塩を包含することができる。周知の物質は、例えばMasudaらの米国特許第4,076,663号(1978年2月28日発行)；Westermanらの米国特許第4,062,817号（1977年12月13日発行）により詳しく記載されている(これらの特許はここに参考として合体される)。
【０１９８】
好ましい超吸収性ゲル化ポリマーはカルボキシ基を含有する。これらのポリマーとしては、加水分解された澱粉-アクリロニトリルグラフトコポリマー、部分的に中和された澱粉-アクリル酸グラフトコポリマー、鹸化された酢酸ビニル-アクリルエステルコポリマー、加水分解されたアクリロニトリル又はアクリルアミドコポリマー、上記コポリマーのいずれかの僅かにネットワーク架橋されたポリマー、部分的に中和されたポリアクリル酸、及び部分的に中和されたポリアクリル酸の僅かにネットワーク架橋されたポリマーがある。これらのポリマーは単独で、又は２つ以上の異なるポリマーとの混合物の形態で使用することができる。これらのポリマーの例は、ここに参考として合体されるUS  3,66,875；US  4,076,663；US  4,666,983；及びUS  4,734,478に開示されている。
【０１９９】
超吸収性ゲル化ポリマーを造るのに使用される最も好ましいポリマー物質は、部分的に中和されたポリアクリル酸の僅かにネットワーク架橋されたポリマー及びその澱粉誘導体である。最も好ましくは、ヒドロゲル形成性吸収性ポリマーは約５０％〜約９５％、好ましくは約７５％の、中和され、僅かにネットワーク架橋されたポリアクリル酸(即ち、ポリ(ナトリウムアクリレート/アクリル酸))を含有する。ネットワーク架橋はポリマーを実質的に水不溶性にし、一部は、超吸収性ゲル化ポリマーの吸収容積及び抽出可能なポリマー含量特性を決定する。これらのポリマーをネットワーク架橋する方法及び典型的なネットワーク架橋剤は、US  4,076,663により詳しく記載されている。
【０２００】
超吸収性ゲル化ポリマーは、一つのタイプ(即ち、均質系)のものは好ましいが、ポリマーの混合物も本発明の装具に使用することができる。例えば、澱粉−アクリル酸グラフトコポリマー及び部分的に中和したポリアクリル酸の僅かにネットワーク架橋させたコポリマーは本発明に使用することができる。
【０２０１】
従来技術に記載のいずれの超吸収性ゲル化ポリマーも本発明においては有用であるが、超吸収性ゲル化ポリマーの十分なレベル(例えば約５０重量％以上の吸収構造)が吸収構造中に包含されている場合、特に吸収層の１つ以上の領域が約５０重量％以上の領域を有する場合は、膨潤した粒子がゲルブロックする問題は、流体の流れを妨げ、それにより所望の期間中にその全容量まで吸収するためのゲル化ポリマーの能力に悪影響を与える。Kellenbergerらの米国特許第5,147,343号(1992年9月15日発行)には、ゲル化ポリマーが０．３psiの限界圧力下で流体(0.9％サリン)を吸収する場合の、負荷下での吸収(AUL)による超吸収性ゲル化ポリマーが記載されている。AULの決定法は、上記特許に記載されている。そこに記載のポリマーは、比較的高レベルの超吸収性ゲル化ポリマーのある領域を含有する本発明の態様において、特に有用である。特に、高濃度の超吸収性ゲル化ポリマーをクリーニングパッドに混入する場合は、該ポリマーは、米国特許第5,147,343号に記載の方法で測定されたAULが１時間後に少なくとも約２４ml/g、より好ましくは少なくとも約２７ml/gであるか、又は米国特許第5,149,335号に記載の方法で測定されたAULが１５分後に少なくとも約１５ml/g、より好ましくは少なくとも約１８ml/gであるものである。ここに参考として合体されるGoldgmanらの米国特許出願第08/219,547号(1994年3月29日出願)及びGoldgmanらの米国特許第08/416,396号(1995年4月8日発行)には、ゲル化ブロッキングの問題が取り扱われ且つその現象を克服する有用な超吸収性ゲルポリマーが記載されている。これらの出願には、高い限界圧力、特に０．７psiでゲルブロッキングを避ける超吸収性ゲルポリマーが特に記載されている。吸収層が高レベル(例えば領域の５０％以上)の超吸収性ゲルポリマーを含有する本発明の態様においては、超吸収性ゲルポリマーはGoldgmanらの上記出願に記載されているようなものが好ましい。
【０２０２】
他の有用な超吸収性物質としては、親水性高分子フォーム、例えばDesMaraisらの米国特許出願第08/563,866号(1995年11月29日出願)及びDyerらの米国特許第5,387,207号(1995年2月7日発行)に記載されているものがある。これらの文献は、高い内相油中水型エマルジョン(以下、HIPEという)の重合により得られる高分子の親水性吸収フォームを記載している。これらのフォームは、流体の取り扱い能力に影響する種々の物理的性質(気孔サイズ、毛管吸引性など)を与えるように容易に造ることができる。これらの物質は、単独で、又は他のこのようなフォーム又は繊維構造物と組み合せて、本発明が要求する全体的な容量を与える点で、特に有用である。
【０２０３】
超吸収性物質が吸収層に含まれている場合は、吸収層は、好ましくは吸収層の少なくとも約１５重量％、より好ましくは少なくとも約２０重量％、さらにより好ましくは少なくとも約２５重量％の超吸収性物質を含有するであろう。
【０２０４】
吸収層は繊維状物質からなるか、又はそれを含有することもできる。本発明において有用な繊維としては、天然に生ずる(変性又は未変性の)繊維、並びに合成的に造られた繊維であるものがある。適当な変性又は未変性の天然繊維の例としては、Espartoガラス、バガセ、麻、亜麻、シルク、ウール、木材パルプ、化学変性木材パルプ、ジュート、エチルセルロース、及びセルロールアセテートがある。適当な合成繊維は、ポリビニルクロリド、ポリビニルフロリド、ポリテトラフルオロエチレン、ポリビニリデンクロリド、ポリアクリル、例えばORLON(商品名)、ポリビニルアセテート、Rayon(商品名)、ポリエチルビニルアセテート、不溶性又は可溶性ポリビニルアルコール、ポリオレフィン、例えばポリエチレン(例えばPULPEX(商品名))及びポリプロピレン、ポリアミド、例えばナイロン、ポリエステル、例えばDACRON(商品名)又はKODEL(商品名)、ポリウレタン、ポリスチレンなどから造ることができる。吸収層は天然繊維のみ、合成繊維のみ、又は天然繊維と合成繊維の適合しうる組み合せを含有することができる。
【０２０５】
ここで有用な繊維は親水性繊維、疎水性繊維、又はその両者を組み合せた繊維であることができる。上記したように、親水性繊維又は疎水性繊維の特別の選択は、吸収(及びある程度の擦り洗い)する層中に含まれる他の物質に依存する。即ち、繊維の性質は、クリーニングパッドが必要な流体の遅れ及び全体的な流体吸収性を示すようであることである。本発明において使用に適する親水性繊維としては、セルロース繊維、変性セルロース繊維、レーヨン、綿、ポリエステル繊維、例えば親水性ナイロン(HYDROFIL(商品名))がある。適当な親水性繊維は疎水性繊維、例えばポリエチレン、ポリプロピレンのようなポリオレフィン、ポリアクリル、ポリアミド、ポリスチレン、ポリウレタンなどから導かれる界面活性剤処理又はシリカ処理された熱可塑性繊維を親水性化することにより得ることができる。
【０２０６】
適当な木材パルプはクラフト及びスルフィット処理のような周知の化学処理から得ることができる。南部の柔らかな木材は高級な吸収特性を有するので、それから木材パルプを導くことが特に好ましい。これらの木材パルプ繊維は機械的な方法、例えば木材の破砕、機械的、熱機械的、化学機械的、及び化学−熱機械的なパルプ法から得ることができる。リサイクルされた又は２次的な木材パルプ繊維並びに漂白された又は未漂白の木材パルプを使用することができる。
【０２０７】
本発明で使用される他のタイプの親水性繊維は化学的に剛化(stiff)されたセルロース繊維である。こくで使用される用語「化学的に剛化されたセルロース繊維」とは、乾燥及び水性の両状態で繊維の剛性を高めるために、化学的手段により剛くされているセルロース繊維を意味する。このような手段としては、繊維を被覆又は含浸するような化学的剛化剤の添加がある。このような手段としては、化学構造を変えること、例えばポリマー鎖を架橋することによる繊維の剛化もある。
【０２０８】
繊維が吸収層(又はその構成成分)として使用される場合は、繊維は場合により熱可塑性物質と組み合せることができる。溶融した際には、熱可塑性物質の少なくとも一部は、典型的には内繊維毛管傾斜により、繊維の内部に移動する。これらの交点は熱可塑性物質ための結合サイトとなる。冷却された場合は、熱可塑性物質は３つの交点で固化し、各々の層において一緒にマトリックス又は基材を保持する結合サイトを形成する。これはクリーニングパッドに付加的な全体の完全性を与えるのに有利である。
【０２０９】
種々の効果のうち、繊維の交点での結合は、得られた熱的に結合された繊維の圧縮弾性率及び強度を増大させる。化学的剛化繊維の場合、熱可塑性物質の溶融及び移動は、最初に形成された基材の密度及び基礎重量を維持しながら、得られた基材の平均的気孔サイズを増大させる効果を有する。これは、初期に液体に曝された際には改良された流体透過性により、つぎに曝された際には湿化の際に剛性を保持するための剛化繊維の能力と湿化又は湿化圧縮の際の繊維交点での結合を存続させるための熱可塑性物質の能力との結合により、熱的結合基材の流体獲得性を改良する。結局、剛化繊維の熱的結合基材は元の全体の容積を保持するが、熱可塑性物質により予め占められている容積領域は開かれ、従って平均の内繊維毛管気孔ザイズが増大する。
【０２１０】
本発明において有用な熱可塑性物質は、粒状物、繊維又はそれらの混合を含む種々の形態であることができる。熱可塑性繊維は、多くの内繊維結合サイトを形成する能力のために、特に好ましい形態である。適当な熱可塑性物質は、各層の主な基材又はマトリックスを含有する繊維を著しく損傷させない温度で溶融しうる熱可塑性ポリマーから造ることができる。好ましくは、この熱可塑性物質の融点は約１９０℃以下、好ましくは約７５℃と約１７５℃の間である。重要なことは、クリーニングパッドに使用される場合は、熱可塑性物質の融点は熱的結合吸収構造が蓄えられるような温度より低くならないことである。熱可塑性物質の融点は、典型的には約５０℃以上である。
【０２１１】
熱可塑性物質、特に熱可塑性繊維は種々の熱可塑性ポリマーから造ることができ、例えばポリエチレン(例えばPULPEX(商品名))及びポリプロピレン、ポリエステル、コポリエステル、ポリビニルアセテート、ポリエチルビニルアセテート、ポリビニルクロリド、ポリアクリル、ポリアミド、コポリアミド、ポリスチレン、ポリウレタン、及びビニルクロリド/ビニルアセテートのような上記いずれかのコポリマーなどが含まれる。適当な熱可塑性繊維は、得られた熱的結合吸収体の所望の性質に依存して、ポリエチレン、ポリプロピレンのようなポリオレフィン、ポリアミド、ポリアクリル、ポリスチレン、ポリウレタンなどから導かれる界面活性剤処理又はシリカ処理された熱可塑性繊維のような、親水性されている疎水性繊維を包含する。疎水性熱可塑性繊維の表面は、ノニオン性又はアニオン性界面活性剤のような界面活性剤で処理すること、繊維を界面活性剤へ浸漬すること、又は熱可塑性繊維の製造時に溶融したポリマーの一部として表面を含ませることにより疎水性にすることができる。溶融及び再固化の際に、界面活性剤は熱可塑性繊維の表面に保持される傾向がある。適当な界面活性剤としては、ノニオン性界面活性剤、例えばICI  Americas,Inc.により製造されているBrij(商品名)及びGlyco  Chemical,Inc.よりPegosperseの商品名で販売されている種々の界面活性剤がある。ノニオン性界面活性剤と共に、アニオン性界面活性剤も使用することができる。これらの界面活性剤は、例えば熱可塑性繊維ｃｍ2当たり約０．２〜約１ｇのレベルで熱可塑性繊維に適用することができる。
【０２１２】
適当な熱可塑性繊維は単一ポリマー(1成分繊維)から造ることができ、或は１つより多いポリマー(２成分繊維)から造ることができる。ここで使用される用語「２成分繊維」とは、ポリマーから造られた熱可塑性のさやの内部に包まれた異なるポリマーから造られたコア繊維を有する熱可塑性繊維をいう。さやを構成するポリマーはしばしば、異なる、典型的にはコアを構成するポリマーよりも低い温度で溶融する。結果として、これらの２成分繊維は、コアポリマーの望ましい強度特性を維持しながら、さやポリマーの溶融により熱的結合を与える。
【０２１３】
本発明で使用される適当な２成分繊維は下記のポリマーの組み合せを有するさや/コア繊維を包含することができる：ポリエチレン/ポリプロピレン、ポリビニルアセテート/ポリプロピレン、ポリエチレン/ポリエスエル、ポリプロピレン/ポリエスエル、コポリエステル/ポリエスエルなど。ここで使用される特に適当な２成分熱可塑性繊維はポリエスエル又はポリプロピレンのコア及び低融点コポリエステル、ポリエチルビニルアセテート又はポリプロピレンのさやを有するもの(例えば、Chisso  Corp.からDanaklon  の商品名で及びHerculesからCELBONDの商品名で入手可能なもの)である。２成分繊維は同心又は偏心であることができる。ここで使用される用語「同心」及び「偏心」とは、２成分繊維の断面積を通して，等しい又は等しくない厚さをさやが有しているかどうかをいう。偏心の２成分繊維は薄い繊維厚さでより大きな圧縮強度を与える点で望ましい。
【０２１４】
熱的結合繊維状物質の製造法は、Richardsらの米国特許出願第08/479,096号（1995年7月3日出願）(特に16-20頁参照)及びHomeyらの米国特許第5,549,589号(1996年8月27日発行)(特に6-10欄参照)に記載されている。これらの特許はここに参考として合体される。
【０２１５】
吸収層は、高吸収性の「超吸収性ゲル化ポリマー」として上記したものを有しない、HIPE-誘導親水性高分子発泡体からなることができる。このような発泡体及びそれの製造法はDesmaraisの米国特許第5,550,167号(1996年8月27日発行)；及びStoneらの米国特許出願第08/370,695号(1995年1月10日出願)に記載されている。(これらの特許はここに参考として合体される。)
【０２１６】
クリーニングパッドの吸収層は均質な物質、例えばセルロース繊維のブレンド(場合により熱的に結合されたもの)及び膨潤性超吸収性ゲル化ポリマーからなることができる。代わりに、吸収層は物質の別々の層、例えば熱的に結合されエアレイされた物質と超吸収性物質の別の層からなることができる。例えば、セルロース繊維の熱的に結合され層は超吸収性物質より低い位置(即ち、超吸収性物質と擦り洗い層の間)に置くことができる。流体の摂取における初期の遅れを与える同じ時間で、圧力下での流体の高吸収容積及び保持を達成するために、吸収層を形成する場合にこのような別々の層を使用することが好ましい。これに関して、超吸収性物質は、吸収層の最低の観点として、殆ど吸収しない層を含ませることにより擦り洗い層から遠く離れた位置に置くことができる。例えば、セルロース繊維の層は、超吸収性物質より下の位置(即ち、超吸収性物質と擦り洗い層の間)に置くことができる。
【０２１７】
好ましい態様においては、吸収層はセルロース繊維の熱的に結合されエアレイされた基材(Weyerhaeuserから入手可能なFlint  River)及びAL  Thermal  C(Danaklon  a/sから入手可能な熱可塑性樹脂)、及び膨潤性ヒドロゲル形成性超吸収性ポリマーを含有する。超吸収性ポリマーは、別々の層が擦り洗い層から遠く離れた吸収層の表面近くに位置するように合体されることが好ましい。好ましくは、例えば(場合により熱的に結合された)セルロース繊維の薄い層は、封じ込めを高めるために超吸収性ゲル化ポリマーの上に位置させることである。
【０２１８】
擦り洗い層はクリーニング中に汚れた表面と接触するクリーニングパッドの部分である。かくして、擦り洗い層として有用な物質は、層がクリーニング中にその完全性を保持されるのに十分に持続性のあるものでなければならない。また、クリーニングパッドが溶液と組み合せて使用される場合は、擦り洗い層は液体及び汚れを吸収し、該液体及び汚れを吸収層へ譲り渡すことができなければならない。このことは、擦り洗い層がクリーニングされている表面から付加的な物質を連続的に除去することができることを保証するであろう。クリーニング溶液を有する(即ち、湿った状態)又はクリーニング溶液を有しない(即ち、乾いた状態)装具を使用するかどうかで、擦り洗い層は、粒状物質の除去と共に、他の機能、例えばクリーニングされる表面の艶出し、埃取り及び磨きを促進する。
【０２１９】
擦り洗い層は、一層構造、又は層の１つ以上が汚れた表面の擦り洗い及び粒状物質の取り上げを促進させることができる多層構造であることができる。この擦り洗い層は、汚れた表面の上を通過するとき、汚れ及び(使用される場合はクリーニング溶液)と相互反応し強靭な汚れをほぐし且つ乳化させ、そして汚れを自由にパッドの吸収層中へ送ることを可能にする。擦り洗い層は、大きな粒状の汚れに、自由に動きそしてパッドの吸収層内に包まれるようになるような容易な道を与える開口（例えばスリット）を有することが好ましい。粒状物をパッドの吸収層への移送を促進するために、擦り洗い層として使用するには低密度の構造が好ましい。
【０２２０】
望ましい完全性を提供するためには、擦り洗い層に特に適する物質としては、合成品、例えばポリオレフィン(例えば、ポリエチレン及びポリプロピレン)、ポリエステル、ポリアミド、合成セルロース(例えばレーヨン)及びそれらのブレンドがある。このような合成物質は、毛羽立て、スパンボンド、メルトブロー、エアレイ、ニードル、パンチなどの公知の方法を使用して造ることができる。
【０２２１】
本発明のクリーニングパッドは、場合によりパッドを装具のハンドル又は好ましい装具中の支持ヘッドに接続させ得る取り付け層を有する。取り付け層は、吸収層がパッドがハンドルの支持ヘッドに付いていることが適当でないような態様において、必要であろう。取り付け層は、また頂部表面(即ち、ハンドルを有する表面)を通る流体の流れを妨げる手段として機能することができる。擦り洗い層及び吸収層のように、取り付け層は、上記要求を満たす限り、一層、又は多層構造からなることができる。
【０２２２】
取り付け層は、公知のフック及びループ技法によりハンドルの支持ヘッドを機械的に付けることができる表面を有する。このような態様においては、取り付け層は、ハンドルの支持ヘッドの底面に永久的に固定するフックに機械的に付けることができる少なくとも１つの表面を有するであろう。
【０２２３】
望ましい流体の不浸透性及び拘束性の達成のために、積層された構造、例えばメルトブローフィルム及び繊維の不織布構造を有することが好ましい。好ましい態様においては、取り付け層は、スパンボンドされたポリプロピレンの２つの層の間に挟まれたメルトブローされたポリプロピレンフィルムを有する３層物質である。
【０２２４】
製造法
本発明の組成物は全ての成分を一緒に混合して造ることができる。活性剤が低レベルで存在する場合に、香料を最大限に溶解させるためには、好ましい添加順序が必要であることがわかった。これは上記したような香料組成物のようなプレミックスを造り、ついでベース製品に加えることに関係する。プレミックスはつぎの順序で加えられる原料を含有する：界面活性剤、あるにしても約２５％又はそれ以上で、つぎに香料、つぎにポリマー、つぎに任意の泡抑制剤である。ある場合は、溶剤及び／又は任意の緩衝剤を、任意の泡抑制剤の後にプレミックスに加えるのが有利である。プレミックスの混合により、最良の結果が与えられる。プレミックスはついで水及び他の成分を含有するベースに加えられる。組み合せられた混合物(即ち、ベース中のプレミックス)はついで混合されて均質な溶液が得られる。
【０２２５】
制限された界面活性剤により組成物中に最大限の香料を混入させる他の好ましい方法は、香料が水性媒体中のシクロデキストリン混合物に加えられるプレミックスを造ることである。代わりに、プレミックスの前に香料-シクロデキストリン混合物を予め形成させることができる。この試みは最大限の香料を組成物中に混入させることを確実にし、少ない界面活性剤で又は界面活性剤なしで香料を組成物に供給することができる。
【０２２６】
ある場合には、香料の溶解は好ましい処理法によっても達成できない。しかしながら、カウンター及び床クリーナー(これらに限定されない)のような適用においては、全体が均質な組成物を使用物品に直接加えることができる。この方法の使用の例はとしては、予め湿らせた拭取り具、溶液と共に使用される乾いた吸収基材がある。
【０２２７】
界面活性剤レベルが組成物中の香料の溶解性を制限しない場合は、一工程製造法が行われる。例えば、許される添加順序は、先ず水、洗剤用界面活性剤及び／又は有機酸が混入され、ついで疎水性クリーニング溶剤が混入される。溶剤が加えられたとき、配合者が望むように、ｐＨが最適に調整される。ついでポリマーが加えられ、ついで任意の過酸化水素、香料及び／又は染料が加えられる。
【０２２８】
Ｆ．「香料」組成物
上記Ａ，Ｂ，Ｃ，Ｄ及びＥ項に記載の組成物は、親水性ポリマーによる十分なレベルの香料を溶解させるための能力のために、濃厚な形態で使用されることが有利である。例えば100万分の100部で水に完全には溶解されない香料は、約０．０５％以上の親水性ポリマーを使用して溶解することができる。また、好ましいアルキルポリグルコシドは、低レベルで香料の溶解性を改良するために使用することができる。低レベルとは、０．０５％未満のポリグルコシドの濃度を意味する。好ましいポリグルコシドは基礎重量で３〜１０倍の香料を水に溶解することができることがわかり、そして香料を溶解/分散させるポリマーの能力はより多く改良される。これは、残渣を最少にするために非揮発性物質の量を低く保つから、有利である。例えば、０．５％PVNOと共に０．５％の好ましいアルキルポリグルコシドを約０．５％までの香料の溶解に使用することができる。低い界面活性剤及び親水性ポリマーレベルでは、香料と活性剤との大きな割合が採用されうる。従って、他のノニオン性界面活性剤が半分のレベルの香料を溶解させる場合に、０．０３％のアルキルポリグルコシド及び約０．０１５％の組み合せは約０．１％までの香料を溶解させることができる。
【０２２９】
Ｇ．使用方法
好ましい使用法では、本発明の組成物は、、スプレー容器、又はスポンジ、布、モップ、拭取り具、ローラー、吸収性パッド、予め湿らせた拭取り具などのような分配用具を使用して、実質的に全てのシャワー、浴槽、床、カウンター、壁、ガラスなどに分配される。分配は実質的に均一であることが好ましい。すすぎなしは必要であること、及び実際に、方法の効率がすすぎをしないことで改良されるから、意図とは逆の効果を招くことができることは、本発明の製品のタイプとして有利である。ポリマーは表面を親水性にするために表面に留まる結果として主に効果的である。実際に、方法はポリマー、又はポリマー及び香料の水性溶液を表面に塗布することを包含することができる。
【０２３０】
使用説明書は、包装及び／又は広告(例えばリーフレット、クーポン、展示品など)に、消費者の馴染みのある用語で与えられる。消費者の馴染みのある用語とは、消費者に製品をいかに好ましく使用するかを教えること、例えば、最良の結果を達成するために、「２平方フィート当たり５回スプレーを適用する」、「貴女のシャワー壁の全部をカバーするために電気スプレー装置を使用する」、「濃厚な床クリーナー製品１カップをバケツ半分の水で薄めて使用する」、を意味する。消費者に与えられた計量の単位は消費者の理解を反映するであろう。例えば米国では英語の投与単位が好ましく、メートル単位は殆どの欧州国で使用されるであろう。説明を消費者に馴染ませることを助ける言葉付き又はなしで、絵を使用することができる。特別な包装のデザインは、消費者に馴染のある説明を伝達するために使用することが有利である。人間的なアピールは言葉で及び絵付き又はなしで、製品の使用を直感させることができる。特に、包装は適当な投与を促進するようにデザインすることができる。以下に記載の全ての方法はメートル単位で書かれているが、これらの単位は、上記で説明したように実際の製品の包装、広告などにおいて、消費者に馴染のある用語の説明に変換されるものと理解される。
【０２３１】
硬い表面の処理のために従来販売されている組成物のタイプに反して、本発明の組成物の使用は改良された性能を与える。好ましいＣ8-16のアルキルポリグリコシド、特に幅広いアルキル分布を有するアルキルポリグリコシド界面活性剤を含有する洗剤組成物は綺麗な状態で表面を維持するためにシャワー又は入浴後の処理の一部として浴室表面に適用する方法、及び同様に吸収性パッドを使用して床をクリーニングする方法は、ポリマーが存在しなくても表面の外観が改良されれるから、望ましい。しかしながら、最良の外観は、その組み合せにより与えられる。実際に、従来販売されている組成物は、表面が均等に乾燥されないために、スポット及び／又は縞を示し、表面を醜くしている。本発明の組成物/溶液は、このようなことをなくし、そして即座に外観を改良することができるので有利である。同様の利益は床クリーナーなどに関しても観察される。ポリマーは汚れ、堅固なものなどが表面に接着するのを抑制するので、消費者が外観のためにポリマーを除去する又はすすぐであろう外観の関心事が避けれれる。
【０２３２】
Ｇ１．「毎日のシャワー」法
浴室及び／又はシャワーメンテナンス用の製品に関しては、親水性ポリマーを含有する有効な量の組成物が、処理される表面をカバーするために、使用される。分配は、スプレー装置、ローラー、１つ以上のパッドなどを用いて達成することができるが、スプレー装置が好ましい。組成物及びその使用態様のより重要な利益の一つは、汚れ防止及び汚れ形成防止、及びシャワー及び関連領域の全般的な綺麗さである。
【０２３３】
シャワー及び関連表面における汚れ防止、悪臭制御、脱臭、防菌、及び汚れ形成抑制に関係する最良の結果のためには、製品は約５ml/m2〜約５０ml/m2、より好ましくは約１０ml/m2〜約３０ml/m2が使用適用される。投与量は始めのシャワーの綺麗さに依存するであろう。
【０２３４】
最良の結果のために、方法は綺麗なシャワーで始められる。これは、必要な製品の量を減少させ、より長い存続性、持続的な利益を与え、良好な初期及び継続的結果を導く。汚れが低レベルである場合は、望ましい最終結果を達成するためには、長期間、通常は２から４週間の使用が要求される。
【０２３５】
臭いの制御のためには、毎日のシャワーメンテナンス製品はシクロデキストリンを含有することが有利である。薄膜化/縞化が最少になるように、香料及びシクロデキストリンのレベル及びタイプの選択は注意すべきである。これは、残った汚れが良く見える輝いている製品、例えばクロム及びガラスにおいて、本当である。これを達成するために、香料は高水溶性のものを選ぶことが好ましい。シクロデキストリンがない又は少ない場合でさえも、製品が直接、即ち毎日の基準で使用されれば、脱臭及び悪臭制御を達成することができる。輝きが鈍いか、又は表面が輝いていない表面、例えば繊維ガラス及びマットセラミックについては、高レベルの界面活性剤、ポリマー、香料及びシクロデキストリンを使用することができる。
【０２３６】
溶液の量は、ポリマーが均一に分配され且つ最大のシート化及びスポット化の利益が達成されるように、処理される表面が完全にカバーされるのに十分であることが好ましい。いずれの場合においても、本発明の毎日の適用は表面を完全に覆う結果となるであろう。
【０２３７】
また、完全に覆うことによる規則的な製品の使用は、綺麗さを維持するのみならず、静菌及び静黴利益を与える。即ち処理された表面にバクテリア及びかびが現れるのを防止するであろう。他の菌の出現は、ここに開示された使用説明書を使用して除去又は実質的に最少にすることもできる。この使用態様は、微生物の制御を扱うための慣用の試みに比して、より容易な手段を与える(即ち、厳しい縞を付ける活性剤、例えば漂白剤、４級アンモニウム塩などをの必要性を省く又は最少にする)。
【０２３８】
毎日のシャワー組成物は、最良の結果のために頻繁に、即ち好ましくは毎日又は各シャワー後に使用することを意図するから、製品及び配給機構は容易に利用できることが重要である。包装及び配給機構は使用領域に近接して保管されるようにデザインされることが好ましい。かくして、包装は軽く、取り扱い容易で、適用容易であるべきである。包装は、浴室環境と良く融和した美的に心地よい特徴を包含し、且つ場合により、容易な貯蔵及び製品の補充を可能にする装置を包含することが好ましい。包装と別の装置としては、ぶら下げバスケット、シャワーヘッド、壁、浴槽のドアー面などに直接付けられた棚があるが、これらに限定されない。包装の一部であることができる装置としては、壁、ドアー、シャワーに製品を取り付けるため及び／又は貯蔵するために、フック、ファスナー、吸引カップ、接着剤、スクリューなどがある。詰め替え包装が使用される場合は、詰め替えは、上記したように容易な利用及び貯蔵のためにデザインされるべきである。これは、詰め替え包装が最も近いときは、製品の毎日の使用が容易に維持されることが重要である。
【０２３９】
場合により、詰め替えの必要性を最少にしながら、長い期間容易な使用及びメンテナンスを達成するために、ホース及び関連する配給機構を有する大きなシステムユニットを使用することができる。このような配給システムとの例としては、手動圧力ポンプ及び機械的に又は電池で操作されるポンプ、又は電気ポンプを組み込んだボックスがある。これらの装置はシャワー及び浴槽ユニットの一部として、直接取り付けることができるか、又は別の外部ユニットであることができる。電気ポンプは、安全性のために電圧が制限された装置により電源接続すべきである。別の装置としては、上記の全ての固定機構を使用することができ、又は装置は完全に取り付けなくても良い。任意であるが好ましくは、上記の全てのシステムユニットは、適当な投与量、圧力、蒸気、温度調節及び適用範囲のパターンの制御のための装置を備えていることができる。これを実行するには、活性剤の最適で且つ長く持続する配給を与えるように、濃厚物は水と混合することができる。
【０２４０】
Ｇ２.  壁のクリーニング方法
壁クリーナーに関しては、組成物は磨き装具と組み合せたスプレー装置が使用され、ローラー、例えば人力及び動力塗装ローラーを用いてより便利に投与される。ローラーを用いる場合は、ローラーから汚れを除くことが重要である。これは、非常に汚れたときに装置を水で洗うか、又はローラーから汚れを取りの除く絞り機を用いることにより、達成することができる。絞り機は別に使用することができ、又はローラーと共に収納することができる。
【０２４１】
場合により、装具は、領域に届くこと、適用範囲、使用の容易さを確実にするためのハンドルが取り付けられる。便利さを高めるために、組成物は予め湿らせた拭取り具の形態に供給することができる。予め湿らせた拭取り具は、一度の実行で、クリーニング液及び擦り洗いされた表面を全て提供することができる。
【０２４２】
投与量、及び表面が損傷に敏感な適用範囲を制御することは本質的に重要なことである。最良の結果、即ち表面の損傷がないか、最少の汚れ除去のためには、投与量は好ましくは約１ml/m2〜約２０ml/m2、より好ましくは約２ml/m2〜約１０ml/m2であるべきである。最良の結果のためには、製品は上記の推奨される投与量で、完全に処理されるべき表面がカバーされるように適用され、そして空気乾燥される。使用説明書は好ましい適用パターン及び投与量を詳記した言葉及び／又は絵を包含する。本発明の組成物はマイルドで且つ殆どの塗装面への傷を最少にする。溶剤の使用は制限するか、存在させないことが好ましい。壁のクリーニングに好ましい組成物は、親水性ポリマーと共に又はそれなしで、好ましいＣ8-16のアルキルポリグリコシドを含有する。この組成物は、製品がマイルドであり且つ通常は活性剤が低レベルであるので、軽い仕事、例えば塗装された及び／又は壁紙の表面の普通のメンテナンスには理想的に適している。親水性ポリマーにより与えられる、塗装された壁の付加的な利益としては、輝いた光沢の復元及び汚れの防止がある。
【０２４３】
Ｇ３.  カウンター及び／又はキャビネットのクリーニング方法
カウンター及び／又はキャビネットのクリーナーに関しては、組成物は磨き装具と組み合せたスプレー装置を用いて供給するか、又は領域に届くこと、適用範囲、使用の容易さを確実にするためのハンドルが取り付けられた装具を用いて投与することができる。場合により、便利さを高めるために、組成物は予め湿らせた拭取り具の形態に供給することができる。予め湿らせた拭取り具は、一度の実行で、クリーニング液及び擦り洗いされた表面を全て提供することができる。最良の結果、即ちすすぎを必要としないように処理された領域に高い光沢を与え且つ縞を与えずに汚れを除去するためには、投与量は好ましくは約５ml/m2〜約３０ml/m2、より好ましくは約１０ml/m2〜約２０ml/m2であるべきである。本発明の組成物はマイルドで且つ殆どの塗装面及び木材又は使われたFormica(商品名)への傷を最少にする。壁のクリーニングに好ましい組成物は、親水性ポリマーと共に又はそれなしで、好ましいＣ8-16のアルキルポリグリコシドを含有する。この組成物は、製品がマイルドであり且つ通常は活性剤が低レベルであるので、軽い仕事、即ち毎日或は毎週のメンテナンスには理想的に適している。重要なことは、親水性ポリマーの残りのレベルが輝き及び汚れ防止を提供することである。溶剤、特に揮発性溶剤は、必要ならば、すすぎをしない適用において縞のない付加的なクリーニングを与えるので、これらの組成物に混入することが好ましい。組成物は次回の容易な脂のクリーニング利益を与え、表面に残っているポリマーにより食物及び汚れを覆う。また、組成物はクリーニングを改良するもの、例えば研磨パッド、熱及び蒸気と共に使用することもできる。カウンターのためには、抗菌利益が特に望ましい。この組成物は基材により与えられる殺菌組成物の殺菌利益を高めることができることがわかった。
【０２４４】
Ｇ４.  ガラスのクリーニング法
ガラス及び光沢表面クリーナーに関しては、組成物は磨き装具と組み合せたスプレー装置を用いて供給するか、又は領域に届くこと、適用範囲、使用の容易さを確実にするためのハンドルが取り付けられた装具を用いて投与することができる。製品は、ガラス表面にスプレー又は塗布されたとき、吸収性紙タオル又は布などで拭うことができる。最良の結果のためには、好ましい拭いパターンは、ガラスの上部左手(又は右手)角から始め、横横パターンを続けながら下への拭いパターンを進め、低部左又は右角で終わる、横から横への重複運動からなる。ついで、タオル又は布は綺麗な乾いた面を与えるために裏返し、そしてガラスは、ガラスの左手(又は右手)終点から始められ、そして拭い運動がガラス前面をカバーするように右(又は左)に進められる上下パターンで磨かれる。代替の拭いパターンは、上下に拭う運動で始め、タオル又は布の裏返し、そして横から横へ拭う運動で終わる。代替の拭い法は、単に横横及び上下拭いパターンのタイミングを逆にするだけである。横横及び上下パターンの組み合せ利益は溶液の広がりを改良する結果としての縞の最小化及び紙タオルの線状の運動からの縞線の除去(即ち、紙タオル又は布の端は拭われた場所の可視の境界を与える)である。上記の拭いパターンにより、溶液は平方メートル当たり約１０〜約２０回のスプレー(１回のスプレーで約１〜２mlと推定)の適用レベルで塗布されるべきである。上記の好ましいクリーニングパターンは、一外層は予め湿っているが、他の層は使用前は乾いている多層の予め湿らせた拭取り具について使用することが有利である。このような場合は、タオルが裏返されたときに乾いた面がクリーニングすべき表面に現れるようにして、予め湿らせた外層で、拭いが先ず行われる。この手法においては、クリーニングは、非常に汚れた環境においてしばしば好ましい磨き工程により達成される。水のシート化及び防霧を含む親水性ポリマーの利益の多くは、磨き工程がプロセス中に含まれていても、実質的に維持される。磨き用にデザインされた乾いた外層を含む予め湿らせた拭取り具において、親水性ポリマーのレベルが高められるべきであるかもしれないと当業者は認識するであろう。
【０２４５】
Ｇ５.  床のクリーニング法
床表面クリーナーに関しては、組成物はスポンジ、帯状又は糸状モップを用いて供給することができる。床クリーナーとは、家庭及びオフィスの内部及び外部の普通のフローリングのクリーニング及び保存を意図する組成物を意味する。本発明の組成物でクリーニングすることができる床としては、居間、食堂、台所、浴室、地下室、屋根裏部屋、テラスなどがある。これらの床はセラミック、磁器、大理石、Formica(商品名)、非ワックスビニル、リノリューム、木材、石切タイル、レンガ又はセメントなどからなる。
【０２４６】
便利な、即ち好ましくはモップハンド及びハンドルを備えたスポンジ、帯状又は糸状装具に関しては、組成物は容易に使用すること、即ちそのままで、又は説明書に特記されている希釈倍率でバケツ又は他の適当な容器中で希釈して、使用することができる。最良の結果のためには、湿ったモップ掛けを行う前に、掃くこと及び／又は吸引することが推奨される。汚れが最も少ない床が先ずクリーニングされ、より厳しい汚れへと進められることが推奨される。これは、溶液の使用を最少にし且つ部屋から部屋への汚染を制限する。装具ヘッドは、(希釈され例えば又は直ぐに使える)溶液の中へ沈められ且つ浸され、そして絞りだされる。装具は完全には乾いていないか、モップがけ前に滴り落ちる程度に湿っていないことである。
【０２４７】
ハンドルの付いたブラシを用いるスポンジモップ又は床布による好ましいモップがけのパターンは、左から右(又は右から左)の上下重複運動を行い、ついで右から左 (又は左から右)の上下重複運動を繰り返すことである。上下運動は約０．５ｍ〜約１ｍをカバーすることが好ましい。左から右への距離は約１ｍ〜約２ｍであることが好ましい。この領域、即ち約０．５〜約２m2をモップがけした後、スポンジモップ又は床布は溶液に再び浸され、そして絞られる。この手順に従うことにより、床に残った溶液の容量は約２０ml/m2〜約５０ml/m2、好ましくは約３０ml/m2〜約４０ml/m2である。
【０２４８】
帯状又は糸状モップ(例えば、セルロース、ポリビニルアルコール(PVA)、綿、合成又はブレンド品、及びそれらの混合物)を使用する場合、好ましいモップがけのパターンは、左から右(又は右から左)の上下重複運動を行い、ついで右から左 (又は左から右)の横横重複運動を繰り返すことである。上下運動は約０．５ｍ〜約１ｍをカバーすることが好ましい。右から左 (又は左から右)の横横パターンは約０．５ｍ〜約１ｍをカバーすることが好ましい。モップがけパターンは正方形、即ち約１ｍ2〜約２ｍ2の形の輪郭を描くことが好ましい。この領域をモップがけした後、帯状又は糸状モップは溶液に再び浸され、そして絞られる。この手順に従うことにより、床に残った溶液の容量は約２０ml/m2〜約５０ml/m2、好ましくは約３０ml/m2〜約４０ml/m2である。
【０２４９】
場合により、慣用のモップを使用した結果の一貫性を上手くコントロールするために、(希釈されるた又は直ぐに使える)組成物は一つの容器に貯蔵され、そしてモップすすぎの水は他の容器に貯蔵される。この二つの容器は二つの別のユニットからなることができ、又は一つに組み合せることができる。この使用の態様の例としては、噴出ボトル、引金スプレー、機械的スプレー、庭用噴霧器、及び電気又は電池作動の投与装置がある。この使用態様の利点は、新鮮な溶液が床に常に与えられ、且つ(床のクリーニングからの)汚れた水が床を再び汚すことから守ることである。また、この試みは、再汚れが少ないことにより、微生物を有効に制御し、それによって細菌のない最終結果を与える。この使用態様はスポットクリーニングには有利であり、即ちクリーニングすることが難しい領域をモップがけを始める前に製品で予め処理することができる。この使用態様は、溶液を汚い領域に塗布することができるように投与をコントロールすることに関して、柔軟性を与え、それによって価値が改良される。
【０２５０】
場合により、より一貫した且つ質の高い結果を達成するために、組成物は、直ぐに使える溶液として液体又はスプレー形態で、床に直接適用することができる。この使用態様の例としては、噴出ボトル、引金スプレー、機械的スプレー、庭用噴霧器、及び電気又は電池作動の投与装置がある。この使用態様の利点は、新鮮な溶液が床に常に与えられこと及び、特にモップが汚い溶液に再び曝されないときは、良好なモップのメンテナンスを与えることである(即ちモップは古い溶液を絞りだして、新しい溶液を床に適用するだけで、長く維持できる)。また、この試みは、微生物を有効に制御し、それによって細菌のない最終結果を与える(即ち微生物の再接種が殆どない)。この使用態様はスポットクリーニングには有利であり、即ちクリーニングすることが難しい領域をモップがけを始める前に製品で予め処理することができる。この使用態様は、溶液を汚い領域に塗布することができるように投与をコントロールすることに関して、柔軟性を与え、それによって価値が改良される。
【０２５１】
場合により、新しい溶液を投与する試みは、車両化した(motorize)システムを用いて行うことができることである。床のクリーニングのための車両化したシステムの例はDirt  Devil(商品名)Wet  Vac.である。好ましくは、車両化したシステムは新しい溶液を含有する室、及び床から除かれた汚い溶液を吸取り且つ保持するための第２の室を含有するであろう。車両化したシステムはふき取り及び擦り洗い装置を含有することが好ましい。擦り洗い装置は、綿、セルローススポンジなどで造られることができる。投与ユニットは、床上の液体を計量するための(１回以上の投与レベルを計算できる)手段を有する簡単なユニットからなることができる。車両化クリーニングシステムを用いる前に、徹底的な掃除及び吸引をすることが勧められる。好ましい拭取りパターンは、左から右(又は右から左)の上下重複運動、ついで右から左 (又は左から右)の上下重複運動の繰り返えしからなる。上下運動は約０．５ｍ〜約１ｍをカバーすることが好ましい。左から右への距離は約１ｍ〜約２ｍであることが好ましい。この領域、即ち約０．５〜約２m2をモップがけした後、車両化クリーニングユニットが従事し、溶液はかき集め動作でパドル中に漏れ出し、ついで、吸引により、汚い溶液封入室中に吸い込まれる。
【０２５２】
Ｇ６.  ガラスクリーニング拭取り具を使用する方法
場合により、便利さを高めるために、組成物は予め湿らせた拭取り具の形態中に供給することができる。届き難い領域 (例えば、内部又は外部の窓、２階以上の窓、大きなガラス) のためには、予め湿らせた拭取り具は任意であるが好ましくは、モップヘッド及びハンドルに取り付けることが好ましい。使用の容易さ及び多能性のためには、ハンドルは１つ以上の小さな延長可能な付属品又は望遠鏡ポールからなることができる。最良の結果のためには、モップヘッドユニットは任意に磨くための拭き取りを包含する。予め湿らせた拭取り具は、一度の実行で液体及び擦り洗いを全て提供する。最良の結果、即ちすすぎを必要としないように処理された領域に高い光沢を与え且つ縞を与えずに汚れを除去することのためには、投与量は好ましくは約１ml/m2〜約１０ml/m2、より好ましくは約３ml/m2〜約５ml/m2であるべきである。最良の結果のためには、好ましい拭いのパターンは、ガラスの上部左手(又は右手)角から始め、横横パターンを続けながら下への拭いパターンを進め、低部左又は右角で終わる横から横への重複運動からなる。ついで、予め湿らせた拭取り具は裏返しされ、そしてガラスは、ガラスの左手(又は右手)角から始められ、そして拭い運動がガラス前面をカバーするように右(又は左)に進められる上下パターンでクリーニングされる。代替の拭いパターンは、上下に拭う運動で始め、タオル又は布の裏返し、そして横から横へ拭う運動で終わる。代替の拭い法は、単に横横及び上下拭いパターンのタイミングを逆にするだけである。横横及び上下パターンの組み合せ利益は溶液の広がりを改良する結果としての縞の最小化及び紙タオルの線状の運動からの縞線の除去(即ち、紙タオル又は布の端は拭われた場所の可視の境界を与える)である。好ましくは、残った溶液は素早く蒸発させ、拭いパターンを完結させることである。最良の最終結果のためには、予め湿らせた拭取り具に与えられる圧力は最終の拭い工程中は下げられる。この手法では、溶液の液滴が減少し、拭取り具は最終の拭い段階中にいくらかの液体の再吸収に、有効に使用される。本発明の組成物は、窓ガラス、自動車のガラス、鏡、クロム、銀、ストーブのトップ、ガラステーブル、家電製品などのすすぎをしない用途に特に良く働く。慣用のガラスクリーナーと異なり、予め湿らせた拭取り具は、優れた薄膜化/縞化の最終結果を与えるために、特に軽いクリーニングの仕事のために余分な磨きを必要としない。また、親水性ポリマーは、防霧及び汚れスポット化防止性を含む幾つかの消費者の利益を与える。組成物は、軽い義務的な仕事、即ち毎日或は毎週のメンテナンスには理想的に適している。重要なことは、親水性ポリマーの残りのレベルが輝き及び汚れ防止を提供することである。溶剤、特に揮発性溶剤は、必要ならば、すすぎをしない適用において縞のない付加的なクリーニングを与えるので、これらの組成物に混入することが好ましい。組成物は次回の容易な脂のクリーニング利益を与え、表面に残っているポリマーにより食物及び汚れを覆う。また、組成物はクリーニングを改良するもの、例えば研磨パッド、熱及び蒸気と共に使用することもできる。特に厳しい汚れの除去又は非常に汚れた表面については、多層拭取り具の使用がより有利である。上記したような同じレベルの液体及び拭いパターンが使用されるが、汚れた液体を可能な限り除去し且つガラス上への汚れの再沈着を防止するために、説明書は付加的な磨き又は艶出し工程を包含するであろう。
【０２５３】
Ｇ７．予め湿らせた拭取り具を用いる汎用の及び床のクリーニング
場合により、床のクリーニングの便利さを高めるために、組成物は、上記したように、予め湿らせた拭取り具の形態中に供給することができ、好ましくはモップヘッド及びハンドルに取り付けることがきる。予め湿らせた拭取り具は、一度の実行で液体及び擦り洗いを全て提供する。ハンドルを用いた予め湿らせたモップによるモップがけパターンは、左から右(右から左)への上下重複運動を、ついで左から右(右から左)への上下重複運動を繰り返すことで実施される。上下運動は約０．５ｍ〜約１ｍをカバーすることが好ましい。左から右への距離は約１ｍ〜約２ｍであることが好ましい。ついで、このモップがけパターンは、拭取り具が実質的に消耗するか、乾いてしまうまで繰り返される。予め湿らせた拭取り具は、特に、典型的な浴室で遭遇するような小さな領域をクリーニングするのに有利である。予め湿らせた拭取り具は、種々の他の液体及び／又は装具を使用することなく、床以外の表面、例えばカウンタートップ、壁などをクリーニングすることができるように、容易に利用でき且つ多目的に使える。この試みは、スポンジ、帯状及び糸状モップのような慣用の再使用系でしばしば見られる装具への菌付着を最小にすることにより、有効に微生物を除去及び制御する。装具への菌付着がないことは、綺麗な且つ菌のない最終結果に導く。
【０２５４】
Ｇ８.  使い捨てパッドを用いた床のクリーニング
任意であるが最も好ましくは、便利さ及び性能は、使い捨てパッド及び床上に新しい溶液を適用する態様からなる系を使用することにより、最大にすることができる。パッドは不織布、セルロース及び超吸収性ポリマーの積層体からなる。このパッドは、モップヘッド又はハンドルを含む装具に取り付けられる。このような系においては、溶液の適用は別の噴出ボトル又はスプレー引き金系により達成され、又は装置に直接(即ちモップヘッド又はハンドルに)取り付けられ又は組み込まれることができる。供給機構はオペレーターにより実行されるか、電池誘導又は電気で作動されることができる。
【０２５５】
この系は、慣用のクリーニング態様に対して多くの利益を与える。パッドは汚れた溶液を吸収するので、床のクリーニング時間を短くする。重い汚れたバケツを運ぶ必要性を省く。汚れた溶液を吸収し且つ締め出す吸収性パッドにより、一つのパッドで大きな表面領域をクリーニングすることができる。
また、新しいパッドはいつも使えるから、黴菌及び汚れが捕まえられ、除去され、そして捨てられ、よりよい衛生及び悪臭制御を促進する。再使用可能な慣用のモップは、家全体に広がり且つモップ又は家庭内の頑固な悪臭を生じる汚れ及び黴菌を溜めてしまう。オペレーター制御による投与及び床からの汚れた溶液の効率的な除去により、より良い最終結果が達成される。
【０２５６】
また、クリーニング法が、慣用のクリーニングシステムに比してより短い時間で床に接する低レベルの溶液の使用に関係する、(少ない溶液が床に適用され、超吸収性ポリマーは、使い捨てパッド及びモップに残った容積が約１ml/m2〜約５ml/m2の溶液であるように、溶液の殆どを吸収する)ので、系は繊細な表面に改良された表面安全性を与える。これは、膨張し、ついで過剰の水で過剰に処理されたときに起こりがちの木材のクリーニングに、特に重要である。
【０２５７】
最後に、この系は、溶液の制御された投与のために、床を完全にクリーニングする前に、予め処理される厳しく汚れたスポットには良く適している。慣用のモップと異なり、この系はこぼれ(spill)の除去により有効で且つより便利である。例えば、慣用のモップはこぼれの制御のための試みとして実際に床を湿らせるが、吸収性紙タオル又は布は使用者にこぼれ除去を達成するために折り曲げることを要求する。最後に、装具＋パッドは、クリーニングし難い且つ届き難い領域、例えば家電製品、テーブル、カウンターなどの下に容易に接近できるようにデザインすることができる。超吸収性ポリマーの使用は、パッドの容積を小さくする、即ち超吸収性構造がその重量の１００倍を吸収することができることによる高吸収性により、パッドは薄くすることができる。これは、吸収目的ために大きな嵩を必要とする慣用のモップにより達成可能である(セルロース又は合成構造体はその重量の約５倍〜約１0倍を吸収する)。
【０２５８】
使い捨てパッド及び装具クリーニング系を使用する最良の結果のためには、湿ったモップがけの前に、先ず完全に掃き及び／又は吸引することである。クリーニングすべき領域に溶液を適用する前に、小さな領域に約１０ml〜約２０ml(即ち、ｍ2当たり約1/2)を適用し、溶液が殆ど完全に吸収されるまで数回、拭いパッドを領域に前後させることが好ましい。これは、最も効果的に機能することを可能にするパッドを用意する点で重要である。投与機構が装具から離れている場合(即ち、切り離された投与システム)の適用においては、用意されたセットは場合により約１０ml〜約２０mlを用いた適用範囲で、溶液を直接パッドにスプレーすることができる。約５ml/m2〜約４０ml/m2、より好ましくは約１０ml/m2〜約３０ml/m2の割合での溶液の適用は、クリーニングされるべき領域にできるだけ多く液体を広げる。これは、使い捨てパッドを使用して拭うことにより行われる。
【０２５９】
好ましい拭いパターンは、クリーニングすべき部分の低部左手(又は右手)側から始め、上下拭い運動を続けながら床を横切る拭いパターンを進める重複運動からなる。ついで、クリーニングすべき部分の頂部右(又は左)側から始め、そして横横運動による拭いパターンの方向を逆にする拭いが続けられる。他の好ましい拭いパターンは、上下拭い運動、ついで反対方向の上下上下拭い運動からなる。これらの完全な好ましい拭いパターンは、パッドを多くの溶液、汚れ及び黴菌の解放及び吸収を可能とし、後に残る残渣を最少にするような投与において良好な最終結果を与える。上記の拭いパターンの他の利益は、改良された溶液の広がり及びパッドの端からの縞線の除去の結果として、縞化を最少にすることである。
【０２６０】
パッドは、多数のクリーニング及び多数の表面に使用することができる多才なものである。各パッドは、平均の汚れの付いた１つの平均寸法(即ち約１０ｍ2〜約２０ｍ2)をクリーニングするようにデザインされる。パッドは、床が平均よりも大きいか、特に汚れているときは、交換する必要がある。パッドの交換が必要かどうかを決定するために、パッドの裏側を見て、そして裏側の吸収層が液体及び／又は汚れで満たされているかどうかを確かめる。
【０２６１】
床、壁及びカウンタートップの表面を含む浴槽/シャワーでない表面領域を処理するために従来販売されていたタイプの組成物とは反対に、すすぎをしないことが望ましい場合の本発明の組成物の使用は、改良された性能を与える。
【０２６２】
Ｈ.  製造物品
規則的な、即ち毎日、２週間又は毎週ベースで、特にすすぎなしで、ここに定義の製品を使用することに関しては、浴室、シャワー、壁、カウンタートップ、ガラス、床などの清潔さを維持するために、規則的なベースで、好ましくはシャワー及び／又は入浴後に、特にすすぎなしで製品を使用することの説明書と共に、製品を容器に入れて上市することが非常に望ましい。この説明書は、製造品の消費者に説明が伝わるように、容器自身に直接印刷するか、パンフレット、印刷物、広告、及び／又は他の広告(これらに限定されない)を含む他の手法で存在させることができる。消費者は使用法、及び本発明の最大の価値を得るために使用法に従うことの利益を知ることが必要である。
【０２６３】
他の好ましい態様においては、本発明の組成物は、使用中にすすぎの必要性を軽減する、クリーニングパッドを含有する撤去可能なクリーニング装具について使用することができる。これは、クリーニングパッドｇ当たりの吸収された流体ｇで、十分な吸収容量を有する撤去可能なクリーニングパッドを含有し、且つパッドの交換の必要なしで、大きな領域、例えば典型的な硬い表面の床又は壁(例えば80-100ft2)のクリーニングを可能にするクリーニング装具を包含することが好ましい。これは、また、超吸収性物質、好ましくは上記した、米国特許出願第08/765,507号記載のタイプのものを必要とする。
【０２６４】
上記の液体組成物は表面をクリーニングするための装具と共に使用することが望ましく、該装具は
【０２６５】
ａ.  有効な量の超吸収性物質を含有し、且つ複数の実質的に平らな表面を有し、その際該表面の１つは処理される表面と接する、好ましくは撤去可能なクリーニングパッド、より好ましくは前記パッドは長さ及び幅を有する撤去可能なクリーニングパッドであり、該パッドは擦り洗い層を含有し；
【０２６６】
ｂ．場合により、第１及び第２層を含有する吸収層であって、第１層は擦り洗い層と第２層の間(即ち、第１層は第２層の下)に位置し、第２層よりも小さな幅を有し；及び
【０２６７】
ｃ．場合により、ハンドル；
を含有する。
【０２６８】
場合により、クリーニングパッドの好ましい観点は、クリーニング操作中に汚れた表面に接する複数の平らな表面の使用である。モップのようなクリーニング装具に関しては、これらの平坦な表面は典型的なクリーニング操作中(即ち、装具がパッドの幅の実質的に周囲の方向に前後して動かされる場合)に与えられ、表面に接する平坦な表面の各々は、クリーニングパッドの動揺(rocking)の結果としてクリーニングされる。
【０２６９】
好ましいクリーニング装具は、新しい表面を連続して提供することにより、汚れ除去性を提供するパッドを有し、及び／又は、例えばクリーニング操作中に汚れた表面と接する複数の表面を与えることにより、汚れた表面と接することを進める。
【０２７０】
洗剤用界面活性剤は、線状の、例えば分岐及び芳香族基が存在しないことが好ましく、該界面活性剤は比較的水溶性の、例えば好ましくは約８〜約１６の炭素原子を有する疎水性鎖を持ったものが好ましく、ノニオン性洗剤用界面活性剤については、約９〜約１５、より好ましくは約１０〜約１３．５のＨＬＢを有する。最も好ましい界面活性剤は、上記したアルキルポリグルコシドである。他の好ましい界面活性剤は、約９〜約１２の炭素原子及び約４〜約８のエチレンオキシド単位を有するアルキルエトキシレートである。これらの界面活性剤は優れたクリーニング利益を与え、そして必要な親水性ポリマーと相乗的に働く。最も好ましいアルキルエトキシレートは、Shell  Chemical  Co.からNeodol1-5の商品名で入手可能なＣ11ＥＯ5である。Ｃ11ＥＯ5は、好ましい共界面活性剤、Ｃ8スルホネート及び／又はPoly-Tergent  CS-1と組み合せて使用した場合に、特に好ましい。また、好ましいアルキルエトキシレート界面活性剤は、優れたクリーニング性を与えることがわかり、本発明の湿ったポリマーを含有するマトリックス中のＣ8-16のアルキルポリグルコシドと組み合せることが有利である。理論に拘束されたくないが、Ｃ8-16のアルキルポリグルコシドは、特に好ましいアルキルエトキシレートが優れたクリーニングのためには必要であるときに、好ましいアルキルエトキシレートを付加的に含有する組成物において優れた最終結果(即ち、霞の減少)を与えることができるものと思われる。好ましい8-16のアルキルポリグルコシドはは、アルキルエトキシレートを含有する組成物の香料溶解性を改良することがわかった。高レベルの香料は消費者の容認のためには有利である。
【０２７１】
本発明は、組成物の使用説明書と共に、容器中にここに開示された洗剤組成物を含有する。この容器は１つ以上のユニットの組み立て部品を、包装内に又は別に、有することができる。例えば、容器はクリーニング液の着いた乾いた拭取り具又はパッドを包含することができる。第２の例は、拭取り具又はパッドを有する容器、装具及び溶液を包含することができる。第３の例は、濃厚な補充物を有する容器、直ぐ使える溶液、及び超吸収性ゲルを有する又は有しないパッドである。他の例は、装具を有するか有しない、ハンドルを有するか有しない予め湿らせた拭取り具である。
【０２７２】
洗剤組成物(クリーニング溶液)は、任意であるが好ましくは親水性ポリマーを含有する水性ベースの溶液であり、場合により、１種以上の洗剤用界面活性剤を含有し、親水性ポリマーが存在しないときは、好ましいアルキルポリグリコシドが存在し、任意の溶剤、ビルダー、キレート化剤、泡抑制剤、酵素などを含有する。適当なポリマーは、前記したものである。適当な界面活性剤は、商業的に入手可能で且つMcCutcheonの”Emulsifiers  and  Detergent”,(北アメリカ版)第１巻(1999年)MC  Publishing  Co.発行に記載されている。また、最も好ましいポリマーはアミンオキシド部分を含有するポリマーである。最も好ましい界面活性剤はＣ8−Ｃ16のポリアルキルグルコシド、及び約４〜約８の炭素原子を有するＣ9−Ｃ12のエトキシレート、及びそれらの混合物である。これらの組成物は上記されている。
【０２７３】
床、カウンター、壁に関して、単独で又は慣用のスポンジ、モップ、ぼろぎれ、又は使い捨ての予め湿らせた拭取り具、パッド、モップなどと共に、使用するのに適するクリーニング溶液は、約０．００１重量％〜約０．２５重量％、好ましくは約０．００５重量％〜約０．１５重量％、より好ましくは約０．０１重量％〜約０．０７重量％の親水性ポリマーを含有する。ポリマーのレベルは用途に基づい選ばれるであろう。例えば、高いレベルのポリマーは粘稠な感触を床に残すことがわかった。このような粘性は、カウンター、ストーブトップ及び壁のような用途においてはより容易に許される。組成物はポリマーのみを含有することができるが、好ましくは約０．００１重量％〜約０．５重量％、好ましくは約０．００５重量％〜約０．２５重量％、より好ましくは約０．００５重量％〜約０．１重量％の界面活性剤、好ましくは前記のアルキルポリグリコシド、より好ましくはＣ8−Ｃ16のアルキル基及び約１〜約１．５の、好ましくは約１．１〜約１．４のグルコシル基を有する好ましいポリグリコシド、及び/又は線状アルキルエトキシレート洗剤用界面活性剤(例えば、Shell  Chemical  Co.から入手可能なNeodol(商品名))及び／又は(例えば、Bioterge  PAS-8ｓ(商品名))も含有し；場合により、約０．００１％〜約０．５％、好ましくは約０．０１％〜約０．３％の揮発性緩衝物質、例えばアンモニア、2-ジメチルアミノ-2-メチル-1-プロパノール；場合により約０．０１％〜約０．０５％、好ましくは約０％〜約０．２％の非揮発性緩衝物質、例えば水酸化カリウム、炭酸カリウム、及び／又は炭酸水素カリウム；場合により、約０．００１％〜約０．５％、好ましくは約０．０５％〜約０．２５％の染料及び／又は香料のような他の補助剤；約９９．９％〜約８０％、好ましくは約９９％〜約８５％、より好ましくは約９８％〜約９０％の脱イオン水又は軟水を含有する。過剰なレベルの脱イオン水又は軟水は用途に依存するであろう。濃厚物は、濃縮率(例えば、５倍、１０倍、２０倍)に基づいて、８０％未満の脱イオン水又は軟水を含有することができる。
【０２７４】
本発明の１つの態様では、容器中に、その使用説明書と共に、有効量の超吸収性物質を含有する吸収構造を有する上記の洗剤組成物を含有するか、又は場合により、装具、又は少なくとも、超吸収性物質を含有する使い捨てクリーニングパッドを容器中に含有することが好ましい。本発明は、また、汚れた表面のクリーニングを行うための、親水性ポリマーを有する組成物及び超吸収性物質を含有する使い捨てクリーニングパッドの使用、即ち典型的には約１％以下の洗剤用界面活性剤；溶剤を含む約５％未満の疎水性物質；及び約９より大きいｐＨ；の組成物を適用し、超吸収性物質を含有する吸収構造中の組成物を吸収することを包含する表面のクリーニング方法に関するものである。
【０２７５】
クリーニング装具
１つの好ましい観点においては、本発明は、上記したタイプの表面をクリーニングするための装具と共に、場合により見えなくなる染料を含有する上記の洗剤組成物の使用に関するものであり、該装具は、
【０２７６】
a.  超吸収性物質を含有し、且つ実質的に平坦な複数の表面を有し、その際実質的に平坦な表面の各々はクリーニングされるべき表面と接しており、及び好ましくは第１及び第２層を有し、その際第１層は擦り洗い層と第２層の間に位置し且つ第２層より小さな幅を有するパッド構造を有する撤去可能なクリーニングパッド；及び
b.  場合により、ハンドル；
を有する。
【０２７７】
上記したように、本発明の好ましい観点においては、パッドは超吸収性物質を含有し、そして十分なクリーニング利益を与えることが好ましい。好ましいクリーニング性能の利益は、溶解された汚れを除去するパッドの能力との組み合せで、後記する好ましい構造的特性に関係する。上記したように、好ましいクリーニングパッドは、好ましい洗剤用界面活性剤と共に使用されるときは、最適の性能を与える。
好ましいパッドは、上記のように複数の平坦な表面を与える。
ここで使用される全ての数値はほぼ標準値をベースとしており、全ての部、パーセント、及び割合は特記しないかぎり、重量及び組成物当たりの重量であり、全ての特許はここに参考として合体される。
【０２７８】
【実施例】
実施例
次の実施例及び/又は比較例により、本発明をさらに説明する。次の組成物はリストした成分をリストした割合で、リストした添加順序で混合することにより造られる。
【０２７９】
組成物
比較の製品は示された名称の組成物で、下記の名前で上市されているものを包含する。
【０２８０】
【表１】
0003908535.tif 000003
【０２８１】
【表２】
0003908535.tif 000004
【０２８２】
毎日のシャワー組成物の性能の試験法
綺麗に艶付けされたセラミックタイル：Dal-Tile(商品名)艶付けされた青色セラミックタイル(P.O.Box  17130,Dallas,寸法152mm×152mm×8mm)及びDal-Tile(商品名)艶付けされた黒色セラミックタイル(寸法105mm×105mm×8mm)が下記の毎日のシャワー製品試験に使用される。各タイルは、先ず紙タオルで拭われ、ついで蒸留水ですすがれる。タイルにイソプロピルアルコールがスプレーされ、湿った紙タオル又は布で拭われる蒸留水で再びすすがれる。蒸留水のすすぎ結果が、５秒未満で９０＋％の水がタイルでビーズをつくるか、ころがりを示すようになるまでクリーニング操作が続けられる(ビーズ化の実験は垂直なタイルを保持して行われる)。ついで、タイルは拭われて、乾燥され、そして光沢が記録される。
【０２８３】
光沢の測定：BYK  Gardner(ドイツ)により製造されているmicro-TRI-gloss光沢計を用いて60°の角度で測定)により、各タイルについて５回の光沢の読みがなされ、平均の読みが記録される。測定はタイルの各々の角の近く及び中央で行われる。
【０２８４】
製品によるタイルの処理：各タイルは壁(又は流し)に対して垂直に置かれる。ついで、タイルは、５mlの試験製品でスプレーされ(注：これは５回のスプレーに相当する)、Continental  Spray  Inc.で製造されたT8500スプレー機を用いて約２フィート(60cm)の距離から塗布される。タイルのスプレー(噴霧)は、タイルへの適用範囲が最大になるように行われる。製品処理に続いて、タイルは空気乾燥される。乾燥したら直ぐに、光沢が測定される。ついで、タイルは、製品に残ったスポット、縞及び薄膜について目による品質の検査が行われる。平均して、綺麗なタイルの光沢と製品処理が行われた光沢との差が、製品による光沢の損失に相当する。
【０２８５】
模擬的シャワー：公知の硬度の水がシャワーをシュミレートするために使用される。タイルは、流し壁に垂直に立てて置かれ、ついでT8500スプレー機を用いて約２フィート(60cm)の距離で、暖かい市水(T-100°F又は３７℃)でスプレーされる。各タイルは１分間当たり８０回スプレーの一定な投与速度で、３分間スプレーされ、ついで周囲条件下で乾燥される。タイルのスプレー(噴霧)は、タイルへの適用範囲が最大になるように行われる。乾燥して直ぐに、タイルは、製品に残ったスポット、縞及び薄膜について目による品質の検査が行われる(全ての製品フィルムは模擬的シャワーで３分間にわたりすすがれる)。
【０２８６】
サイクル：各シャワーが行われた製品の連続的な使用の効果をシュミレートするための努力のもとで、上記の手順が数回繰り返される。３回のサイクルで使用された後は性能はより改良される傾向はないが、幾つかの製品は付加的な使用について良好に振舞うことが観察される。
【０２８７】
最終の光沢測定(任意)：最後の模擬シャワーサイクルの後、製品処理及びシャワーすすぎの累積効果を評価するために、光沢測定が行われる。
【０２８８】
組成物：全ての原料は商業的なソースから購入される。下記の試験で使用されたPVNOは、Reilly  industriesで造られ、20,000g/モル以下の分子量を有するものである。全ての試験で使用されたAPGは、HenkelからのPlantaren  2000、商業的に入手可能な化粧品グレードのＣ8-16のポリアルキルグリコキシドである。実施例２に記載のチボリ(Tivoli)−シクロデキストリン錯体は香料とβ-シクロデキストリンを、β-シクロデキストリンの腔が満たされるように混合することにより造られる。ついで、過剰の香料が除かれ、錯体が乾燥、固化される。
【０２８９】
【表３】
0003908535.tif 000005
【０２９０】
【表４】
0003908535.tif 000006
【０２９１】
上記の各組成物については、親水性ポリマーの添加は水のシート化及びタイルのスポット化を改良し、或は不変の性能を残す。最も大きな利益は、PVNO単独、APGに加えたPVNO及びBenckiser製品に加えたPVNOを用いたときに、観察される。さらに、上記の各配合物にPVNOを混入しても、光沢に有害な影響を与えない。
【０２９２】
別の試験においては、０.０７５％のPVNOがReckitt  &  Colman’s  Mist  Away(商品名)製品に加えられる。親水性ポリマーから、シート化又はスポット化のない利益が観察された。この製品の分析は４級アンモニウム塩の存在を明らかにする。４級界面活性剤は疎水性に変性された界面活性剤であることが知られており、従って水と表面との接触角を増加させる。PVNOの添加は、シート化を示すのに十分な接触角の減少には失敗する。
【０２９３】
実施例
縞化及び薄膜化により測定されるつぎの実施例の最終結果の性能は、本発明の幾つかの組成物、及び比較の商業的に入手可能な製品について測定された。試験された関連の入浴シャワー基材は、青色及び黒色Daltile(商品名)セラミックタイル及びガラスシャワー扉(会社名、製造、及び寸法)を包含する。可視の等級が、３つの専門家の等級の平均に基づいて薄膜化/霞化及びスポット化/縞化について、与えられ。等級は０から６のスライドスケールでなされ、０は完全な最終結果を示し、６はひどい最終結果を示す。最終結果は光沢計測定を使用しても測定される。各光沢測定は、各サイクルの後に製品を適用して行われる。
【０２９４】
【表５】
0003908535.tif 000007
【０２９５】
【表６】
0003908535.tif 000008
【０２９６】
【表７】
0003908535.tif 000009
【０２９７】
【表８】
0003908535.tif 000010
【０２９８】
【表９】
0003908535.tif 000011
【０２９９】
上記のデータは、PVNOを含有する簡単な組成物が優れた最終結果を与えるために使用することができることを提案している。これらのPVNO-組成物の全ては、比較のものに対して卓越したシート化利益も与える。
【０３００】
最良の結果は、APG又は界面活性剤の不存在下にシクロデキストリンを使用して達成されるが、最終結果の性能において考慮しうる変化がある。非常に良好な結果は一般に、アルキルスルフェート界面活性剤をPVNOと組み合せて使用することにより、達成される。全ての場合において、PVNO含有組成物により与えられる最終結果は、光沢計による測定において、比較のものよりも非常に優れている。ガラス上の光沢計の試験は、装置上の制限のために測定することができなかった。
【０３０１】
使い捨てクリーニングパッドを用いた床クリーニング製品に関する実施例
すすぎなしシャワー/浴槽クリーニング製品／方法、好ましくは規則的な、例えばシャワーごとの基準での使用について見られる利益と共に、本発明は、クリーニング溶液の全部ではないが殆ど吸収する使い捨てパッドの使用に関連する、すすぎ工程なしの床クリーニング法の利益を与える。この方法は、つぎの実施例により説明される。この比較の一部として、ポリマー、特にPVNOが特定なタイプの界面活性剤及び／又は溶剤と組み合されたときに、付加的な相乗的利益が観察されることがわかった。下記の組成物はリストされた成分をリストされた割合でリストされた添加順序で混合することにより造られる。
【０３０２】
【表１０】
0003908535.tif 000012
【０３０３】
組成物：全ての原料は商業的なソースから購入される。下記の試験で使用されたPVNOは、Reilly  industriesで造られ、20,000g/モル以下の分子量を有するものである。使用された界面活性剤は、HenkelからのPlantaren  2000で、商業的に入手可能な化粧品グレードのＣ8-16のポリアルキルグリコキシドであり；HenkelからのPlantaren  1200で商業的に入手可能な化粧品グレードのＣ10-16のポリアルキルグリコキシドであり；、AkzoからのAg-6210で、商業的に入手可能な化粧品グレードのＣ8-12のポリアルキルグリコキシドであり；NeodolＣ11ＥＯ5は、約１１の炭素原子の平均鎖長を有するアルキル基及び分子当たり平均で約５のエトキシ基を含有する商業的に入手可能なノニオン性アルキレンオキシレートである。使用された溶剤は、Sigma  Aldrichからのポリプロピレングリコールプロピルエーテルである。
【０３０４】
使い捨てパッドによる床のクリーニングの試験法
綺麗に艶付けされたセラミックタイル：Valentino  Kerastone(Cermiche  Piemme  41053  Maranello  Italy)からの、滑らかな生地で薄白色及び褐色の大理石様の外観の332mm×332mmのイタリアの艶付けされたセラミックタイルが試験に使用される。これらのタイルは、その高い霞みのために湿らすことが困難であるので、試験に選ばれた。
【０３０５】
タイルの調製：各タイルは、表面の汚れ除去するために、先ず紙タオル及び２０％イソプロピルアルコールを含有する溶液で拭われる。ついで、各タイルは、完全に乾くまで蒸留水で再び拭われる。
【０３０６】
汚れの調製：試験に使用された汚れは、820gのイソプロピルアルコールと320gの脱イオン水を混合して調製される。これに28.1gの篩にかけた真空クリーナーの塵(Empiricalより提供)、0.78gのCrisco油、0.09gの重合したCrisco油(粘度1800cps)及び1.25gのドミノグラニュー糖を加える。
【０３０７】
汚し方：３mlの汚れ液を各タイルの中央に塗布する。均一な被覆が達成されるまで、３インチのけば塗装ロールで、タイルを縦横に、汚れを平らに広げる。乾燥する。
【０３０８】
クリーニングパッド：吸収性モップパッドを100×130mmにカットする。このパッドはBuckeye  Chemicalsで造られた、３層の密な勾配のコアからなる。第１層(床の層)は0.06g/ccの密度及び4.5mmの厚さ及び63mmの幅を有する。中間層は0.1g/ccの密度及び3mmの厚さ及び89mmの幅を有する。第３層(貯蔵層)は0.15g/ccの密度及び1mmの厚さ及び120mmの幅を有する。床面のコアの上は、開口成形フィルムである。床のシート面の外端に、擦り洗い用の浮遊カフスを取り付けたSwiffer(商品名)材料(綿布付きの63grmの水をからませたポリエステル)の2×64mmのループがある。裏面には、Clopayより提供されたポリマーバリヤー、及び装具にパッドを取り付けるためにパッドの長さに沿って2×25mmの広い付属ストリップがある。
【０３０９】
クリーニング装具：Swiffer(商品名)乾燥汚れモップヘッド(モップがけの作用を出すための回転ヘッドを含む)を100×130mmの寸法にカットする。パッド取り付け用の手段を与えるために、このモップヘッドにメイルベルクロストリップが接着される。
【０３１０】
クリーニング手順：
パッドの下塗り：別の綺麗な332mm×332mmのタイル上に3mlのクリーニング溶液を塗布する。タイルを、左から開始し、右へ動かし、上下に６サイクル拭い、ついで右から左へ６サイクル戻る。２４回拭うように拭いを繰り返す。
クリーニング：同じクリーニング溶液3mmが汚れた試験タイルに塗布される。下塗りパッドを用いて、左から開始し、右へ動かし、上下に７サイクル拭い、ついで右から左へ７サイクル戻る。２４回の拭いがなされるまで、拭いを繰り返す。
等級付け：タイルを完全に乾かした後、薄膜化/縞化について専門家の等級が調べられる。０〜４の尺度が使用され、０はなし、４は厳しい薄膜化/縞化を示し、各タイルは最終結果の外観が等級づけされる。
【０３１１】
【表１１】
0003908535.tif 000013
【０３１２】
上記の結果は、簡単な組成物への低レベルのPVNOの添加は、使用された他の成分に基づく異なる度合いで、最終結果を改良するをことを提案している。さらに、結果は異なる界面活性剤はそれ自身で又はPVNOと組み合せにおいて異なる度合いの性能利益を与えることができることを提案している。特に、アルキルポリグルコシド(APG)は、この界面活性剤タイプのより良い変更の一つであるとして排除されている標準のエトキシル化ノニオン性界面活性剤よりも良好な性能を与える。APGそれ自身でさえも、最も広い鎖長範囲(Ｃ8-16)による変更は、(Ｃ10-16又はＣ8-12より好ましい)最良の性能を与える。最後に、界面活性剤、PVNO及び特別の溶剤(プロピレングリコールプロピルエーテル、例えば「PGPE」)が加えられた場合に、付加的な改良が見られる。
【０３１３】
ガラス上のすべり試験法
装置
・INSTRON4400試験装置、及びINSTRON付きコンピュータ
・INSTRONスロープボード(プーリーホイール付き)７”幅×20.5”長さ
・INSTRON長方形荷重ブロック
・7”×18”の窓ガラス(スロープボードに固定)
・試験すべき材料
【０３１４】
手順
１.INSTRONスロープボードをクロスヘッドの下の位置に置く。
２.Ｃ-クランプを使用して窓ガラスをスロープボードに取り付ける。
３.スロープの始めにブロックを置く。
４.紐をブロックに取り付け、プーリーホイールに巻き、クロスヘッドループに取り付ける。
５.紐が緊張するが力を示さないように、０の力にクロスヘッドを調整する。
６.装置を回し、調整する。
７.コンピュータプログラムを使用して、”Tensile  06法-Wipes  Glide”を選ぶ
(以下にリストした備え付け)。
８.試験すべき材料で荷重ブロックの周りを包む。
９.連続試験を選ぶと、クロスヘッドが自動的に動く。
10.試験が終了したときに、「リセット」をクリックすると、クロスヘッドは自動的に高い位置にもどる。
11.グラフは全体の試験時間に亙る力ｋｇ及び最高のｋｇｆを示す。最高のｋｇｆは材料を評価するために使用された数である。
12.材料当たり３回の試験を繰り返す。下記繰り返しの間にはガラスを綺麗にする。
【０３１５】
オプション
１.材料は湿式又は乾式で試験することができる。
２.スベリ私権は他の表面で行なうことができる。表面は７”×18”にカットする必要がある。Ｃ-クランプを用いてINSTRONスロープボードに取り付ける。
【０３１６】
試験法のセッティング
試験方向：上
クロスヘッド速度：304.8mm/min
重量測定：ｋｇ力-計算された最高の力のレベル
スロープボード：角度12.4°
クロスヘッド移動：350mm
【０３１７】
試験：特別の基材からなる下記の予め湿らせた拭取り具が、上記のINSTRON装置により、ガラス上のすべり性能について試験される。特別の基材は#1Bounty紙タオル(100％以下のセルロース)；#2,  70%セルロース、13%ポリエステル、17%バインダー；#3  75%セルロース、25%ポリプロピレン；#4  70%ポリエステル、30%セルロース；#5  100%ポリプロピレンである。予め湿らせた拭取り具は1.7の負荷力、即ち乾いた基材ｇ当たり1.7ｇの液体(P＆Gから入手可能なCinch(商品名)クリーニングスプレー、この試験の全部で液体として使用)を用いて乾式で試験される。また、基材は乾式で、即ち乾いた拭取り具に液体をつけることなく、試験される。より低い摩擦数が好ましいすべり性能示す。摩擦の読みの間に有意さを確立するために、グループ分けがなされる。
【０３１８】
乾いた表面の試験結果
Ｔグループ            平均          Ｎクラス
Ａ                  0.08053            #1
Ｂ  Ａ              0.04027            #5
Ｂ                  0.03583            #2
Ｂ                  0.03583            #3
Ｂ                  0.03580            #4
【０３１９】
予め湿らせた拭取り具の試験結果
Ｔグループ            平均          Ｎクラス
Ａ                  0.147700            #1
Ｂ                  0.107400            #3
Ｃ                  0.085000            #2
Ｃ                  0.080500            #5
Ｄ                  0.040267            #4
【０３２０】
乾いた又は湿ったセルロース基材はガラス上の最大級の摩擦を有し、高ポリエスエル含量及び高ポリプロピレン含量の基材は十分に良好なすべりを示す。即ちガラスの摩擦が低い。セルロース又は超吸収性ポリマーとポリエステル、ナイロン、又はポリアルキレンの組み合せは、特に疎水性繊維、スポットなどがすべりを与えるために表面にある限り、望ましい。